(57)【要約】  本発明の実施例は、端末デバイスのスケジューリング方法、ネットワークデバイス及び端末デバイスを提供し、当該方法は、ネットワークデバイスが第１構成情報を確定することと、ネットワークデバイスが端末デバイスに第１構成情報を送信することとを含み、当該第１構成情報は、端末デバイスが事前スケジューリングサービスを実行する時に使用する時間領域リソース及び周波数領域リソースを示すために用いられる。本発明の実施例の端末デバイスのスケジューリング方法は、端末デバイスを柔軟的にスケジューリングすることができる。
2019537900.tif 000002
【特許請求の範囲】
【請求項１】
ネットワークデバイスが第１構成情報を確定することと、
前記ネットワークデバイスが端末デバイスに前記第１構成情報を送信することとを含み、
前記第１構成情報は、前記端末デバイスが事前スケジューリングサービスを実行する時に使用する時間領域リソース及び周波数領域リソースを示すために用いられる
ことを特徴とする端末デバイスのスケジューリング方法。
【請求項２】
前記事前スケジューリングサービスが周期的なサービスであり、
前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、
前記端末デバイスが前記複数の時刻の少なくとも２つの時刻に前記事前スケジューリングサービスを実行する時に使用する周波数領域リソースが異なる
ことを特徴とする請求項１に記載の端末デバイスのスケジューリング方法。
【請求項３】
前記事前スケジューリングサービスが非周期的なサービスであり、
前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、
前記端末デバイスが各時刻に前記事前スケジューリングサービスを実行する時に使用する周波数領域リソースが同じである
ことを特徴とする請求項１に記載の端末デバイスのスケジューリング方法。
【請求項４】
前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる
ことを特徴とする請求項１に記載の端末デバイスのスケジューリング方法。
【請求項５】
前記ネットワークデバイスが前記端末デバイスに前記第１構成情報を送信した後、前記方法は、さらに、
前記ネットワークデバイスが前記端末デバイスに第２構成情報を送信することを含み、
前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる
ことを特徴とする請求項１〜４のいずれか１項に記載の端末デバイスのスケジューリング方法。
【請求項６】
前記第１構成情報は、前記ネットワークデバイスが上位層シグナリング又は物理層シグナリングにより送信したものである
ことを特徴とする請求項１〜５のいずれか１項に記載の端末デバイスのスケジューリング方法。
【請求項７】
前記第１構成情報は、時間領域リソース指示情報及び周波数領域リソース指示情報を含み、
前記時間領域リソース指示情報は、前記ネットワークデバイスが上位層シグナリングにより送信したものであり、前記周波数領域リソース構成情報は、前記ネットワークデバイスが物理層シグナリングにより送信したものである
ことを特徴とする請求項１〜５のいずれか１項に記載の端末デバイスのスケジューリング方法。
【請求項８】
前記方法は、さらに、
前記ネットワークデバイスが前記端末デバイスのサービス要求メッセージを受信することを含み、
前記サービス要求メッセージは、前記端末デバイスが実行する前記事前スケジューリングサービスの実行時刻及び前記事前スケジューリングサービスに伝送するデータの大きさを示すために用いられ、
前記ネットワークデバイスが第１構成情報を確定することは、
前記ネットワークデバイスが前記サービス要求メッセージに基づいて、前記第１構成情報を確定することを含む
ことを特徴とする請求項１〜７のいずれか１項に記載の端末デバイスのスケジューリング方法。
【請求項９】
前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記方法は、さらに、
前記ネットワークデバイスが前記端末デバイスにスケジューリング情報を送信することを含み、
前記スケジューリング情報は、前記端末デバイスが前記複数の指示情報の１つの指示情報に基づいて、前記事前スケジューリングサービスを実行する時に使用する時間領域リソース及び周波数領域リソースを確定するように指示するために用いられる
ことを特徴とする請求項１に記載の端末デバイスのスケジューリング方法。
【請求項１０】
端末デバイスがネットワークデバイスにより送信された第１構成情報を受信することと、
前記端末デバイスが前記第１構成情報に示す時間領域リソース及び周波数領域リソースにおいて事前スケジューリングサービスを実行することとを含み、
前記第１構成情報は、前記端末デバイスが事前スケジューリングサービスを実行する時に使用する時間領域リソース及び周波数領域リソースを示すために用いられる
ことを特徴とする端末デバイスのスケジューリング方法。
【請求項１１】
前記事前スケジューリングサービスが周期的なサービスであり、
前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、
前記端末デバイスが前記複数の時刻の少なくとも２つの時刻に前記事前スケジューリングサービスを実行する時に使用する周波数領域リソースが異なる
ことを特徴とする請求項１０に記載の端末デバイスのスケジューリング方法。
【請求項１２】
前記事前スケジューリングサービスが非周期的なサービスであり、
前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、
前記端末デバイスが各時刻に前記事前スケジューリングサービスを実行する時に使用する周波数領域リソースが同じである
ことを特徴とする請求項１０に記載の端末デバイスのスケジューリング方法。
【請求項１３】
前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる
ことを特徴とする請求項１０に記載の端末デバイスのスケジューリング方法。
【請求項１４】
前記端末デバイスがネットワークデバイスにより送信された第１構成情報を受信した後、前記方法は、さらに、
前記端末デバイスが前記ネットワークデバイスにより送信された第２構成情報を受信することを含み、
前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる
ことを特徴とする請求項１０〜１３のいずれか１項に記載の端末デバイスのスケジューリング方法。
【請求項１５】
前記第１構成情報は、前記端末デバイスが上位層シグナリング又は物理層シグナリングにより受信したものである
ことを特徴とする請求項１０〜１４のいずれか１項に記載の端末デバイスのスケジューリング方法。
【請求項１６】
前記第１構成情報は、時間領域リソース指示情報及び周波数領域リソース指示情報を含み、
前記時間領域リソース指示情報は、前記端末デバイスが上位層シグナリングにより受信したものであり、前記周波数領域リソース構成情報は、前記端末デバイスが物理層シグナリングにより受信したものである
ことを特徴とする請求項１０〜１４のいずれか１項に記載の端末デバイスのスケジューリング方法。
【請求項１７】
前記方法は、さらに、
前記端末デバイスが前記ネットワークデバイスにサービス要求メッセージを送信することを含み、
前記サービス要求メッセージは、前記端末デバイスが実行する前記事前スケジューリングサービスの実行時刻及び前記事前スケジューリングサービスに伝送するデータの大きさを示すために用いられる
ことを特徴とする請求項１０〜１６のいずれか１項に記載の端末デバイスのスケジューリング方法。
【請求項１８】
前記第１構成情報は、前記サービス要求メッセージに基づいて確定されたものである
ことを特徴とする請求項１７に記載の端末デバイスのスケジューリング方法。
【請求項１９】
前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記方法は、さらに、
前記端末デバイスが前記ネットワークデバイスにより送信されたスケジューリング情報を受信することと、
前記端末デバイスが前記スケジューリング情報内の第１指示情報に基づいて、前記事前スケジューリングサービスを実行する時に使用する時間領域リソース及び周波数領域リソースを確定することとを含み、
前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられる
ことを特徴とする請求項１０に記載の端末デバイスのスケジューリング方法。
【請求項２０】
ネットワークデバイスが端末デバイスのサービス要求メッセージを受信することと、
前記ネットワークデバイスが前記サービス要求メッセージに基づいて第１構成情報を確定することと、
前記ネットワークデバイスが前記端末デバイスに前記第１構成情報を送信することとを含み、
前記サービス要求メッセージは、前記端末デバイスが実行する事前スケジューリングサービスの実行時刻及び前記事前スケジューリングサービスに伝送するデータの大きさを示すために用いられ、
前記第１構成情報は、前記端末デバイスが前記事前スケジューリングサービスを実行する時に使用する時間領域リソース及び周波数領域リソースを示すために用いられる
ことを特徴とする端末デバイスのスケジューリング方法。
【請求項２１】
前記事前スケジューリングサービスが周期的なサービスであり、
前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、
前記端末デバイスが前記複数の時刻の少なくとも２つの時刻に前記事前スケジューリングサービスを実行する時に使用する周波数領域リソースが異なる
ことを特徴とする請求項２０に記載の端末デバイスのスケジューリング方法。
【請求項２２】
前記事前スケジューリングサービスが非周期的なサービスであり、
前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、
前記端末デバイスが各時刻に前記事前スケジューリングサービスを実行する時に使用する周波数領域リソースが同じである
ことを特徴とする請求項２０に記載の端末デバイスのスケジューリング方法。
【請求項２３】
前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる
ことを特徴とする請求項２０に記載の端末デバイスのスケジューリング方法。
【請求項２４】
前記ネットワークデバイスが前記端末デバイスに前記第１構成情報を送信した後、前記方法は、さらに、
前記ネットワークデバイスが前記端末デバイスに第２構成情報を送信することを含み、
前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる
ことを特徴とする請求項２０〜２３のいずれか１項に記載の端末デバイスのスケジューリング方法。
【請求項２５】
前記第１構成情報は、前記ネットワークデバイスが上位層シグナリング又は物理層シグナリングにより送信したものである
ことを特徴とする請求項２０〜２４のいずれか１項に記載の端末デバイスのスケジューリング方法。
【請求項２６】
前記第１構成情報は、時間領域リソース指示情報及び周波数領域リソース指示情報を含み、
前記時間領域リソース指示情報は、前記ネットワークデバイスが上位層シグナリングにより送信したものであり、前記周波数領域リソース構成情報は、前記ネットワークデバイスが物理層シグナリングにより送信したものである
ことを特徴とする請求項２０〜２４のいずれか１項に記載の端末デバイスのスケジューリング方法。
【請求項２７】
前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記方法は、さらに、
前記ネットワークデバイスが前記端末デバイスにスケジューリング情報を送信することを含み、
前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられる
ことを特徴とする請求項２０に記載の端末デバイスのスケジューリング方法。
【請求項２８】
端末デバイスがネットワークデバイスにサービス要求メッセージを送信することと、
前記端末デバイスが前記ネットワークデバイスにより送信された第１構成情報を受信することと、
前記端末デバイスが前記第１構成情報に示す時間領域リソース及び周波数領域リソースにおいて事前スケジューリングサービスを実行することとを含み、
前記サービス要求メッセージは、前記端末デバイスが実行する事前スケジューリングサービスの実行時刻及び前記事前スケジューリングサービスに伝送するデータの大きさを示すために用いられ、
前記第１構成情報は、前記端末デバイスが前記事前スケジューリングサービスを実行する時に使用する時間領域リソース及び周波数領域リソースを示すために用いられる
ことを特徴とする端末デバイスのスケジューリング方法。
【請求項２９】
前記事前スケジューリングサービスが周期的なサービスであり、
前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、
前記端末デバイスが前記複数の時刻の少なくとも２つの時刻に前記事前スケジューリングサービスを実行する時に使用する周波数領域リソースが異なる
ことを特徴とする請求項２８に記載の端末デバイスのスケジューリング方法。
【請求項３０】
前記事前スケジューリングサービスが非周期的なサービスであり、
前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、
前記端末デバイスが各時刻に前記事前スケジューリングサービスを実行する時に使用する周波数領域リソースが同じである
ことを特徴とする請求項２８に記載の端末デバイスのスケジューリング方法。
【請求項３１】
前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる
ことを特徴とする請求項２８に記載の端末デバイスのスケジューリング方法。
【請求項３２】
前記端末デバイスが前記ネットワークデバイスにより送信された前記第１構成情報を受信した後、前記方法は、さらに、
前記端末デバイスが前記端末デバイスにより送信された第２構成情報を受信することを含み、
前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる
ことを特徴とする請求項２８〜３１のいずれか１項に記載の端末デバイスのスケジューリング方法。
【請求項３３】
前記第１構成情報は、前記端末デバイスが上位層シグナリング又は物理層シグナリングにより受信したものである
ことを特徴とする請求項２８〜３２のいずれか１項に記載の端末デバイスのスケジューリング方法。
【請求項３４】
前記第１構成情報は、時間領域リソース指示情報及び周波数領域リソース指示情報を含み、
前記時間領域リソース指示情報は、前記端末デバイスが上位層シグナリングにより受信したものであり、前記周波数領域リソース構成情報は、前記端末デバイスが物理層シグナリングにより受信したものである
ことを特徴とする請求項２８〜３２のいずれか１項に記載の端末デバイスのスケジューリング方法。
【請求項３５】
前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記方法は、さらに、
前記端末デバイスが前記ネットワークデバイスにより送信されたスケジューリング情報を受信することを含み、
前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられる
ことを特徴とする請求項２８に記載の端末デバイスのスケジューリング方法。
【請求項３６】
第１構成情報を確定するように構成される確定モジュールと、
端末デバイスに前記第１構成情報を送信するように構成される送信モジュールとを含み、
前記第１構成情報は、前記端末デバイスが事前スケジューリングサービスを実行する時に使用する時間領域リソース及び周波数領域リソースを示すために用いられる
ことを特徴とするネットワークデバイス。
【請求項３７】
前記事前スケジューリングサービスが周期的なサービスであり、
前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、
前記端末デバイスが前記複数の時刻の少なくとも２つの時刻に前記事前スケジューリングサービスを実行する時に使用する周波数領域リソースが異なる
ことを特徴とする請求項３６に記載のネットワークデバイス。
【請求項３８】
前記事前スケジューリングサービスが非周期的なサービスであり、
前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、
前記端末デバイスが各時刻に前記事前スケジューリングサービスを実行する時に使用する周波数領域リソースが同じである
ことを特徴とする請求項３６に記載のネットワークデバイス。
【請求項３９】
前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる
ことを特徴とする請求項３６に記載のネットワークデバイス。
【請求項４０】
前記送信モジュールは、さらに、
前記第１構成情報を送信した後、前記端末デバイスに第２構成情報を送信するように構成され、
前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる
ことを特徴とする請求項３６〜３９のいずれか１項に記載のネットワークデバイス。
【請求項４１】
前記第１構成情報は、前記送信モジュールが上位層シグナリング又は物理層シグナリングにより送信したものである
ことを特徴とする請求項３６〜４０のいずれか１項に記載のネットワークデバイス。
【請求項４２】
前記第１構成情報は、時間領域リソース指示情報及び周波数領域リソース指示情報を含み、
前記時間領域リソース指示情報は、前記送信モジュールが上位層シグナリングにより送信したものであり、前記周波数領域リソース構成情報は、前記送信モジュールが物理層シグナリングにより送信したものである
ことを特徴とする請求項３６〜４０のいずれか１項に記載のネットワークデバイス。
【請求項４３】
前記ネットワークデバイスは、さらに、受信モジュールを含み、
前記受信モジュールは、前記端末デバイスのサービス要求メッセージを受信するように構成され、
前記確定モジュールは、具体的に、前記サービス要求メッセージに基づいて前記第１構成情報を確定するように構成され、
前記サービス要求メッセージは、前記端末デバイスが実行する前記事前スケジューリングサービスの実行時刻及び前記事前スケジューリングサービスに伝送するデータの大きさを示すために用いられる
ことを特徴とする請求項３６〜４２のいずれか１項に記載のネットワークデバイス。
【請求項４４】
前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、
前記送信モジュールは、さらに、
前記端末デバイスにスケジューリング情報を送信するように構成され、
前記スケジューリング情報は、前記端末デバイスが前記複数の指示情報の１つの指示情報に基づいて、前記事前スケジューリングサービスを実行する時に使用する時間領域リソース及び周波数領域リソースを確定するように指示するために用いられる
ことを特徴とする請求項３６に記載のネットワークデバイス。
【請求項４５】
ネットワークデバイスにより送信された第１構成情報を受信するように構成される受信モジュールと、
前記第１構成情報に示す時間領域リソース及び周波数領域リソースにおいて事前スケジューリングサービスを実行するように構成される実行モジュールとを含み、
前記第１構成情報は、前記端末デバイスが前記事前スケジューリングサービスを実行する時に使用する時間領域リソース及び周波数領域リソースを示すために用いられる
ことを特徴とする端末デバイス。
【請求項４６】
前記事前スケジューリングサービスが周期的なサービスであり、
前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、
前記端末デバイスが前記複数の時刻の少なくとも２つの時刻に前記事前スケジューリングサービスを実行する時に使用する周波数領域リソースが異なる
ことを特徴とする請求項４５に記載の端末デバイス。
【請求項４７】
前記事前スケジューリングサービスが非周期的なサービスであり、
前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、
前記端末デバイスが各時刻に前記事前スケジューリングサービスを実行する時に使用する周波数領域リソースが同じである
ことを特徴とする請求項４５に記載の端末デバイス。
【請求項４８】
前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる
ことを特徴とする請求項４５に記載の端末デバイス。
【請求項４９】
前記受信モジュールは、さらに、
前記ネットワークデバイスにより送信された第１構成情報を受信した後、前記ネットワークデバイスにより送信された第２構成情報を受信するように構成され、
前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる
ことを特徴とする請求項４５〜４８のいずれか１項に記載の端末デバイス。
【請求項５０】
前記第１構成情報は、前記受信モジュールが上位層シグナリング又は物理層シグナリングにより受信したものである
ことを特徴とする請求項４５〜４９のいずれか１項に記載の端末デバイス。
【請求項５１】
前記第１構成情報は、時間領域リソース指示情報及び周波数領域リソース指示情報を含み、
前記時間領域リソース指示情報は、前記受信モジュールが上位層シグナリングにより受信したものであり、前記周波数領域リソース構成情報は、前記受信モジュールが物理層シグナリングにより受信したものである
ことを特徴とする請求項４５〜４９のいずれか１項に記載の端末デバイス。
【請求項５２】
前記端末デバイスは、さらに、送信モジュールを含み、
前記送信モジュールは、前記ネットワークデバイスにサービス要求メッセージを送信するように構成され、
前記サービス要求メッセージは、前記端末デバイスが実行する前記事前スケジューリングサービスの実行時刻及び前記事前スケジューリングサービスに伝送するデータの大きさを示すために用いられる
ことを特徴とする請求項４５〜５１のいずれか１項に記載の端末デバイス。
【請求項５３】
前記第１構成情報は、前記サービス要求メッセージに基づいて確定されたものである
ことを特徴とする請求項５２に記載の端末デバイス。
【請求項５４】
前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、
前記受信モジュールは、さらに、前記ネットワークデバイスにより送信されたスケジューリング情報を受信するように構成され、
前記確定モジュールは、具体的に、前記スケジューリング情報内の第１指示情報に基づいて、前記事前スケジューリングサービスを実行する時に使用する時間領域リソース及び周波数領域リソースを確定するように構成され、
前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられる
ことを特徴とする請求項４５に記載の端末デバイス。
【請求項５５】
端末デバイスのサービス要求メッセージを受信するように構成される受信モジュールと、
前記サービス要求メッセージに基づいて第１構成情報を確定するように構成される確定モジュールと、
前記端末デバイスに前記第１構成情報を送信するように構成される送信モジュールとを含み、
前記サービス要求メッセージは、前記端末デバイスが実行する事前スケジューリングサービスの実行時刻及び前記事前スケジューリングサービスに伝送するデータの大きさを示すために用いられ、
前記第１構成情報は、前記端末デバイスが前記事前スケジューリングサービスを実行する時に使用する時間領域リソース及び周波数領域リソースを示すために用いられる
ことを特徴とするネットワークデバイス。
【請求項５６】
前記事前スケジューリングサービスが周期的なサービスであり、
前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、
前記端末デバイスが前記複数の時刻の少なくとも２つの時刻に前記事前スケジューリングサービスを実行する時に使用する周波数領域リソースが異なる
ことを特徴とする請求項５５に記載のネットワークデバイス。
【請求項５７】
前記事前スケジューリングサービスが非周期的なサービスであり、
前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、
前記端末デバイスが各時刻に前記事前スケジューリングサービスを実行する時に使用する周波数領域リソースが同じである
ことを特徴とする請求項５５に記載のネットワークデバイス。
【請求項５８】
前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる
ことを特徴とする請求項５５に記載のネットワークデバイス。
【請求項５９】
前記送信モジュールは、さらに、
前記端末デバイスに第２構成情報を送信するように構成され、
前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる
ことを特徴とする請求項５５〜５８のいずれか１項に記載のネットワークデバイス。
【請求項６０】
前記第１構成情報は、前記送信モジュールが上位層シグナリング又は物理層シグナリングにより送信したものである
ことを特徴とする請求項５５〜５９のいずれか１項に記載のネットワークデバイス。
【請求項６１】
前記第１構成情報は、時間領域リソース指示情報及び周波数領域リソース指示情報を含み、
前記時間領域リソース指示情報は、前記送信モジュールが上位層シグナリングにより送信したものであり、前記周波数領域リソース構成情報は、前記送信モジュールが物理層シグナリングにより送信したものである
ことを特徴とする請求項５５〜５９のいずれか１項に記載のネットワークデバイス。
【請求項６２】
前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、
前記送信モジュールは、さらに、
前記端末デバイスにスケジューリング情報を送信するように構成され、
前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられる
ことを特徴とする請求項５５に記載のネットワークデバイス。
【請求項６３】
ネットワークデバイスにサービス要求メッセージを送信するように構成される送信モジュールと、
前記ネットワークデバイスにより送信された第１構成情報を受信するように構成される受信モジュールと、
前記第１構成情報に示す時間領域リソース及び周波数領域リソースにおいて事前スケジューリングサービスを実行するように構成される実行モジュールとを含み、
前記サービス要求メッセージは、前記端末デバイスが実行する事前スケジューリングサービスの実行時刻及び前記事前スケジューリングサービスに伝送するデータの大きさを示すために用いられ、
前記第１構成情報は、前記端末デバイスが前記事前スケジューリングサービスを実行する時に使用する時間領域リソース及び周波数領域リソースを示すために用いられる
ことを特徴とする端末デバイス。
【請求項６４】
前記事前スケジューリングサービスが周期的なサービスであり、
前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、
前記端末デバイスが前記複数の時刻の少なくとも２つの時刻に前記事前スケジューリングサービスを実行する時に使用する周波数領域リソースが異なる
ことを特徴とする請求項６３に記載の端末デバイス。
【請求項６５】
前記事前スケジューリングサービスが非周期的なサービスであり、
前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、
前記端末デバイスが各時刻に前記事前スケジューリングサービスを実行する時に使用する周波数領域リソースが同じである
ことを特徴とする請求項６３に記載の端末デバイス。
【請求項６６】
前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる
ことを特徴とする請求項６３に記載の端末デバイス。
【請求項６７】
前記受信モジュールは、具体的に、
前記ネットワークデバイスにより送信された前記第１構成情報を受信した後、前記端末デバイスにより送信された第２構成情報を受信するように構成され、
前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる
ことを特徴とする請求項６３〜６６のいずれか１項に記載の端末デバイス。
【請求項６８】
前記第１構成情報は、前記受信モジュールが上位層シグナリング又は物理層シグナリングにより受信したものである
ことを特徴とする請求項６３〜６７のいずれか１項に記載の端末デバイス。
【請求項６９】
前記第１構成情報は、時間領域リソース指示情報及び周波数領域リソース指示情報を含み、
前記時間領域リソース指示情報は、前記受信モジュールが上位層シグナリングにより受信したものであり、前記周波数領域リソース構成情報は、前記受信モジュールが物理層シグナリングにより受信したものである
ことを特徴とする請求項６３〜６７のいずれか１項に記載の端末デバイス。
【請求項７０】
前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、
前記受信モジュールは、さらに、
前記ネットワークデバイスにより送信されたスケジューリング情報を受信するように構成され、
前記実行モジュールは、具体的に、前記スケジューリング情報内の第１指示情報に基づいて、前記事前スケジューリングサービスを実行する時に使用する時間領域リソース及び周波数領域リソースを確定するように構成され、
前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられる
ことを特徴とする請求項６３に記載の端末デバイス。
【発明の詳細な説明】
【技術分野】
【０００１】
本発明の実施例は、通信分野に関し、具体的に、端末デバイスのスケジューリング方法、ネットワークデバイス及び端末デバイスに関する。
【背景技術】
【０００２】
ネットワークデバイスが従来のスケジューリング方法を使用し、端末デバイスが事前スケジューリングサービスを実行ようにスケジューリングする場合、その柔軟性が良くない。例えば、スケジューリングされたサービスと他のサービスとの競合が発生した場合、スケジューリングプロセスの全体を再実行する必要があり、その柔軟性が良くない。そして、柔軟性の良い端末デバイスに対するスケジューリング方法が必要となる。
【発明の概要】
【０００３】
本発明の実施例は、スケジューリングの柔軟性を向上させることができる端末デバイスのスケジューリング方法を提供する。
【０００４】
第１形態は、端末デバイスのスケジューリング方法を提供し、ネットワークデバイスが第１構成情報を確定することと、前記ネットワークデバイスが端末デバイスに前記第１構成情報を送信することとを含み、前記第１構成情報は、前記端末デバイスが事前スケジューリングサービスを実行する時に使用する時間領域リソース及び周波数領域リソースを示すために用いられる。
【０００５】
端末デバイスが事前スケジューリングサービスを実行する時に使用する時間領域リソース及び周波数領域リソースを第１構成情報により示すことは、従来の技術において端末デバイスが実行する事前スケジューリングサービスの伝送周期及び周波数領域リソースのみを示すことと比べ、端末デバイスが事前スケジューリングサービスを実行するように柔軟的にスケジューリングすることができる。
【０００６】
第１形態を結合し、第１形態のある実現方式において、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、前記端末デバイスが前記複数の時刻の少なくとも２つの時刻に前記事前スケジューリングサービスを実行する時に使用する周波数領域リソースが異なる。
【０００７】
第１形態を結合し、第１形態のある実現方式において、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、前記端末デバイスが各時刻に前記事前スケジューリングサービスを実行する時に使用する周波数領域リソースが同じである。
【０００８】
第１形態を結合し、第１形態のある実現方式において、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【０００９】
第１形態を結合し、第１形態のある実現方式において、前記ネットワークデバイスが前記端末デバイスに前記第１構成情報を送信した後、前記方法は、さらに、前記ネットワークデバイスが前記端末デバイスに第２構成情報を送信することを含み、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【００１０】
第１形態を結合し、第１形態のある実現方式において、前記第１構成情報は、前記ネットワークデバイスが上位層シグナリング又は物理層シグナリングにより送信したものである。
【００１１】
第１形態を結合し、第１形態のある実現方式において、前記第１構成情報は、時間領域リソース指示情報及び周波数領域リソース指示情報を含み、前記時間領域リソース指示情報は、前記ネットワークデバイスが上位層シグナリングにより送信したものであり、前記周波数領域リソース構成情報は、前記ネットワークデバイスが物理層シグナリングにより送信したものである。
【００１２】
第１形態を結合し、第１形態のある実現方式において、前記方法は、さらに、前記ネットワークデバイスが前記端末デバイスのサービス要求メッセージを受信することを含み、前記サービス要求メッセージは、前記端末デバイスが実行する前記事前スケジューリングサービスの実行時刻及び前記事前スケジューリングサービスに伝送するデータの大きさを示すために用いられ、前記ネットワークデバイスが第１構成情報を確定することは、前記ネットワークデバイスが前記サービス要求メッセージに基づいて前記第１構成情報を確定することを含む。
【００１３】
第１形態を結合し、第１形態のある実現方式において、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記方法は、さらに、前記ネットワークデバイスが前記端末デバイスにスケジューリング情報を送信することを含み、前記スケジューリング情報は、前記端末デバイスが前記複数の指示情報の１つの指示情報に基づいて、前記事前スケジューリングサービスを実行する時に使用する時間領域リソース及び周波数領域リソースを確定するように指示するために用いられる。
【００１４】
第２形態は、端末デバイスのスケジューリング方法を提供し、端末デバイスがネットワークデバイスにより送信された第１構成情報を受信することと、前記端末デバイスが前記第１構成情報に示す時間領域リソース及び周波数領域リソースにおいて事前スケジューリングサービスを実行することとを含み、前記第１構成情報は、前記端末デバイスが事前スケジューリングサービスを実行する時に使用する時間領域リソース及び周波数領域リソースを示すために用いられる。
【００１５】
端末デバイスが事前スケジューリングサービスを実行する時に使用する時間領域リソース及び周波数領域リソースを第１構成情報により示すことは、従来の技術において端末デバイスが実行する事前スケジューリングサービスの伝送周期及び周波数領域リソースのみを示すことと比べ、端末デバイスが事前スケジューリングサービスを実行するように柔軟的にスケジューリングすることができる。
【００１６】
第２形態を結合し、第２形態のある実現方式において、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、前記端末デバイスが前記複数の時刻の少なくとも２つの時刻に前記事前スケジューリングサービスを実行する時に使用する周波数領域リソースが異なる。
【００１７】
第２形態を結合し、第２形態のある実現方式において、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、前記端末デバイスが各時刻に前記事前スケジューリングサービスを実行する時に使用する周波数領域リソースが同じである。
【００１８】
第２形態を結合し、第２形態のある実現方式において、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【００１９】
第２形態を結合し、第２形態のある実現方式において、前記端末デバイスがネットワークデバイスにより送信された第１構成情報を受信した後、前記方法は、さらに、前記端末デバイスが前記ネットワークデバイスにより送信された第２構成情報を受信することを含み、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【００２０】
第２形態を結合し、第２形態のある実現方式において、前記第１構成情報は、前記端末デバイスが上位層シグナリング又は物理層シグナリングにより受信したものである。
【００２１】
第２形態を結合し、第２形態のある実現方式において、前記第１構成情報は、時間領域リソース指示情報及び周波数領域リソース指示情報を含み、前記時間領域リソース指示情報は、前記端末デバイスが上位層シグナリングにより受信したものであり、前記周波数領域リソース構成情報は、前記端末デバイスが物理層シグナリングにより受信したものである。
【００２２】
第２形態を結合し、第２形態のある実現方式において、前記方法は、さらに、前記端末デバイスが前記ネットワークデバイスにサービス要求メッセージを送信することを含み、前記サービス要求メッセージは、前記端末デバイスが実行する前記事前スケジューリングサービスの実行時刻及び前記事前スケジューリングサービスに伝送するデータの大きさを示すために用いられる。
【００２３】
第２形態を結合し、第２形態のある実現方式において、前記第１構成情報は、前記サービス要求メッセージに基づいて確定されたものである。
【００２４】
第２形態を結合し、第２形態のある実現方式において、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記方法は、さらに、前記端末デバイスが前記ネットワークデバイスにより送信されたスケジューリング情報を受信することと、前記端末デバイスが前記スケジューリング情報内の第１指示情報に基づいて、前記事前スケジューリングサービスを実行する時に使用する時間領域リソース及び周波数領域リソースを確定することとを含み、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられる。
【００２５】
第３形態は、端末デバイスのスケジューリング方法を提供し、ネットワークデバイスが端末デバイスのサービス要求メッセージを受信することと、前記ネットワークデバイスが前記サービス要求メッセージに基づいて第１構成情報を確定することと、前記ネットワークデバイスが前記端末デバイスに前記第１構成情報を送信することとを含み、前記サービス要求メッセージは、前記端末デバイスが実行する事前スケジューリングサービスの実行時刻及び前記事前スケジューリングサービスに伝送するデータの大きさを示すために用いられ、前記第１構成情報は、前記端末デバイスが前記事前スケジューリングサービスを実行する時に使用する時間領域リソース及び周波数領域リソースを示すために用いられる。
【００２６】
ネットワークデバイスが端末デバイスにより送信されたサービス要求メッセージに基づいて、端末デバイスが事前スケジューリングサービスを実行する時に使用する時間領域リソース及び周波数領域リソースを合理的に確定することができ、これによって、端末デバイスが事前スケジューリングサービスを良く実行することができる。
【００２７】
第３形態を結合し、第３形態のある実現方式において、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、前記端末デバイスが前記複数の時刻の少なくとも２つの時刻に前記事前スケジューリングサービスを実行する時に使用する周波数領域リソースが異なる。
【００２８】
第３形態を結合し、第３形態のある実現方式において、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、前記端末デバイスが各時刻に前記事前スケジューリングサービスを実行する時に使用する周波数領域リソースが同じである。
【００２９】
第３形態を結合し、第３形態のある実現方式において、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【００３０】
第３形態を結合し、第３形態のある実現方式において、前記ネットワークデバイスが前記端末デバイスに前記第１構成情報を送信した後、前記方法は、さらに、前記ネットワークデバイスが前記端末デバイスに第２構成情報を送信することを含み、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【００３１】
第３形態を結合し、第３形態のある実現方式において、前記第１構成情報は、前記ネットワークデバイスが上位層シグナリング又は物理層シグナリングにより送信したものである。
【００３２】
第３形態を結合し、第３形態のある実現方式において、前記第１構成情報は、時間領域リソース指示情報及び周波数領域リソース指示情報を含み、前記時間領域リソース指示情報は、前記ネットワークデバイスが上位層シグナリングにより送信したものであり、前記周波数領域リソース構成情報は、前記ネットワークデバイスが物理層シグナリングにより送信したものである。
【００３３】
第３形態を結合し、第３形態のある実現方式において、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記方法は、さらに、前記ネットワークデバイスが前記端末デバイスにスケジューリング情報を送信することを含み、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられる。
【００３４】
第４形態は、端末デバイスのスケジューリング方法を提供し、端末デバイスがネットワークデバイスにサービス要求メッセージを送信することと、前記端末デバイスが前記ネットワークデバイスにより送信された第１構成情報を受信することと、前記端末デバイスが前記第１構成情報に示す時間領域リソース及び周波数領域リソースにおいて前記事前スケジューリングサービスを実行することとを含み、前記サービス要求メッセージは、前記端末デバイスが実行する事前スケジューリングサービスの実行時刻及び前記事前スケジューリングサービスに伝送するデータの大きさを示すために用いられ、前記第１構成情報は、前記端末デバイスが前記事前スケジューリングサービスを実行する時に使用する時間領域リソース及び周波数領域リソースを示すために用いられる。
【００３５】
ネットワークデバイスが端末デバイスにより送信されたサービス要求メッセージに基づいて、端末デバイスが事前スケジューリングサービスを実行する時に使用する時間領域リソース及び周波数領域リソースを合理的に確定することができ、これによって、端末デバイスが事前スケジューリングサービスを良く実行することができる。
【００３６】
第４形態を結合し、第４形態のある実現方式において、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、前記端末デバイスが前記複数の時刻の少なくとも２つの時刻に前記事前スケジューリングサービスを実行する時に使用する周波数領域リソースが異なる。
【００３７】
第４形態を結合し、第４形態のある実現方式において、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、前記端末デバイスが各時刻に前記事前スケジューリングサービスを実行する時に使用する周波数領域リソースが同じである。
【００３８】
第４形態を結合し、第４形態のある実現方式において、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【００３９】
第４形態を結合し、第４形態のある実現方式において、前記端末デバイスが前記ネットワークデバイスにより送信された前記第１構成情報を受信した後、前記方法は、さらに、前記端末デバイスが前記端末デバイスにより送信された第２構成情報を受信することを含み、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【００４０】
第４形態を結合し、第４形態のある実現方式において、前記第１構成情報は、前記端末デバイスが上位層シグナリング又は物理層シグナリングにより受信したものである。
【００４１】
第４形態を結合し、第４形態のある実現方式において、前記第１構成情報は、時間領域リソース指示情報及び周波数領域リソース指示情報を含み、前記時間領域リソース指示情報は、前記端末デバイスが上位層シグナリングにより受信したものであり、前記周波数領域リソース構成情報は、前記端末デバイスが物理層シグナリングにより受信したものである。
【００４２】
第４形態を結合し、第４形態のある実現方式において、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記方法は、さらに、前記端末デバイスが前記ネットワークデバイスにより送信されたスケジューリング情報を受信することを含み、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられる。
【００４３】
第５形態は、ネットワークデバイスを提供し、前記ネットワークデバイスは前記第１形態の方法を実行するためのモジュールを含む。
【００４４】
第６形態は、端末デバイスを提供し、前記端末デバイスは前記第２形態の方法を実行するためのモジュールを含む。
【００４５】
第７形態は、ネットワークデバイスを提供し、前記ネットワークデバイスは前記第３形態の方法を実行するためのモジュールを含む。
【００４６】
第８形態は、端末デバイスを提供し、前記端末デバイスは前記第４形態の方法を実行するためのモジュールを含む。
【００４７】
第９形態は、ネットワークデバイスを提供し、メモリ、送受信機及びプロセッサーを含み、前記メモリにプログラムが記憶され、前記プロセッサーがプログラムを実行し、前記プログラムが実行される場合、前記プロセッサーと前記送受信機とが前記第１形態の方法を実行する。
【００４８】
第１０形態は、端末デバイスを提供し、メモリ、送受信機及びプロセッサーを含み、前記メモリにプログラムが記憶され、前記プロセッサーがプログラムを実行し、前記プログラムが実行される場合、前記プロセッサーと前記送受信機とが前記第２形態の方法を実行する。
【００４９】
第１１形態は、ネットワークデバイスを提供し、メモリ、送受信機及びプロセッサーを含み、前記メモリにプログラムが記憶され、前記プロセッサーがプログラムを実行し、前記プログラムが実行される場合、前記プロセッサーと前記送受信機とが前記第３形態の方法を実行する。
【００５０】
第１２形態は、端末デバイスを提供し、メモリ、送受信機及びプロセッサーを含み、前記メモリにプログラムが記憶され、前記プロセッサーがプログラムを実行し、前記プログラムが実行される場合、前記プロセッサーと前記送受信機とが前記第４形態の方法を実行する。
【００５１】
第１３形態は、コンピュータ可読媒体を提供し、前記コンピュータ可読媒体にはデバイスの実行するプログラムコードが記憶され、前記プログラムコードが第１形態の方法を実行するための命令を含む。
【００５２】
第１４形態は、コンピュータ可読媒体を提供し、前記コンピュータ可読媒体にはデバイスの実行するプログラムコードが記憶され、前記プログラムコードが第２形態の方法を実行するための命令を含む。
【００５３】
第１５形態は、コンピュータ可読媒体を提供し、前記コンピュータ可読媒体にはデバイスの実行するプログラムコードが記憶され、前記プログラムコードが第３形態の方法を実行するための命令を含む。
【００５４】
第１６形態は、コンピュータ可読媒体を提供し、前記コンピュータ可読媒体にはデバイスの実行するプログラムコードが記憶され、前記プログラムコードが第４形態の方法を実行するための命令を含む。
【００５５】
第１７形態は、システムチップを提供し、当該システムチップが入力インターフェース、出力インターフェース、プロセッサー及びメモリを含み、当該プロセッサーが当該メモリ内のコードを実行し、当該コードが実行される場合、当該プロセッサーが上記の第１形態のネットワークデバイスにより実行される各プロセスを実現する。
【００５６】
第１８形態は、システムチップを提供し、当該システムチップが入力インターフェース、出力インターフェース、プロセッサー及びメモリを含み、当該プロセッサーが当該メモリ内のコードを実行し、当該コードが実行される場合、当該プロセッサーが上記の第２形態のネットワークデバイスにより実行される各プロセスを実現する。
【００５７】
第１９形態は、システムチップを提供し、当該システムチップが入力インターフェース、出力インターフェース、プロセッサー及びメモリを含み、当該プロセッサーが当該メモリ内のコードを実行し、当該コードが実行される場合、当該プロセッサーが上記の第３形態のネットワークデバイスにより実行される各プロセスを実現する。
【００５８】
第２０形態は、システムチップを提供し、当該システムチップが入力インターフェース、出力インターフェース、プロセッサー及びメモリを含み、当該プロセッサーが当該メモリ内のコードを実行し、当該コードが実行される場合、当該プロセッサーが上記の第４形態のネットワークデバイスにより実行される各プロセスを実現する。
【図面の簡単な説明】
【００５９】
【図１】本発明の実施例の応用可能なシーンの模式図である。
【図２】本発明の実施例における端末デバイスのスケジューリング方法のフローチャートである。
【図３】本発明の実施例における端末デバイスのスケジューリング方法のフローチャートである。
【図４】本発明の実施例における端末デバイスのスケジューリング方法のフローチャートである。
【図５】本発明の実施例における端末デバイスのスケジューリング方法のフローチャートである。
【図６】本発明の実施例におけるネットワークデバイスのブロック図である。
【図７】本発明の実施例における端末デバイスのブロック図である。
【図８】本発明の実施例におけるネットワークデバイスのブロック図である。
【図９】本発明の実施例における端末デバイスのブロック図である。
【図１０】本発明の実施例におけるネットワークデバイスのブロック図である。
【図１１】本発明の実施例における端末デバイスのブロック図である。
【図１２】本発明の実施例におけるネットワークデバイスのブロック図である。
【図１３】本発明の実施例における端末デバイスのブロック図である。
【図１４】本発明の実施例におけるシステムチップのブロック図である。
【図１５】本発明の実施例におけるシステムチップのブロック図である。
【図１６】本発明の実施例におけるシステムチップのブロック図である。
【図１７】本発明の実施例におけるシステムチップのブロック図である。
【発明を実施するための形態】
【００６０】
以下、本発明の実施例の図面を参照し、本発明の実施例の技術案を説明する。
【００６１】
なお、本発明の実施例における端末デバイスのスケジューリング方法は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）等の従来の通信システム、時に、将来の５Ｇ通信システムなどに応用されることができる。
【００６２】
特に、本発明の実施例の技術案は、非直交多重アクセス技術に基づく各通信システム、例えば散在符号多重接続（ＳＣＭＡ：Ｓｐａｒｓｅ  Ｃｏｄｅ  Ｍｕｌｔｉｐｌｅ  Ａｃｃｅｓｓ）システム、低密度シグネチャ（ＬＤＳ：Ｌｏｗ  Ｄｅｎｓｉｔｙ  Ｓｉｇｎａｔｕｒｅ）システム等などに応用されることができ、当然、ＳＣＭＡシステムやＬＤＳシステムが通信分野において他の名前と言われてもよく、さらに、本発明の実施例の技術案は、非直交多重アクセス技術を採用するマルチキャリア伝送システム、例えば非直交多重アクセス技術を採用する直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルターバンクマルチキャリア  （ＦＢＭＣ：Ｆｉｌｔｅｒ  Ｂａｎｋ  Ｍｕｌｔｉ−Ｃａｒｒｉｅｒ）、通用周波数分割多重化（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ−ＯＦＤＭ（Ｆ−ＯＦＤＭ：Ｆｉｌｔｅｒｅｄ−ＯＦＤＭ）システムなどに応用されることができる。
【００６３】
本発明の実施例におけるネットワークデバイスは端末デバイスと通信するためのデバイスであっても良く、例えばＧＳＭシステム又はＣＤＭＡにおける基地局（ＢＴＳ：Ｂａｓｅ  Ｔｒａｎｓｃｅｉｖｅｒ  Ｓｔａｔｉｏｎ）、ＷＣＤＭＡシステムにおける基地局（ＮＢ：ＮｏｄｅＢ）、ＬＴＥシステムにおける進化型基地局（ｅＮＢ又はｅＮｏｄｅＢ：Ｅｖｏｌｕｔｉｏｎａｌ  ＮｏｄｅＢ）、クラウド無線アクセスネットワーク（ＣＲＡＮ：Ｃｌｏｕｄ  Ｒａｄｉｏ  Ａｃｃｅｓｓ  Ｎｅｔｗｏｒｋ）の無線コントローラであってよく、又は該基地局は中継局、アクセスポイント、車載デバイス、ウェアラブルデバイス及び将来の５Ｇネットワークにおけるネットワーク側デバイス、又は将来進化型公衆移動通信網ＰＬＭＮおけるネットワークデバイスなどであっても良く、本発明の実施例がこれに限定されない。
【００６４】
本発明の実施例における端末デバイスは、ユーザデバイス（ＵＥ：Ｕｓｅｒ  Ｅｑｕｉｐｍｅｎｔ）、アクセス端末、ユーザユニット、ユーザステーション、移動ステーション、移動局、遠隔局、遠隔端末、移動デバイス、ユーザ端末、端末、無線通信デバイス、ユーザエージェント又はユーザ装置と指しても良い。アクセス端末はセルラー電話、無線電話、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレス・ローカル・ループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を有する携帯デバイス、計算デバイス又は無線変調復調器に接続するその他のデバイス、車載デバイス、ウェアラブルデバイス、および将来の５Ｇネットワークにおける端末デバイス、又は将来進化型公衆移動通信網（ＰＬＭＮ：Ｐｕｂｌｉｃ  Ｌａｎｄ  Ｍｏｂｉｌｅ  Ｎｅｔｗｏｒｋ）おける端末デバイスなどであっても良く、本発明の実施例がこれに限定されない。
【００６５】
本発明の実施例における端末デバイスのスケジューリング方法、ネットワークデバイス及び端末デバイスをよく理解するために、以下、図１を参照し本発明の実施例の応用可能なシーンを説明する。
【００６６】
図１は本発明の実施例の応用可能なシーンの模式図である。図１に示す通信システムがネットワークデバイス及び端末デバイスを含み、ネットワークデバイスがスケジューリング命令を使用し、端末デバイスが事前スケジューリングサービスを実行するようにスケジューリングすることができる。具体的に、ネットワークデバイスは、スケジューリング命令を使用し、端末デバイスが特定の時刻に対応する周波数領域リソースを使用して基地局にアップリンクデータを送信し、又は、端末デバイスが特定の時刻に対応する周波数領域リソースを使用して基地局からのダウンリンクデータを受信するようにスケジューリングする。
【００６７】
図２は本発明の実施例における端末デバイスのスケジューリング方法のフローチャートである。図２の方法は、２１０及び２２０を含み、
２１０において、ネットワークデバイスが第１構成情報を確定し、前記第１構成情報は、前記端末デバイスが事前スケジューリングサービスを実行する時に使用する時間領域リソース及び周波数領域リソースを示すために用いられる。
【００６８】
端末デバイスが事前スケジューリングサービスを実行する時に使用する時間領域リソース及び周波数領域リソースを上記の第１構成情報により示す方式は、複数の方式であってもよく、具体的に、端末デバイスが事前スケジューリングサービスを実行する時に使用する時間周波数リソースを上記の第１構成情報により示すことは、以下の３つの場合を含む。
【００６９】
第１の場合として、事前スケジューリングサービスが周期的なサービスであり、上記の第１構成情報は、事前スケジューリングサービスの伝送周期及び前記端末デバイスが複数の時刻の各時刻に事前スケジューリングサービスを実行する時に使用する周波数領域リソースを示すために用いられ、ここで、端末デバイスが複数の時刻の少なくとも２つの時刻に事前スケジューリングサービスを実行する時に使用する周波数領域リソースが異なる。
【００７０】
上記の周期的なサービスが、端末デバイスとネットワークデバイスとの間でデータを周期的に伝送するためのサービスであってもよく、例えば、スマートメーターが固定の周期でネットワークデバイスにユーザーの電力消費データを送信する。
【００７１】
事前スケジューリングサービスの伝送周期及び端末デバイスが複数の時刻の各時刻に事前スケジューリングサービスを実行する時に使用する周波数領域リソースを上記の第１構成情報により示す方式は、複数の方式であってもよい。例えば、第１構成情報が{Ｔ、Ｆ１、Ｆ２、Ｆ３…}であり、ここで、Ｔが事前スケジューリングサービスの伝送周期を示し、端末デバイスが事前スケジューリングサービスをＴの時間ごとに実行し、Ｆ１、Ｆ２、Ｆ３…は、端末デバイスが事前スケジューリングサービスを１回目、２回目、３回目…に実行する時に使用する周波数領域リソースをそれぞれ示す。
【００７２】
また、上記の第１構成情報が１つの周期情報及び１つのリスト情報からなり、当該周期情報が、事前スケジューリングサービスの伝送周期をＴとして示し、当該リスト情報が表１に示し、ここで、Ｆ１、Ｆ２、Ｆ３…は、端末デバイスが事前スケジューリングサービスを第１時刻、第２時刻、第３時刻…に実行する時に使用する周波数領域リソースをそれぞれ示し、ここで、第１時刻と第２時刻との時間間隔がＴ、第２時刻と第３時刻との時間間隔がＴである。第１時刻は、端末デバイスが当該第１構成情報を受信してから予め設定された時間間隔を経過した時刻であってもよく、予め設定された時間間隔の大きさが通信プロトコルにより確定されたものであってもよいし、端末デバイスとネットワークデバイスとが予め約定されたものであってもよい。また、端末デバイスが第１構成情報を受信してから事前スケジューリングサービスをすぐ実行せず、ネットワークデバイスにより送信されたトリガー情報を受信してから当該事前スケジューリングサービスをすぐに実行してもよい。
【表１】
2019537900.tif 000003
【００７３】
上記のリスト情報が表２に示したものであってもよく、表２に示すように、１、２、３は、端末デバイスが事前スケジューリングサービスを実行する第１時刻、第２時刻、第３時刻をそれぞれ示す。Ｆ１、Ｆ２、Ｆ３…は、端末デバイスが事前スケジューリングサービスを第１時刻、第２時刻、第３時刻…に実行する時に使用する周波数領域リソースをそれぞれ示す。
【表２】
2019537900.tif 000004
【００７４】
また、端末デバイスが事前スケジューリングサービスを異なる時刻に実行する周波数領域リソースは、周期的なものであってもよく、表３及び表４に示すように、第１時刻乃至第３時刻に対応する周波数領域リソースがＦ１、Ｆ２及びＦ３であり、第４時刻乃至第６時刻に対応する周波数領域リソースもＦ１、Ｆ２及びＦ３である。つまり、３つの周波数領域リソースを有し、端末デバイスが事前スケジューリングサービスを実行する時に使用する周波数領域リソースが３つの時刻ごとに繰り返す。周波数領域リソースを周期的に構成することで、周波数領域リソースを有効に利用し、周波数領域リソースの利用率を向上させることができる。
【表３】
2019537900.tif 000005
【表４】
2019537900.tif 000006
【００７５】
第１場合において、事前スケジューリングサービスが周期的なサービスである場合、端末デバイスの事前スケジューリングサービスの実行周期のみを第１構成情報により示し、端末デバイスの事前スケジューリングサービスの実行の各時刻を示す必要がなく、このように、スケジューリング端末デバイスが事前スケジューリングサービスを実行する際に、一定のシグナリングオーバーヘッドを節約することができる。
【００７６】
第２場合として、事前スケジューリングサービスが非周期的なサービスであり、上記の第１構成情報は、端末デバイスが事前スケジューリングサービスを実行する各時刻及び端末デバイスが事前スケジューリングサービスを実行する各時刻に使用する周波数領域リソースを示すために用いられ、ここで、端末デバイスが事前スケジューリングサービスを実行する各時刻に使用する周波数領域リソースが同じである。
【００７７】
上記の第１構成情報が２つの情報を含み、１つの情報は、端末デバイスが事前スケジューリングサービスを実行する特に使用する周波数領域リソースを示すために用いられ、もう１つの情報は、端末デバイスが事前スケジューリングサービスを実行する各時刻を示す。例えば、上記の第１構成情報が第１情報及び第２情報を含み、第１情報は、端末デバイスが周波数領域リソースＦ１を使用して事前スケジューリングサービスを実行するように示し、第２情報がリスト情報であり、表５に示すように、第２情報は、端末デバイスがＴ１、Ｔ２及びＴ３時刻に事前スケジューリングサービスをそれぞれ実行し、且つ、端末デバイスがＴ１、Ｔ２及びＴ３時刻に事前スケジューリングサービスを実行する時に使用する周波数領域リソースがともにＦ１であることを示す。
【表５】
2019537900.tif 000007
【００７８】
第３場合として、第１構成情報は、端末デバイスが事前スケジューリングサービスを実行する各時刻及び端末デバイスが事前スケジューリングサービスを各時刻に実行する時にそれぞれ使用する周波数領域リソースを示すために用いられる。
【００７９】
第３場合において、事前スケジューリングサービスは、周期的なサービスであってもよいし、非周期的なサービスであってもよく、つまり、周期的なサービスに関わらず、第１構成情報は、端末デバイスが事前スケジューリングサービスを実行する各時刻及び端末デバイスが事前スケジューリングサービスを各時刻に実行する時にそれぞれ使用する周波数領域リソースを示す。この時、第１構成情報は、具体的に、表６に示すように、表６に、端末デバイスが事前スケジューリングサービスをＴ１、Ｔ２、Ｔ３…時刻に実行する時に使用する周波数領域リソースがそれぞれＦ１、Ｆ２、Ｆ３…である。
【表６】
2019537900.tif 000008
【００８０】
第１構成情報が表７に示すものであってもよく、表７に示すように、端末デバイスが事前スケジューリングサービスをＴ１−Ｔ３時刻に実行する時に使用する周波数領域リソースは、それぞれＦ１、Ｆ２及びＦ３であり、端末デバイスが事前スケジューリングサービスをＴ４−Ｔ６時刻に実行する時に使用する周波数領域リソースもそれぞれＦ１、Ｆ２及びＦ３である。つまり、端末デバイスが事前スケジューリングサービスを実行する時に使用する周波数領域リソースが周期的なものであり、端末デバイスが事前スケジューリングサービスを実行する時に使用する周波数領域リソースが、３つの時刻ごとに繰り返す。
【表７】
2019537900.tif 000009
【００８１】
なお、上記の表１−表７において、Ｆ１、Ｆ２、Ｆ３が相違する３つの周波数領域リソースであってもよく、Ｆ１、Ｆ２、Ｆ３が２つの同じ周波数領域リソースを含んでもよく、例えば、Ｆ１とＦ２とが同じ周波数領域リソースであり、又は、Ｆ２とＦ３とが同じ周波数領域リソースであり、又は、Ｆ１とＦ３とが同じ周波数領域リソースである。
【００８２】
なお、上記の複数の時刻が、端末デバイスが事前スケジューリングサービスを実行する時に使用する複数の時間領域リソースであり、つまり、時刻が時間領域リソースであり、さらに、端末デバイスが複数の時刻に対応する周波数領域リソースにおいて事前スケジューリングサービスを実行することは、端末デバイスが複数の時間領域リソースに対応する周波数領域リソースにおいて事前スケジューリングサービスを実行することと同じである。
【００８３】
２２０において、前記ネットワークデバイスが前記端末デバイスに前記第１構成情報を送信する。
【００８４】
上記の事前スケジューリングサービスは、具体的に、端末デバイスがネットワークデバイスにデータを送信するためのアップリンクサービスであってもよいし、端末デバイスがネットワークデバイスからデータを受信するためのダウンリンクサービスであってもよい。上記の事前スケジューリングサービスがアップリンクサービスである場合、端末デバイスがネットワークデバイスからのスケジューリング情報を受信した後、第１構成情報に示す時間領域リソース及び周波数領域リソースにおいてネットワークデバイスにサービスデータを送信し、上記の事前スケジューリングサービスがダウンリンクサービスである場合、端末デバイスがネットワークデバイスからのスケジューリング情報を受信した後、第１構成情報に示す時間領域リソース及び周波数領域リソースにおいてネットワークデバイスからのサービスデータを受信する。
【００８５】
本発明の実施例において、端末デバイスが事前スケジューリングサービスを実行する時に使用する時間領域リソース及び周波数領域リソースを第１構成情報により示すことは、従来の技術において端末デバイスが実行する事前スケジューリングサービスの伝送周期及び周波数領域リソースのみを示すことと比べ、端末デバイスが事前スケジューリングサービスを実行するように柔軟的にスケジューリングすることができる。
【００８６】
ある実施例において、ネットワークデバイスが端末デバイスに第１構成情報を送信した後、ネットワークデバイスが端末デバイスに第２構成情報をさらに送信し、当該第２構成情報は、端末デバイスが少なくとも１つの第１時刻に第１周波数領域リソースを使用して事前スケジューリングサービスを実行することから、端末デバイスが少なくとも１つの第２時刻に第２周波数領域リソースを使用して事前スケジューリングサービスを実行することに再構成するために用いられる。
【００８７】
第２構成情報を使用することで、端末デバイスがもともと１つ以上の時刻に周波数領域リソースを使用して実行する事前スケジューリングサービスを変更することができる。柔軟的に構成することで、スケジューリングの柔軟性を向上させ、他のサービスとの競合を回避することができる。
【００８８】
例えば、第１構成情報は、端末デバイスがＴ１時刻に周波数領域リソースＦ１を使用して事前スケジューリングサービスを実行するように指示し、第２構成情報で端末デバイスを再構成することで、端末デバイスがＴ１時刻に周波数領域リソースＦ１を利用して事前スケジューリングサービスを実行することを、Ｔ１’時刻に周波数領域リソースＦ１’を使用して事前スケジューリングサービスを実行することに変更する。ここのＴ１がＴ１’と異なり、Ｆ１がＦ１’と同じ、又は、Ｔ１がＴ１’と同じ、Ｆ１がＦ１’と異なり、又は、Ｔ１がＴ１’と異なり、Ｆ１がＦ１’と異なる。つまり、第２構成情報を利用し、端末デバイスが事前スケジューリングサービスを実行する実行時刻を変更し、又は、端末デバイスが事前スケジューリングサービスを実行する時に使用する周波数領域リソースを変更し、又は、端末デバイスが事前スケジューリングサービスを実行する実行時刻及び使用する周波数領域リソース両方を変更することができる。
【００８９】
上記の例に、少なくとも１つの第１時刻及び少なくとも１つの第２時刻がともに１つの時刻であることを示し、少なくとも１つの第１時刻及び少なくとも１つの第２時刻がともに複数の時刻を含む場合、例えば、少なくとも１つの第１時刻が{Ｔ１、Ｔ２、Ｔ３}時刻を含み、且つ{Ｔ１、Ｔ２、Ｔ３}時刻に対応する周波数領域リソースが{Ｆ１、Ｆ２、Ｆ３}であり、少なくとも１つの第２時刻が{Ｔ１’、Ｔ２’、Ｔ３’}時刻を含み、且つ{Ｔ１’、Ｔ２’、Ｔ３’}時刻に対応する周波数領域リソースが{Ｆ１’、Ｆ２’及びＦ３’}である。この場合、{Ｔ１、Ｔ２、Ｔ３}と{Ｔ１’、Ｔ２’、Ｔ３’}とは、１つ以上の時刻が同じであってもいし、全く相異してもよい。同様、{Ｆ１、Ｆ２、Ｆ３}と{Ｆ１’、Ｆ２’及びＦ３’}とは、１つ以上が同じであってもいし、全く相異してもよい。
【００９０】
従来の技術において、ネットワークデバイスは、半永続スケジューリングで端末デバイスが事前スケジューリングサービスを実行するようにスケジューリングする場合、端末デバイスに送信した構成情報は、端末デバイスが事前スケジューリングサービスを実行する周期及び事前スケジューリングサービスを実行する時に使用する周波数領域リソースを示す。例えば、ネットワークデバイスが端末デバイスに第１スケジューリング情報を送信し、第１スケジューリング情報は、端末デバイスがアップリンクデータを伝送するための周期が１００ｍｓ、当該アップリンクデータを伝送する時に使用する周波数領域リソースが第１周波数領域リソースであることを示し、この場合、端末デバイスが第１スケジューリング情報を受信してから、ある時刻（当該時刻が第１スケジューリング情報の受信時刻であってもよいし、第１スケジューリング情報の受信後の一定の時間間隔後の時刻であってもよい）において、１００ｍｓの伝送周期でネットワークデバイスにアップリンクデータを送信する。
【００９１】
端末デバイスが事前スケジューリングサービスを実行する時刻及び使用する周波数領域リソースを変更する必要がある場合、ネットワークデバイスが端末デバイスに新しい構成情報を送信し、新しい構成情報を受信した後、構成変更された時点から全ての構成が変更されるが、実際に、全ての時刻を変更する必要がなく、その中のある指定時刻を変更すればよい可能性があり、そして、従来の半永続スケジューリングの柔軟性が良くない。
【００９２】
この指示方式は、端末デバイスがどの周波数領域リソースを使用してネットワークデバイスにアップリンクデータを各時刻に伝送することを直接に指示しない。本発明の実施例における第１構成情報は、端末デバイスがどの周波数領域リソースを使用してネットワークデバイスにアップリンクデータを各時刻に伝送することを直接に指示するため、本発明の実施例の指示方式の柔軟性が良くなる。
【００９３】
本発明の実施例において、第２構成情報を利用し、端末デバイスが事前スケジューリングサービスを指定の時刻に実行する時に使用する周波数領域リソース及び時間領域リソースを変更し、他の周波数領域リソースを使用してアップリンクデータを他の時刻に伝送することを影響せず、従来の技術と比べ、変更内容が小さくなり、柔軟性が良い。
【００９４】
ある実施例において、端末デバイス事前スケジューリングサービスを実行する時に使用する周波数領域リソースが周期性的なものである場合、第１構成情報は、具体的に、{Ｐ１，Ｆ１，０Ｆ１；Ｐ２，Ｆ２，０Ｆ２；Ｐ３，Ｆ３，０Ｆ３…}であってもよく，ここで、周波数領域リソースＦ１の周期がＰ１であり、開始時刻との時間領域オフセットが０Ｆ１であり、つまり、端末デバイスは、開始時刻から時間間隔０Ｆ１を経過した時間帯において、周波数領域リソースＦ１を使用して事前スケジューリングサービスを実行し、次に、時間Ｐ１を経過するごとに周波数領域リソースＰ１を使用して当該事前スケジューリングサービスを実行する。他の周波数領域リソースが周波数領域リソースＦ１と同様である。なお、０Ｆ１がゼロである場合、端末デバイスは、開始時刻から周波数領域リソースＦ１を使用して事前スケジューリングサービスを実行する。
【００９５】
選択的に、上記の第１構成情報と上記の第２構成情報とは、ネットワークデバイスが上位層シグナリング又は物理層シグナリングにより送信したものである。
【００９６】
ここで、上位層シグナリングが無線リソース管理（ＲＲＣ：Ｒａｄｉｏ  Ｒｅｓｏｕｒｃｅ  Ｃｏｎｔｒｏｌ）シグナリングであってもよく、物理層シグナリングがダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）に送信されたシグナリングであってもよい。
【００９７】
ある実施例において、上記の第１構成情報は、時間領域リソース指示情報及び周波数領域リソース指示情報を含み、ここで、時間領域リソース指示情報は、ネットワークデバイスが上位層シグナリングにより送信したものであり、周波数領域リソース構成情報は、ネットワークデバイスが物理層シグナリングにより送信したものである。
【００９８】
同様、上記の第２構成情報は時間領域リソース指示情報及び周波数領域リソース指示情報を含み、ここで、時間領域リソース指示情報は、ネットワークデバイスが上位層シグナリングにより送信したものであり、周波数領域リソース構成情報は、ネットワークデバイスが物理層シグナリングにより送信したものである。
【００９９】
基地局がＲＲＣシグナリングによりＴ１、Ｔ２、Ｔ３…の時刻リストを構成してもよく、当該時刻リストは、リストの時刻において端末に対しスケジューリングされるサービスが存在することを示し、基地局は、スケジューリング時刻又はスケジューリング時刻の前の所定時刻に、物理層シグナリングを使用し、事前スケジューリングサービスをスケジューリング時刻に実行する時に使用する周波数領域リソースを端末デバイスに指示し、また、基地局は、ある時刻に、事前スケジューリングサービスを複数の時刻に実行する時に使用する周波数領域リソースを端末デバイスにそれぞれ指示する。
【０１００】
具体的に、基地局は、Ｔ１時刻に、事前スケジューリングサービスをＴ１時刻に実行する時に使用する周波数領域リソースをＰＤＣＣＨで端末に指示し、又は、基地局は、Ｔ１時刻の前の所定の時刻Ｔ１’に、事前スケジューリングサービスをＴ１時刻に実行する時に使用する周波数領域リソースをＰＤＣＣＨで端末デバイスに指示する。なお、基地局は、Ｔ１時刻に、事前スケジューリングサービスをＴ１、Ｔ２及びＴ３時刻に実行する周波数領域リソースをＰＤＣＣＨで端末デバイスにそれぞれ指示し、又は、基地局は、Ｔ１時刻の前の所定時刻Ｔ１’に、事前スケジューリングサービスをＴ１、Ｔ２及びＴ３時刻に実行する時に使用する周波数領域リソースをＰＤＣＣＨで端末デバイスにそれぞれ指示する。
【０１０１】
ある実施例において、上記の端末デバイスのスケジューリング方法は、さらに、ネットワークデバイスが端末デバイスのサービス要求メッセージを受信することを含み、当該サービス要求メッセージは、端末デバイスが実行する事前スケジューリングサービスの実行時刻及び前記事前スケジューリングサービスに伝送するデータの大きさを示すために用いられ、ネットワークデバイスが第１構成情報を確定することは、ネットワークデバイスが当該サービス要求メッセージに基づいて上記の第１構成情報を確定することを含む。
【０１０２】
具体的に、上記のサービス要求情報が、具体的に、表８に示すのもであってもよく、表８に示すように、端末デバイスのＴ１時刻に伝送するデータの大きさがＳ１のサービス、Ｔ２時刻に伝送するデータの大きさがＳ２のサービスである。端末デバイスは、当該サービス要求メッセージを受信した後、当該サービス要求メッセージに基づいて第１構成情報を確定し、例えば、上記の第１構成情報は、端末デバイスのＴ１時刻に周波数領域リソースＦ１を使用して伝送するデータの大きさがＳ１のサービス、Ｔ２時刻に周波数領域リソースＦ２を使用して伝送するデータの大きさがＳ２のサービスであることを示す。
【０１０３】
本発明の実施例において、ネットワークデバイスが端末デバイスにより送信されたサービス要求メッセージに基づいて、端末デバイスが事前スケジューリングサービスを実行する時に使用する時間領域リソース及び周波数領域リソースを合理的に確定することができ、これによって、端末デバイスが事前スケジューリングサービスを良く実行することができる。
【０１０４】
マシンタイプ通信のための端末デバイス又はモノのインターネット用端末デバイスについて、サービス要求がある程度固定であるため、端末デバイスがサービス要求メッセージを使用して伝送するデータの時刻及び伝送するデータの大きさをネットワークデバイスに予め報告し、この場合、ネットワークデバイスが事前スケジューリングで端末にリソースを１回割り当て、シグナリングオーバーヘッドを節約することができる。
【０１０５】
ある実施例において、上記の第１構成情報が複数の指示情報を含み、当該複数の指示情報のいずれも、端末デバイスが事前スケジューリングサービスを実行する時に使用する時間領域リソース及び周波数領域リソースを示すが、当該複数の指示情報の任意の２つの指示情報の時間領域リソース及び周波数領域リソースを示す方式が異なり、上記のスケジューリングリソース方法は、さらに、ネットワークデバイスが端末デバイスにスケジューリング情報を送信することを含み、当該スケジューリング情報は、前記端末デバイスが当該複数の指示情報の１つの指示情報に基づいて、前記事前スケジューリングサービスを実行する時に使用する時間領域リソース及び周波数領域リソースを確定するように指示するために用いられる。つまり、第１構成情報が、異なる指示方式を有する指示情報を含み、さらに、ネットワークデバイスから端末デバイスに送信したスケジューリング情報は、どの指示方式を選択して事前スケジューリングサービスを実行する時に使用する時間領域リソース及び周波数領域リソースを確定するように指示する。
【０１０６】
以上、図２を参照し、ネットワークデバイス側から本発明の実施例における端末デバイスのスケジューリング方法を説明しており、以下、図３を参照し、端末デバイス側から本発明の実施例における端末デバイスのスケジューリング方法を説明する。
【０１０７】
なお、端末デバイス側から説明する本発明の実施例における端末のスケジューリング方法は、ネットワークデバイス側から説明した本発明の実施例における端末のスケジューリング方法に対応し、簡潔のために、重複の説明を省略する。
【０１０８】
図３は本発明の実施例における端末デバイスのスケジューリング方法のフローチャートである。図３の方法は、３１０及び３２０を含み、
３１０において、端末デバイスがネットワークデバイスにより送信された第１構成情報を受信し、当該第１構成情報は、前記端末デバイスが事前スケジューリングサービスを実行する時に使用する時間領域リソース及び周波数領域リソースを示すために用いられ、
３２０において、端末デバイスが第１構成情報に示す時間領域リソース及び周波数領域リソースにおいて当該事前スケジューリングサービスを実行する。
【０１０９】
本発明の実施例において、端末デバイスが事前スケジューリングサービスを実行する時に使用する時間領域リソース及び周波数領域リソースを第１構成情報により示すことは、従来の技術において端末デバイスが実行する事前スケジューリングサービスの伝送周期及び周波数領域リソースのみを示すことと比べ、端末デバイスが事前スケジューリングサービスを実行するように柔軟的にスケジューリングすることができる。
【０１１０】
選択的に、端末デバイスが事前スケジューリングサービスを実行する時に使用する時間領域リソース及び周波数領域リソースを上記の第１構成情報により示すことは、具体的に、以下の３つの場合を含み、
（１）、事前スケジューリングサービスが周期的なサービスであり、上記の第１構成情報は、事前スケジューリングサービスの伝送周期及び前記端末デバイスが複数の時刻の各時刻に事前スケジューリングサービスを実行する時に使用する周波数領域リソースを示すために用いられ、ここで、端末デバイスが複数の時刻の少なくとも２つの時刻に事前スケジューリングサービスを実行する時に使用する周波数領域リソースが異なる。
【０１１１】
（２）、事前スケジューリングサービスが非周期的なサービスであり、上記の第１構成情報は、端末デバイスが事前スケジューリングサービスを実行する各時刻及び端末デバイスが事前スケジューリングサービスを各時刻に実行する時に使用する周波数領域リソースを示すために用いられ、ここで、端末デバイスが事前スケジューリングサービスを各時刻に実行する時に使用する周波数領域リソースが同じである。
【０１１２】
（３）、第１構成情報は、端末デバイスが事前スケジューリングサービスを実行する各時刻及び端末デバイスが事前スケジューリングサービスを各時刻に実行する時にそれぞれ使用する周波数領域リソースを示すために用いられる。
【０１１３】
選択的に、１つの実施例として、前記端末デバイスがネットワークデバイスにより送信された第１構成情報を受信した後、前記方法は、さらに、前記端末デバイスが前記ネットワークデバイスにより送信された第２構成情報を受信することを含み、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【０１１４】
選択的に、１つの実施例として、前記第１構成情報は、前記端末デバイスが上位層シグナリング又は物理層シグナリングにより受信したものである。
【０１１５】
選択的に、１つの実施例として、前記第１構成情報は、時間領域リソース指示情報及び周波数領域リソース指示情報を含み、ここで、前記時間領域リソース指示情報は、前記端末デバイスが上位層シグナリングにより受信したものであり、前記周波数領域リソース構成情報は、前記端末デバイスが物理層シグナリングにより受信したものである。
【０１１６】
選択的に、１つの実施例として、前記方法は、さらに、前記端末デバイスが前記ネットワークデバイスにサービス要求メッセージを送信することを含み、前記サービス要求メッセージは、前記端末デバイスが実行する前記事前スケジューリングサービスの実行時刻及び前記事前スケジューリングサービスに伝送するデータの大きさを示すために用いられる。
【０１１７】
選択的に、１つの実施例として、前記第１構成情報は、前記サービス要求メッセージに基づいて確定されたものである。
【０１１８】
選択的に、１つの実施例として、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記方法は、さらに、前記端末デバイスが前記ネットワークデバイスにより送信されたスケジューリング情報を受信することと、前記端末デバイスが前記スケジューリング情報内の第１指示情報に基づいて、前記事前スケジューリングサービスを実行する時に使用する時間領域リソース及び周波数領域リソースを確定することとを含み、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられる。
【０１１９】
図４は本発明の実施例における端末デバイスのスケジューリング方法のフローチャートである。図４の方法は、４０１〜４０３を含み、
４１０において、ネットワークデバイスが端末デバイスのサービス要求メッセージを受信し、前記サービス要求メッセージは、前記端末デバイスが実行する事前スケジューリングサービスの実行時刻及び前記事前スケジューリングサービスに伝送するデータの大きさを示すために用いられ、
４２０において、前記ネットワークデバイスが前記サービス要求メッセージに基づいて第１構成情報を確定し、前記第１構成情報は、前記端末デバイスが前記事前スケジューリングサービスを実行する時に使用する時間領域リソース及び周波数領域リソースを示すために用いられ、
４３０において、前記ネットワークデバイスが前記端末デバイスに前記第１構成情報を送信する。
【０１２０】
本発明の実施例において、ネットワークデバイスが端末デバイスにより送信されたサービス要求メッセージに基づいて、端末デバイスが事前スケジューリングサービスを実行する時に使用する時間領域リソース及び周波数領域リソースを合理的に確定することができ、これによって、端末デバイスが事前スケジューリングサービスを良く実行することができる。
【０１２１】
具体的に、ネットワークデバイスは、スケジューリングにおいて、端末デバイスの要求に応じて、１回のスケジューリングで端末にリソースを一括に割り当て、端末デバイスを複数スケジューリングすることよりシグナリングオーバーヘッドを増えることを回避する。
【０１２２】
なお、ネットワークデバイスにより確定された第１構成情報の形式及びその後の第２構成情報は、上記の図２に示すスケジューリング方法の記載と同じであり、簡潔のために、重複の説明を省略する。
【０１２３】
ある実施例において、端末デバイスが事前スケジューリングサービスを実行する時に使用する時間領域リソース及び周波数領域リソースを上記の第１構成情報により示すことは、具体的に、以下の３つの場合を含み、
（４）、事前スケジューリングサービスが周期的なサービスであり、上記の第１構成情報は、事前スケジューリングサービスの伝送周期及び前記端末デバイスが複数の時刻の各時刻に事前スケジューリングサービスを実行する時に使用する周波数領域リソースを示すために用いられ、ここで、端末デバイスが複数の時刻の少なくとも２つの時刻に事前スケジューリングサービスを実行する時に使用する周波数領域リソースが異なる。
【０１２４】
（５）、事前スケジューリングサービスが非周期的なサービスであり、上記の第１構成情報は、端末デバイスが事前スケジューリングサービスを実行する各時刻及び端末デバイスが事前スケジューリングサービスを各時刻に実行する時に使用する周波数領域リソースを示すために用いられ、ここで、端末デバイスが事前スケジューリングサービスを各時刻に実行する時に使用する周波数領域リソースが同じである。
【０１２５】
（６）、第１構成情報は、端末デバイスが事前スケジューリングサービスを実行する各時刻及び端末デバイスが事前スケジューリングサービスを各時刻に実行する時にそれぞれ使用する周波数領域リソースを示すために用いられる。
【０１２６】
ある実施例において、端末デバイスがネットワークデバイスにより送信された第１構成情報を受信した後、前記方法は、さらに、前記端末デバイスが前記ネットワークデバイスにより送信された第２構成情報を受信することを含み、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【０１２７】
ある実施例において、上記の第１構成情報は、前記端末デバイスが上位層シグナリング又は物理層シグナリングにより受信したものである。
【０１２８】
ある実施例において、上記の第１構成情報は、時間領域リソース指示情報及び周波数領域リソース指示情報を含み、ここで、時間領域リソース指示情報は、前記端末デバイスが上位層シグナリングにより受信したものであり、前記周波数領域リソース構成情報は、前記端末デバイスが物理層シグナリングにより受信したものである。
【０１２９】
ある実施例において、前記方法は、さらに、前記端末デバイスが前記ネットワークデバイスにサービス要求メッセージを送信することを含み、前記サービス要求メッセージは、前記端末デバイスが実行する前記事前スケジューリングサービスの実行時刻及び前記事前スケジューリングサービスに伝送するデータの大きさを示すために用いられる。
【０１３０】
ある実施例において、前記第１構成情報は、前記サービス要求メッセージに基づいて確定されたものである。
【０１３１】
ある実施例において、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記方法は、さらに、前記端末デバイスが前記ネットワークデバイスにより送信されたスケジューリング情報を受信することと、前記端末デバイスが前記スケジューリング情報内の第１指示情報に基づいて、前記事前スケジューリングサービスを実行する時に使用する時間領域リソース及び周波数領域リソースを確定することとを含み、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられる。
【０１３２】
以上、図４を参照し、ネットワークデバイス側から本発明の実施例における端末デバイスのスケジューリング方法を説明しており、以下、図５を参照し、端末デバイス側から本発明の実施例における端末デバイスのスケジューリング方法を説明する。
【０１３３】
なお、端末デバイス側から説明する本発明の実施例における端末のスケジューリング方法は、ネットワークデバイス側から説明した本発明の実施例における端末のスケジューリング方法に対応し、簡潔のために、重複の説明を省略する。
【０１３４】
図５は本発明の実施例における端末デバイスのスケジューリング方法のフローチャートである。図５の方法は、５１０〜５３０を含み、
５１０において、端末デバイスがネットワークデバイスにサービス要求メッセージを送信し、前記サービス要求メッセージは、前記端末デバイスが実行する事前スケジューリングサービスの実行時刻及び前記事前スケジューリングサービスに伝送するデータの大きさを示すために用いられ、
５２０において、前記端末デバイスが前記ネットワークデバイスにより送信された第１構成情報を受信し、前記第１構成情報は、前記端末デバイスが前記事前スケジューリングサービスを実行する時に使用する時間領域リソース及び周波数領域リソースを示すために用いられ、
５３０において、前記端末デバイスが前記第１構成情報に示す時間領域リソース及び周波数領域リソースにおいて前記事前スケジューリングサービスを実行する。
【０１３５】
本発明の実施例において、ネットワークデバイスが端末デバイスにより送信されたサービス要求メッセージに基づいて、端末デバイスが事前スケジューリングサービスを実行する時に使用する時間領域リソース及び周波数領域リソースを合理的に確定することができ、これによって、端末デバイスが事前スケジューリングサービスを良く実行することができる。
【０１３６】
具体的に、ネットワークデバイスは、スケジューリングにおいて、端末デバイスの要求に応じて、１回のスケジューリングで端末にリソースを一括に割り当て、端末デバイスを複数スケジューリングすることによりシグナリングオーバーヘッドを増えることを回避する。
【０１３７】
ある実施例において、端末デバイスが事前スケジューリングサービスを実行する時に使用する時間領域リソース及び周波数領域リソースを上記の第１構成情報により示すことは、具体的に、以下の３つの場合を含み、
（７）、事前スケジューリングサービスが周期的なサービスであり、上記の第１構成情報は、事前スケジューリングサービスの伝送周期及び前記端末デバイスが複数の時刻の各時刻に事前スケジューリングサービスを実行する時に使用する周波数領域リソースを示すために用いられ、ここで、端末デバイスが複数の時刻の少なくとも２つの時刻に事前スケジューリングサービスを実行する時に使用する周波数領域リソースが異なる。
【０１３８】
（８）、事前スケジューリングサービスが非周期的なサービスであり、上記の第１構成情報は、端末デバイスが事前スケジューリングサービスを実行する各時刻及び端末デバイスが事前スケジューリングサービスを各時刻に実行する時に使用する周波数領域リソースを示すために用いられ、ここで、端末デバイスが事前スケジューリングサービスを各時刻に実行する時に使用する周波数領域リソースが同じである。
【０１３９】
（９）、第１構成情報は、端末デバイスが事前スケジューリングサービスを実行する各時刻及び端末デバイスが事前スケジューリングサービスを各時刻に実行する時にそれぞれ使用する周波数領域リソースを示すために用いられる。
【０１４０】
選択的に、１つの実施例として、前記端末デバイスが前記ネットワークデバイスにより送信された前記第１構成情報を受信した後、前記方法は、さらに、前記端末デバイスが前記端末デバイスにより送信された第２構成情報を受信することを含み、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【０１４１】
選択的に、１つの実施例として、前記第１構成情報は、前記端末デバイスが上位層シグナリング又は物理層シグナリングにより受信したものである。
【０１４２】
選択的に、１つの実施例として、前記第１構成情報は、時間領域リソース指示情報及び周波数領域リソース指示情報を含み、ここで、前記時間領域リソース指示情報は、前記端末デバイスが上位層シグナリングにより受信したものであり、前記周波数領域リソース構成情報は、前記端末デバイスが物理層シグナリングにより受信したものである。
【０１４３】
選択的に、１つの実施例として、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記方法は、さらに、前記端末デバイスが前記ネットワークデバイスにより送信されたスケジューリング情報を受信することを含み、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられる。
【０１４４】
以上、図２〜図５を参照し、本発明の実施例における端末デバイスのスケジューリング方法を説明しており、以下、図６〜図１３を参照し、本発明の実施例におけるネットワークデバイス及び端末デバイスを説明する。
【０１４５】
なお、図６〜図１３のネットワークデバイス及び端末デバイスは、図２〜図５のスケジューリング端末デバイス方法の各ステップを実行することができ、簡潔のために、重複の説明を省略する。
【０１４６】
図６は本発明の実施例におけるネットワークデバイスのブロック図である。図６のネットワークデバイス６００は、確定モジュール６１０及び送信モジュール６２０を含み、
確定モジュール６１０は、第１構成情報を確定するように構成され、前記第１構成情報は、前記端末デバイスが事前スケジューリングサービスを実行する時に使用する時間領域リソース及び周波数領域リソースを示すために用いられ、
送信モジュール６２０は、前記端末デバイスに前記第１構成情報を送信するように構成される。
【０１４７】
本発明の実施例において、端末デバイスが事前スケジューリングサービスを実行する時に使用する時間領域リソース及び周波数領域リソースを第１構成情報により示すことは、従来の技術において端末デバイスが実行する事前スケジューリングサービスの伝送周期及び周波数領域リソースのみを示すことと比べ、端末デバイスが事前スケジューリングサービスを実行するように柔軟的にスケジューリングすることができる。
【０１４８】
選択的に、１つの実施例として、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、ここで、前記端末デバイスが前記複数の時刻の少なくとも２つの時刻に前記事前スケジューリングサービスを実行する時に使用する周波数領域リソースが異なる。
【０１４９】
選択的に、１つの実施例として、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、ここで、前記端末デバイスが各時刻に前記事前スケジューリングサービスを実行する時に使用する周波数領域リソースが同じである。
【０１５０】
選択的に、１つの実施例として、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【０１５１】
選択的に、１つの実施例として、前記送信モジュール６２０は、さらに、前記第１構成情報を送信した後、前記端末デバイスに第２構成情報を送信するように構成され、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【０１５２】
選択的に、１つの実施例として、前記第１構成情報は、前記送信モジュール６２０が上位層シグナリング又は物理層シグナリングにより送信したものである。
【０１５３】
選択的に、１つの実施例として、前記第１構成情報は、時間領域リソース指示情報及び周波数領域リソース指示情報を含み、ここで、前記時間領域リソース指示情報は、前記送信モジュール６２０が上位層シグナリングにより送信したものであり、前記周波数領域リソース構成情報は、前記送信モジュールが物理層シグナリングにより送信したものである。
【０１５４】
選択的に、１つの実施例として、前記ネットワークデバイスは、さらに、受信モジュール６３０を含み、
受信モジュール６３０は、前記端末デバイスのサービス要求メッセージを受信するように構成され、前記サービス要求メッセージは、前記端末デバイスが実行する前記事前スケジューリングサービスの実行時刻及び前記事前スケジューリングサービスに伝送するデータの大きさを示すために用いられ、
前記確定モジュール６１０は、具体的に、前記サービス要求メッセージに基づいて前記第１構成情報を確定するように構成される。
【０１５５】
選択的に、１つの実施例として、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記送信モジュール６２０は、さらに、前記端末デバイスにスケジューリング情報を送信するように構成され、前記スケジューリング情報は、前記端末デバイスが前記複数の指示情報の１つの指示情報に基づいて、前記事前スケジューリングサービスを実行する時に使用する時間領域リソース及び周波数領域リソースを確定するように指示するために用いられる。
【０１５６】
図７は本発明の実施例における端末デバイスのブロック図である。図７の端末デバイス７００は、受信モジュール７１０及び実行モジュール７２０を含み、
受信モジュール７１０は、ネットワークデバイスにより送信された第１構成情報を受信するように構成され、前記第１構成情報は、前記端末デバイスが事前スケジューリングサービスを実行する時に使用する時間領域リソース及び周波数領域リソースを示すために用いられ、
実行モジュール７２０は、前記第１構成情報に示す時間領域リソース及び周波数領域リソースにおいて前記事前スケジューリングサービスを実行するように構成される。
【０１５７】
本発明の実施例において、端末デバイスが事前スケジューリングサービスを実行する時に使用する時間領域リソース及び周波数領域リソースを第１構成情報により示すことは、従来の技術において端末デバイスが実行する事前スケジューリングサービスの伝送周期及び周波数領域リソースのみを示すことと比べ、端末デバイスが事前スケジューリングサービスを実行するように柔軟的にスケジューリングすることができる。
【０１５８】
選択的に、１つの実施例として、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、ここで、前記端末デバイスが前記複数の時刻の少なくとも２つの時刻に前記事前スケジューリングサービスを実行する時に使用する周波数領域リソースが異なる。
【０１５９】
選択的に、１つの実施例として、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、ここで、前記端末デバイスが各時刻に前記事前スケジューリングサービスを実行する時に使用する周波数領域リソースが同じである。
【０１６０】
選択的に、１つの実施例として、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【０１６１】
選択的に、１つの実施例として、前記受信モジュール７１０は、さらに、前記ネットワークデバイスにより送信された第１構成情報を受信した後、前記ネットワークデバイスにより送信された第２構成情報を受信するように構成され、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【０１６２】
選択的に、１つの実施例として、前記第１構成情報は、前記受信モジュール７１０が上位層シグナリング又は物理層シグナリングにより受信したものである。
【０１６３】
選択的に、１つの実施例として、前記第１構成情報は、時間領域リソース指示情報及び周波数領域リソース指示情報を含み、ここで、前記時間領域リソース指示情報は、前記受信モジュール７１０が上位層シグナリングにより受信したものであり、前記周波数領域リソース構成情報は、前記受信モジュール７１０が物理層シグナリングにより受信したものである。
【０１６４】
選択的に、１つの実施例として、前記端末デバイスは、さらに、送信モジュール７３０を含み、送信モジュール７３０は、前記ネットワークデバイスにサービス要求メッセージを送信するように構成され、前記サービス要求メッセージは、前記端末デバイスが実行する前記事前スケジューリングサービスの実行時刻及び前記事前スケジューリングサービスに伝送するデータの大きさを示すために用いられる。
【０１６５】
選択的に、１つの実施例として、前記第１構成情報は、前記サービス要求メッセージに基づいて確定されたものである。
【０１６６】
選択的に、１つの実施例として、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記受信モジュール７１０は、さらに、前記ネットワークデバイスにより送信されたスケジューリング情報を受信するように構成され、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられ、
前記実行モジュール７２０は、具体的に、前記スケジューリング情報内の第１指示情報に基づいて、前記事前スケジューリングサービスを実行する時に使用する時間領域リソース及び周波数領域リソースを確定するように構成される。
【０１６７】
図８は本発明の実施例におけるネットワークデバイスのブロック図である。図８のネットワークデバイス８００は、受信モジュール８１０、確定モジュール８２０及び送信モジュール８３０を含み、
受信モジュール８１０は、端末デバイスのサービス要求メッセージを受信するように構成され、前記サービス要求メッセージは、前記端末デバイスが実行する事前スケジューリングサービスの実行時刻及び前記事前スケジューリングサービスに伝送するデータの大きさを示すために用いられ、
確定モジュール８２０は、前記サービス要求メッセージに基づいて第１構成情報を確定するように構成され、前記第１構成情報は、前記端末デバイスが前記事前スケジューリングサービスを実行する時に使用する時間領域リソース及び周波数領域リソースを示すために用いられ、
送信モジュール８３０は、前記端末デバイスに前記第１構成情報を送信するように構成される。
【０１６８】
本発明の実施例において、ネットワークデバイスが端末デバイスにより送信されたサービス要求メッセージに基づいて、端末デバイスが事前スケジューリングサービスを実行する時に使用する時間領域リソース及び周波数領域リソースを合理的に確定することができ、これによって、端末デバイスが事前スケジューリングサービスを良く実行することができる。
【０１６９】
選択的に、１つの実施例として、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、ここで、前記端末デバイスが前記複数の時刻の少なくとも２つの時刻に前記事前スケジューリングサービスを実行する時に使用する周波数領域リソースが異なる。
【０１７０】
選択的に、１つの実施例として、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、ここで、前記端末デバイスが各時刻に前記事前スケジューリングサービスを実行する時に使用する周波数領域リソースが同じである。
【０１７１】
選択的に、１つの実施例として、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【０１７２】
選択的に、１つの実施例として、前記送信モジュール８３０は、さらに、前記端末デバイスに第２構成情報を送信するように構成され、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【０１７３】
選択的に、１つの実施例として、前記第１構成情報は、前記送信モジュール８３０が上位層シグナリング又は物理層シグナリングにより送信したものである。
【０１７４】
選択的に、１つの実施例として、前記第１構成情報は、時間領域リソース指示情報及び周波数領域リソース指示情報を含み、ここで、前記時間領域リソース指示情報は、前記送信モジュール８３０が上位層シグナリングにより送信したものであり、前記周波数領域リソース構成情報は、前記送信モジュール８３０が物理層シグナリングにより送信したものである。
【０１７５】
選択的に、１つの実施例として、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記送信モジュール８３０は、さらに、前記端末デバイスにスケジューリング情報を送信するように構成され、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられる。
【０１７６】
図９は本発明の実施例における端末デバイスのブロック図である。図９の端末デバイス９００は、送信モジュール９１０、受信モジュール９２０及び実行モジュール９３０を含み
送信モジュール９１０は、ネットワークデバイスにサービス要求メッセージを送信するように構成され、前記サービス要求メッセージは、前記端末デバイスが実行する事前スケジューリングサービスの実行時刻及び前記事前スケジューリングサービスに伝送するデータの大きさを示すために用いられ、
受信モジュール９２０は、前記ネットワークデバイスにより送信された第１構成情報を受信するように構成され、前記第１構成情報は、前記端末デバイスが前記事前スケジューリングサービスを実行する時に使用する時間領域リソース及び周波数領域リソースを示すために用いられ、
実行モジュール９３０は、前記第１構成情報に示す時間領域リソース及び周波数領域リソースにおいて前記事前スケジューリングサービスを実行するように構成される。
【０１７７】
本発明の実施例において、ネットワークデバイスが端末デバイスにより送信されたサービス要求メッセージに基づいて、端末デバイスが事前スケジューリングサービスを実行する時に使用する時間領域リソース及び周波数領域リソースを合理的に確定することができ、これによって、端末デバイスが事前スケジューリングサービスを良く実行することができる。
【０１７８】
選択的に、１つの実施例として、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、ここで、前記端末デバイスが前記複数の時刻の少なくとも２つの時刻に前記事前スケジューリングサービスを実行する時に使用する周波数領域リソースが異なる。
【０１７９】
選択的に、１つの実施例として、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、ここで、前記端末デバイスが各時刻に前記事前スケジューリングサービスを実行する時に使用する周波数領域リソースが同じである。
【０１８０】
選択的に、１つの実施例として、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【０１８１】
選択的に、１つの実施例として、前記受信モジュール９２０は、さらに、前記ネットワークデバイスにより送信された前記第１構成情報を受信した後、前記端末デバイスにより送信された第２構成情報を受信するように構成され、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【０１８２】
選択的に、１つの実施例として、前記第１構成情報は、前記受信モジュール９２０が上位層シグナリング又は物理層シグナリングにより受信したものである。
【０１８３】
選択的に、１つの実施例として、前記第１構成情報は、時間領域リソース指示情報及び周波数領域リソース指示情報を含み、ここで、前記時間領域リソース指示情報は、前記受信モジュール９２０が上位層シグナリングにより受信したものであり、前記周波数領域リソース構成情報は、前記受信モジュール９２０が物理層シグナリングにより受信したものである。
【０１８４】
選択的に、１つの実施例として、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記受信モジュール９２０は、さらに、前記ネットワークデバイスにより送信されたスケジューリング情報を受信するように構成され、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられ、前記実行モジュール９３０は、具体的に、前記スケジューリング情報内の第１指示情報に基づいて、前記事前スケジューリングサービスを実行する時に使用する時間領域リソース及び周波数領域リソースを確定するように構成される。
【０１８５】
図１０は本発明の実施例におけるネットワークデバイスのブロック図である。図１０のネットワークデバイス１０００は、メモリ１０１０、プロセッサー１０２０及び送受信機１０３０を含み、
メモリ１０１０にプログラムが記憶され、
プロセッサー１０２０がプログラムを実行し、前記プログラムが実行される場合、前記プロセッサー１０２０は、第１構成情報を確定するように構成され、前記第１構成情報は、前記端末デバイスが事前スケジューリングサービスを実行する時に使用する時間領域リソース及び周波数領域リソースを示すために用いられ、
送受信機１０３０は、前記端末デバイスに前記第１構成情報を送信するように構成される。
【０１８６】
本発明の実施例において、端末デバイスが事前スケジューリングサービスを実行する時に使用する時間領域リソース及び周波数領域リソースを第１構成情報により示すことは、従来の技術において端末デバイスが実行する事前スケジューリングサービスの伝送周期及び周波数領域リソースのみを示すことと比べ、端末デバイスが事前スケジューリングサービスを実行するように柔軟的にスケジューリングすることができる。
【０１８７】
選択的に、１つの実施例として、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、ここで、前記端末デバイスが前記複数の時刻の少なくとも２つの時刻に前記事前スケジューリングサービスを実行する時に使用する周波数領域リソースが異なる。
【０１８８】
選択的に、１つの実施例として、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、ここで、前記端末デバイスが各時刻に前記事前スケジューリングサービスを実行する時に使用する周波数領域リソースが同じである。
【０１８９】
選択的に、１つの実施例として、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【０１９０】
選択的に、１つの実施例として、前記送受信機１０３０は、さらに、前記第１構成情報を送信した後、前記端末デバイスに第２構成情報を送信するように構成され、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【０１９１】
選択的に、１つの実施例として、前記第１構成情報は、前記送受信機１０３０が上位層シグナリング又は物理層シグナリングにより送信したものである。
【０１９２】
選択的に、１つの実施例として、前記第１構成情報は、時間領域リソース指示情報及び周波数領域リソース指示情報を含み、ここで、前記時間領域リソース指示情報は、前記送受信機１０３０が上位層シグナリングにより送信したものであり、前記周波数領域リソース構成情報は、前記送信モジュールが物理層シグナリングにより送信したものである。
【０１９３】
選択的に、１つの実施例として、前記送受信機１０３０は、さらに、前記端末デバイスのサービス要求メッセージを受信するように構成され、前記サービス要求メッセージは、前記端末デバイスが実行する前記事前スケジューリングサービスの実行時刻及び前記事前スケジューリングサービスに伝送するデータの大きさを示すために用いられ、
前記プロセッサー１０２０は、具体的に、前記サービス要求メッセージに基づいて前記第１構成情報を確定するように構成される。
【０１９４】
選択的に、１つの実施例として、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記送受信機１０３０は、さらに、前記端末デバイスにスケジューリング情報を送信するように構成され、前記スケジューリング情報は、前記端末デバイスが前記複数の指示情報の１つの指示情報に基づいて、前記事前スケジューリングサービスを実行する時に使用する時間領域リソース及び周波数領域リソースを確定するように指示するために用いられる。
【０１９５】
図１１は本発明の実施例における端末デバイスのブロック図である。図１１の端末デバイス１１００は、メモリ１１１０、送受信機１１２０及びプロセッサー１１３０を含み、
メモリ１１１０にプログラムが記憶され、
送受信機１１２０は、ネットワークデバイスにより送信された第１構成情報を受信するように構成され、前記第１構成情報は、前記端末デバイスが事前スケジューリングサービスを実行する時に使用する時間領域リソース及び周波数領域リソースを示すために用いられ、
プロセッサー１１３０がプログラムを実行し、前記プログラムが実行される場合、前記プロセッサー１１３０は、前記第１構成情報に示す時間領域リソース及び周波数領域リソースにおいて前記事前スケジューリングサービスを実行するように構成される。
【０１９６】
本発明の実施例において、端末デバイスが事前スケジューリングサービスを実行する時に使用する時間領域リソース及び周波数領域リソースを第１構成情報により示すことは、従来の技術において端末デバイスが実行する事前スケジューリングサービスの伝送周期及び周波数領域リソースのみを示すことと比べ、端末デバイスが事前スケジューリングサービスを実行するように柔軟的にスケジューリングすることができる。
【０１９７】
選択的に、１つの実施例として、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、ここで、前記端末デバイスが前記複数の時刻の少なくとも２つの時刻に前記事前スケジューリングサービスを実行する時に使用する周波数領域リソースが異なる。
【０１９８】
選択的に、１つの実施例として、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、ここで、前記端末デバイスが各時刻に前記事前スケジューリングサービスを実行する時に使用する周波数領域リソースが同じである。
【０１９９】
選択的に、１つの実施例として、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【０２００】
選択的に、１つの実施例として、前記送受信機１１２０は、さらに、前記ネットワークデバイスにより送信された第１構成情報を受信した後、前記ネットワークデバイスにより送信された第２構成情報を受信するように構成され、前記実行モジュールは、具体的に、前記第２構成情報に基づいて、前記端末デバイスが前記事前スケジューリングサービスを指定の時刻に実行する時に使用する時間領域リソース及び周波数領域リソースを確定するように構成される。
【０２０１】
選択的に、１つの実施例として、前記第１構成情報は、前記送受信機１１２０が上位層シグナリング又は物理層シグナリングにより受信したものである。
【０２０２】
選択的に、１つの実施例として、前記第１構成情報は、時間領域リソース指示情報及び周波数領域リソース指示情報を含み、ここで、前記時間領域リソース指示情報は、前記送受信機１１２０が上位層シグナリングにより受信したものであり、前記周波数領域リソース構成情報は、前記送受信機１１２０が物理層シグナリングにより受信したものである。
【０２０３】
選択的に、１つの実施例として、前記送受信機１１２０は、具体的に、前記ネットワークデバイスにサービス要求メッセージを送信するように構成され、前記サービス要求メッセージは、前記端末デバイスが実行する前記事前スケジューリングサービスの実行時刻及び前記事前スケジューリングサービスに伝送するデータの大きさを示すために用いられる。
【０２０４】
選択的に、１つの実施例として、前記第１構成情報は、前記サービス要求メッセージに基づいて確定されたものである。
【０２０５】
選択的に、１つの実施例として、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記送受信機１１２０は、さらに、前記ネットワークデバイスにより送信されたスケジューリング情報を受信するように構成され、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられ、
前記プロセッサー１１３０は、具体的に、前記スケジューリング情報内の第１指示情報に基づいて、前記事前スケジューリングサービスを実行する時に使用する時間領域リソース及び周波数領域リソースを確定するように構成される。
【０２０６】
図１２は本発明の実施例におけるネットワークデバイスのブロック図である。図１２のネットワークデバイス１２００は、メモリ１２１０、送受信機１２２０及びプロセッサー１２３０を含み、
メモリ１２１０にプログラムが記憶され、
送受信機１２２０は、端末デバイスのサービス要求メッセージを受信するように構成され、前記サービス要求メッセージは、前記端末デバイスが実行する事前スケジューリングサービスの実行時刻及び前記事前スケジューリングサービスに伝送するデータの大きさを示すために用いられ、
プロセッサー１２３０がプログラムを実行し、前記プログラムが実行される場合、前記プロセッサー１２３０は、前記サービス要求メッセージに基づいて第１構成情報を確定するように構成され、前記第１構成情報は、前記端末デバイスが前記事前スケジューリングサービスを実行する時に使用する時間領域リソース及び周波数領域リソースを示すために用いられ、
前記送受信機１２３０は、さらに、前記端末デバイスに前記第１構成情報を送信するように構成される。
【０２０７】
本発明の実施例において、ネットワークデバイスが端末デバイスにより送信されたサービス要求メッセージに基づいて、端末デバイスが事前スケジューリングサービスを実行する時に使用する時間領域リソース及び周波数領域リソースを合理的に確定することができ、これによって、端末デバイスが事前スケジューリングサービスを良く実行することができる。
【０２０８】
選択的に、１つの実施例として、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、ここで、前記端末デバイスが前記複数の時刻の少なくとも２つの時刻に前記事前スケジューリングサービスを実行する時に使用する周波数領域リソースが異なる。
【０２０９】
選択的に、１つの実施例として、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、ここで、前記端末デバイスが各時刻に前記事前スケジューリングサービスを実行する時に使用する周波数領域リソースが同じである。
【０２１０】
選択的に、１つの実施例として、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【０２１１】
選択的に、１つの実施例として、前記送受信機１２３０は、さらに、前記端末デバイスに第２構成情報を送信するように構成され、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【０２１２】
選択的に、１つの実施例として、前記第１構成情報は、前記送受信機１２３０が上位層シグナリング又は物理層シグナリングにより送信したものである。
【０２１３】
選択的に、１つの実施例として、前記第１構成情報は、時間領域リソース指示情報及び周波数領域リソース指示情報を含み、ここで、前記時間領域リソース指示情報は、前記送受信機１２３０が上位層シグナリングにより送信したものであり、前記周波数領域リソース構成情報は、前記送受信機１２３０が物理層シグナリングにより送信したものである。
【０２１４】
選択的に、１つの実施例として、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記送受信機１２３０は、さらに、前記端末デバイスにスケジューリング情報を送信するように構成され、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられる。
【０２１５】
図１３本発明の実施例におけるネットワークデバイスのブロック図である。図１３のネットワークデバイス１３００は、メモリ１３１０、送受信機１３２０及びプロセッサー１３３０を含み、
メモリ１３１０にプログラムが記憶され、
送受信機１３２０は、ネットワークデバイスにサービス要求メッセージを送信するように構成され、前記サービス要求メッセージは、前記端末デバイスが実行する事前スケジューリングサービスの実行時刻及び前記事前スケジューリングサービスに伝送するデータの大きさを示すために用いられ、
前記送受信機１３２０は、さらに、前記ネットワークデバイスにより送信された第１構成情報を受信するように構成され、前記第１構成情報は、前記端末デバイスが前記事前スケジューリングサービスを実行する時に使用する時間領域リソース及び周波数領域リソースを示すために用いられ、
プロセッサー１３３０がプログラムを実行し、前記プログラムが実行される場合、前記プロセッサー１３３０は、前記第１構成情報に示す時間領域リソース及び周波数領域リソースにおいて前記事前スケジューリングサービスを実行するように構成される。
【０２１６】
本発明の実施例において、ネットワークデバイスが端末デバイスにより送信されたサービス要求メッセージに基づいて、端末デバイスが事前スケジューリングサービスを実行する時に使用する時間領域リソース及び周波数領域リソースを合理的に確定することができ、これによって、端末デバイスが事前スケジューリングサービスを良く実行することができる。
【０２１７】
選択的に、１つの実施例として、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、ここで、前記端末デバイスが前記複数の時刻の少なくとも２つの時刻に前記事前スケジューリングサービスを実行する時に使用する周波数領域リソースが異なる。
【０２１８】
選択的に、１つの実施例として、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、ここで、前記端末デバイスが各時刻に前記事前スケジューリングサービスを実行する時に使用する周波数領域リソースが同じである。
【０２１９】
選択的に、１つの実施例として、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【０２２０】
選択的に、１つの実施例として、前記送受信機１３２０は、具体的に、前記ネットワークデバイスにより送信された前記第１構成情報を受信した後、前記端末デバイスにより送信された第２構成情報を受信するように構成され、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【０２２１】
選択的に、１つの実施例として、前記第１構成情報は、前記送受信機１３２０が上位層シグナリング又は物理層シグナリングにより受信したものである。
【０２２２】
選択的に、１つの実施例として、前記第１構成情報は、時間領域リソース指示情報及び周波数領域リソース指示情報を含み、ここで、前記時間領域リソース指示情報は、前記送受信機１３２０が上位層シグナリングにより受信したものであり、前記周波数領域リソース構成情報は、前記送受信機１３２０が物理層シグナリングにより受信したものである。
【０２２３】
選択的に、１つの実施例として、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記送受信機１３２０は、さらに、前記ネットワークデバイスにより送信されたスケジューリング情報を受信するように構成され、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられ、前記送受信機１３２０は、具体的に、前記スケジューリング情報内の第１指示情報に基づいて、前記事前スケジューリングサービスを実行する時に使用する時間領域リソース及び周波数領域リソースを確定するように構成される。
【０２２４】
図１４は本発明の実施例におけるシステムチップの構成図である。図１４的システムチップ１４００がシステムチップを含み、前記入力インターフェース１４０１、出力インターフェース１４０２、前記プロセッサー１４０３及びメモリ１４０４がバス１４０５により接続され、前記プロセッサー１４０３が前記メモリ１４０４内のコードを実行し、前記コードが実行される場合、前記プロセッサー１４０３が図２のネットワークデバイスにより実行する方法を実現する。
【０２２５】
図１５は本発明の実施例におけるシステムチップの構成図である。図１５のシステムチップ１５００がシステムチップを含み、前記入力インターフェース１５０１、出力インターフェース１５０２、前記プロセッサー１５０３及びメモリ１５０４がバス１５０５により接続され、前記プロセッサー１５０３が前記メモリ１５０４内のコードを実行し、前記コードが実行される場合、前記プロセッサー１５０３が図３の端末デバイスにより実行する方法を実現する。
【０２２６】
図１６は本発明の実施例におけるシステムチップの構成図である。図１６のシステムチップ１６００がシステムチップを含み、前記入力インターフェース１６０１、出力インターフェース１６０２、前記プロセッサー１６０３及びメモリ１６０４がバス１６０５により接続され、前記プロセッサー１６０３が前記メモリ１６０４内のコードを実行し、前記コードが実行される場合、前記プロセッサー１６０３が図４のネットワークデバイスにより実行する方法を実現する。
【０２２７】
図１７は本発明の実施例におけるシステムチップの構成図である。図１７のシステムチップ１７００がシステムチップを含み、前記入力インターフェース１７０１、出力インターフェース１７０２、前記プロセッサー１７０３及びメモリ１７０４がバス１７０５により接続され、前記プロセッサー１７０３が前記メモリ１７０４内のコードを実行し、前記コードが実行される場合、前記プロセッサー１７０３が図５の端末デバイスにより実行する方法を実現する。
【０２２８】
本願に開示されている実施例に説明されている各例示的なユニット及びアルゴリズムのステップを結合し、電子ハードウェア、又はコンピュータソフトウェアと電子ハードウェアの結合を用いて実現することができることを、当業者であれば理解できる。これらの機能がハードウェアの形式かあるいはソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０２２９】
当業者は、簡潔にするために、上記のシステム、装置及びユニットの動作過程が上記の方法の実施例の過程を参照することができることを理解すべきであり、ここで説明を省略する。
【０２３０】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを他のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０２３１】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０２３２】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０２３３】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０２３４】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019537900.tif 000010
【図２】
2019537900.tif 000011
【図３】
2019537900.tif 000012
【図４】
2019537900.tif 000013
【図５】
2019537900.tif 000014
【図６】
2019537900.tif 000015
【図７】
2019537900.tif 000016
【図８】
2019537900.tif 000017
【図９】
2019537900.tif 000018
【図１０】
2019537900.tif 000019
【図１１】
2019537900.tif 000020
【図１２】
2019537900.tif 000021
【図１３】
2019537900.tif 000022
【図１４】
2019537900.tif 000023
【図１５】
2019537900.tif 000024
【図１６】
2019537900.tif 000025
【図１７】
2019537900.tif 000026
【手続補正書】
【提出日】令和1年11月6日(2019.11.6)
【手続補正１】
【補正対象書類名】明細書
【補正対象項目名】全文
【補正方法】変更
【補正の内容】
【発明の詳細な説明】
【技術分野】
【０００１】
本発明の実施例は、通信分野に関し、具体的に、端末デバイスのスケジューリング方法、ネットワークデバイス及び端末デバイスに関する。
【背景技術】
【０００２】
ネットワークデバイスが従来のスケジューリング方法を使用し、端末デバイスが事前スケジューリングサービスを実行ようにスケジューリングする場合、その柔軟性が良くない。例えば、スケジューリングされたサービスと他のサービスとの競合が発生した場合、スケジューリングプロセスの全体を再実行する必要があり、その柔軟性が良くない。そして、柔軟性の良い端末デバイスに対するスケジューリング方法が必要となる。
【発明の概要】
【０００３】
本発明の実施例は、スケジューリングの柔軟性を向上させることができる端末デバイスのスケジューリング方法を提供する。
【０００４】
第１形態は、端末デバイスのスケジューリング方法を提供し、ネットワークデバイスが第１構成情報を確定することと、前記ネットワークデバイスが端末デバイスに前記第１構成情報を送信することとを含み、前記第１構成情報は、前記端末デバイスが事前スケジューリングサービスを実行する時に使用する時間領域リソース及び周波数領域リソースを示すために用いられる。
【０００５】
端末デバイスが事前スケジューリングサービスを実行する時に使用する時間領域リソース及び周波数領域リソースを第１構成情報により示すことは、従来の技術において端末デバイスが実行する事前スケジューリングサービスの伝送周期及び周波数領域リソースのみを示すことと比べ、端末デバイスが事前スケジューリングサービスを実行するように柔軟的にスケジューリングすることができる。
【０００６】
第１形態を結合し、第１形態のある実現方式において、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、前記端末デバイスが前記複数の時刻の少なくとも２つの時刻に前記事前スケジューリングサービスを実行する時に使用する周波数領域リソースが異なる。
【０００７】
第１形態を結合し、第１形態のある実現方式において、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、前記端末デバイスが各時刻に前記事前スケジューリングサービスを実行する時に使用する周波数領域リソースが同じである。
【０００８】
第１形態を結合し、第１形態のある実現方式において、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【０００９】
第１形態を結合し、第１形態のある実現方式において、前記ネットワークデバイスが前記端末デバイスに前記第１構成情報を送信した後、前記方法は、さらに、前記ネットワークデバイスが前記端末デバイスに第２構成情報を送信することを含み、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【００１０】
第１形態を結合し、第１形態のある実現方式において、前記第１構成情報は、前記ネットワークデバイスが上位層シグナリング又は物理層シグナリングにより送信したものである。
【００１１】
第１形態を結合し、第１形態のある実現方式において、前記第１構成情報は、時間領域リソース指示情報及び周波数領域リソース指示情報を含み、前記時間領域リソース指示情報は、前記ネットワークデバイスが上位層シグナリングにより送信したものであり、前記周波数領域リソース構成情報は、前記ネットワークデバイスが物理層シグナリングにより送信したものである。
【００１２】
第１形態を結合し、第１形態のある実現方式において、前記方法は、さらに、前記ネットワークデバイスが前記端末デバイスのサービス要求メッセージを受信することを含み、前記サービス要求メッセージは、前記端末デバイスが実行する前記事前スケジューリングサービスの実行時刻及び前記事前スケジューリングサービスに伝送するデータの大きさを示すために用いられ、前記ネットワークデバイスが第１構成情報を確定することは、前記ネットワークデバイスが前記サービス要求メッセージに基づいて前記第１構成情報を確定することを含む。
【００１３】
第１形態を結合し、第１形態のある実現方式において、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記方法は、さらに、前記ネットワークデバイスが前記端末デバイスにスケジューリング情報を送信することを含み、前記スケジューリング情報は、前記端末デバイスが前記複数の指示情報の１つの指示情報に基づいて、前記事前スケジューリングサービスを実行する時に使用する時間領域リソース及び周波数領域リソースを確定するように指示するために用いられる。
【００１４】
第２形態は、端末デバイスのスケジューリング方法を提供し、端末デバイスがネットワークデバイスにより送信された第１構成情報を受信することと、前記端末デバイスが前記第１構成情報に示す時間領域リソース及び周波数領域リソースにおいて事前スケジューリングサービスを実行することとを含み、前記第１構成情報は、前記端末デバイスが事前スケジューリングサービスを実行する時に使用する時間領域リソース及び周波数領域リソースを示すために用いられる。
【００１５】
端末デバイスが事前スケジューリングサービスを実行する時に使用する時間領域リソース及び周波数領域リソースを第１構成情報により示すことは、従来の技術において端末デバイスが実行する事前スケジューリングサービスの伝送周期及び周波数領域リソースのみを示すことと比べ、端末デバイスが事前スケジューリングサービスを実行するように柔軟的にスケジューリングすることができる。
【００１６】
第２形態を結合し、第２形態のある実現方式において、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、前記端末デバイスが前記複数の時刻の少なくとも２つの時刻に前記事前スケジューリングサービスを実行する時に使用する周波数領域リソースが異なる。
【００１７】
第２形態を結合し、第２形態のある実現方式において、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、前記端末デバイスが各時刻に前記事前スケジューリングサービスを実行する時に使用する周波数領域リソースが同じである。
【００１８】
第２形態を結合し、第２形態のある実現方式において、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【００１９】
第２形態を結合し、第２形態のある実現方式において、前記端末デバイスがネットワークデバイスにより送信された第１構成情報を受信した後、前記方法は、さらに、前記端末デバイスが前記ネットワークデバイスにより送信された第２構成情報を受信することを含み、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【００２０】
第２形態を結合し、第２形態のある実現方式において、前記第１構成情報は、前記端末デバイスが上位層シグナリング又は物理層シグナリングにより受信したものである。
【００２１】
第２形態を結合し、第２形態のある実現方式において、前記第１構成情報は、時間領域リソース指示情報及び周波数領域リソース指示情報を含み、前記時間領域リソース指示情報は、前記端末デバイスが上位層シグナリングにより受信したものであり、前記周波数領域リソース構成情報は、前記端末デバイスが物理層シグナリングにより受信したものである。
【００２２】
第２形態を結合し、第２形態のある実現方式において、前記方法は、さらに、前記端末デバイスが前記ネットワークデバイスにサービス要求メッセージを送信することを含み、前記サービス要求メッセージは、前記端末デバイスが実行する前記事前スケジューリングサービスの実行時刻及び前記事前スケジューリングサービスに伝送するデータの大きさを示すために用いられる。
【００２３】
第２形態を結合し、第２形態のある実現方式において、前記第１構成情報は、前記サービス要求メッセージに基づいて確定されたものである。
【００２４】
第２形態を結合し、第２形態のある実現方式において、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記方法は、さらに、前記端末デバイスが前記ネットワークデバイスにより送信されたスケジューリング情報を受信することと、前記端末デバイスが前記スケジューリング情報内の第１指示情報に基づいて、前記事前スケジューリングサービスを実行する時に使用する時間領域リソース及び周波数領域リソースを確定することとを含み、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられる。
【００２５】
第３形態は、端末デバイスのスケジューリング方法を提供し、ネットワークデバイスが端末デバイスのサービス要求メッセージを受信することと、前記ネットワークデバイスが前記サービス要求メッセージに基づいて第１構成情報を確定することと、前記ネットワークデバイスが前記端末デバイスに前記第１構成情報を送信することとを含み、前記サービス要求メッセージは、前記端末デバイスが実行する事前スケジューリングサービスの実行時刻及び前記事前スケジューリングサービスに伝送するデータの大きさを示すために用いられ、前記第１構成情報は、前記端末デバイスが前記事前スケジューリングサービスを実行する時に使用する時間領域リソース及び周波数領域リソースを示すために用いられる。
【００２６】
ネットワークデバイスが端末デバイスにより送信されたサービス要求メッセージに基づいて、端末デバイスが事前スケジューリングサービスを実行する時に使用する時間領域リソース及び周波数領域リソースを合理的に確定することができ、これによって、端末デバイスが事前スケジューリングサービスを良く実行することができる。
【００２７】
第３形態を結合し、第３形態のある実現方式において、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、前記端末デバイスが前記複数の時刻の少なくとも２つの時刻に前記事前スケジューリングサービスを実行する時に使用する周波数領域リソースが異なる。
【００２８】
第３形態を結合し、第３形態のある実現方式において、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、前記端末デバイスが各時刻に前記事前スケジューリングサービスを実行する時に使用する周波数領域リソースが同じである。
【００２９】
第３形態を結合し、第３形態のある実現方式において、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【００３０】
第３形態を結合し、第３形態のある実現方式において、前記ネットワークデバイスが前記端末デバイスに前記第１構成情報を送信した後、前記方法は、さらに、前記ネットワークデバイスが前記端末デバイスに第２構成情報を送信することを含み、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【００３１】
第３形態を結合し、第３形態のある実現方式において、前記第１構成情報は、前記ネットワークデバイスが上位層シグナリング又は物理層シグナリングにより送信したものである。
【００３２】
第３形態を結合し、第３形態のある実現方式において、前記第１構成情報は、時間領域リソース指示情報及び周波数領域リソース指示情報を含み、前記時間領域リソース指示情報は、前記ネットワークデバイスが上位層シグナリングにより送信したものであり、前記周波数領域リソース構成情報は、前記ネットワークデバイスが物理層シグナリングにより送信したものである。
【００３３】
第３形態を結合し、第３形態のある実現方式において、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記方法は、さらに、前記ネットワークデバイスが前記端末デバイスにスケジューリング情報を送信することを含み、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられる。
【００３４】
第４形態は、端末デバイスのスケジューリング方法を提供し、端末デバイスがネットワークデバイスにサービス要求メッセージを送信することと、前記端末デバイスが前記ネットワークデバイスにより送信された第１構成情報を受信することと、前記端末デバイスが前記第１構成情報に示す時間領域リソース及び周波数領域リソースにおいて前記事前スケジューリングサービスを実行することとを含み、前記サービス要求メッセージは、前記端末デバイスが実行する事前スケジューリングサービスの実行時刻及び前記事前スケジューリングサービスに伝送するデータの大きさを示すために用いられ、前記第１構成情報は、前記端末デバイスが前記事前スケジューリングサービスを実行する時に使用する時間領域リソース及び周波数領域リソースを示すために用いられる。
【００３５】
ネットワークデバイスが端末デバイスにより送信されたサービス要求メッセージに基づいて、端末デバイスが事前スケジューリングサービスを実行する時に使用する時間領域リソース及び周波数領域リソースを合理的に確定することができ、これによって、端末デバイスが事前スケジューリングサービスを良く実行することができる。
【００３６】
第４形態を結合し、第４形態のある実現方式において、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、前記端末デバイスが前記複数の時刻の少なくとも２つの時刻に前記事前スケジューリングサービスを実行する時に使用する周波数領域リソースが異なる。
【００３７】
第４形態を結合し、第４形態のある実現方式において、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、前記端末デバイスが各時刻に前記事前スケジューリングサービスを実行する時に使用する周波数領域リソースが同じである。
【００３８】
第４形態を結合し、第４形態のある実現方式において、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【００３９】
第４形態を結合し、第４形態のある実現方式において、前記端末デバイスが前記ネットワークデバイスにより送信された前記第１構成情報を受信した後、前記方法は、さらに、前記端末デバイスが前記端末デバイスにより送信された第２構成情報を受信することを含み、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【００４０】
第４形態を結合し、第４形態のある実現方式において、前記第１構成情報は、前記端末デバイスが上位層シグナリング又は物理層シグナリングにより受信したものである。
【００４１】
第４形態を結合し、第４形態のある実現方式において、前記第１構成情報は、時間領域リソース指示情報及び周波数領域リソース指示情報を含み、前記時間領域リソース指示情報は、前記端末デバイスが上位層シグナリングにより受信したものであり、前記周波数領域リソース構成情報は、前記端末デバイスが物理層シグナリングにより受信したものである。
【００４２】
第４形態を結合し、第４形態のある実現方式において、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記方法は、さらに、前記端末デバイスが前記ネットワークデバイスにより送信されたスケジューリング情報を受信することを含み、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられる。
【００４３】
第５形態は、ネットワークデバイスを提供し、前記ネットワークデバイスは前記第１形態の方法を実行するためのモジュールを含む。
【００４４】
第６形態は、端末デバイスを提供し、前記端末デバイスは前記第２形態の方法を実行するためのモジュールを含む。
【００４５】
第７形態は、ネットワークデバイスを提供し、前記ネットワークデバイスは前記第３形態の方法を実行するためのモジュールを含む。
【００４６】
第８形態は、端末デバイスを提供し、前記端末デバイスは前記第４形態の方法を実行するためのモジュールを含む。
【００４７】
第９形態は、ネットワークデバイスを提供し、メモリ、送受信機及びプロセッサーを含み、前記メモリにプログラムが記憶され、前記プロセッサーがプログラムを実行し、前記プログラムが実行される場合、前記プロセッサーと前記送受信機とが前記第１形態の方法を実行する。
【００４８】
第１０形態は、端末デバイスを提供し、メモリ、送受信機及びプロセッサーを含み、前記メモリにプログラムが記憶され、前記プロセッサーがプログラムを実行し、前記プログラムが実行される場合、前記プロセッサーと前記送受信機とが前記第２形態の方法を実行する。
【００４９】
第１１形態は、ネットワークデバイスを提供し、メモリ、送受信機及びプロセッサーを含み、前記メモリにプログラムが記憶され、前記プロセッサーがプログラムを実行し、前記プログラムが実行される場合、前記プロセッサーと前記送受信機とが前記第３形態の方法を実行する。
【００５０】
第１２形態は、端末デバイスを提供し、メモリ、送受信機及びプロセッサーを含み、前記メモリにプログラムが記憶され、前記プロセッサーがプログラムを実行し、前記プログラムが実行される場合、前記プロセッサーと前記送受信機とが前記第４形態の方法を実行する。
【００５１】
第１３形態は、コンピュータ可読媒体を提供し、前記コンピュータ可読媒体にはデバイスの実行するプログラムコードが記憶され、前記プログラムコードが第１形態の方法を実行するための命令を含む。
【００５２】
第１４形態は、コンピュータ可読媒体を提供し、前記コンピュータ可読媒体にはデバイスの実行するプログラムコードが記憶され、前記プログラムコードが第２形態の方法を実行するための命令を含む。
【００５３】
第１５形態は、コンピュータ可読媒体を提供し、前記コンピュータ可読媒体にはデバイスの実行するプログラムコードが記憶され、前記プログラムコードが第３形態の方法を実行するための命令を含む。
【００５４】
第１６形態は、コンピュータ可読媒体を提供し、前記コンピュータ可読媒体にはデバイスの実行するプログラムコードが記憶され、前記プログラムコードが第４形態の方法を実行するための命令を含む。
【００５５】
第１７形態は、システムチップを提供し、当該システムチップが入力インターフェース、出力インターフェース、プロセッサー及びメモリを含み、当該プロセッサーが当該メモリ内のコードを実行し、当該コードが実行される場合、当該プロセッサーが上記の第１形態のネットワークデバイスにより実行される各プロセスを実現する。
【００５６】
第１８形態は、システムチップを提供し、当該システムチップが入力インターフェース、出力インターフェース、プロセッサー及びメモリを含み、当該プロセッサーが当該メモリ内のコードを実行し、当該コードが実行される場合、当該プロセッサーが上記の第２形態のネットワークデバイスにより実行される各プロセスを実現する。
【００５７】
第１９形態は、システムチップを提供し、当該システムチップが入力インターフェース、出力インターフェース、プロセッサー及びメモリを含み、当該プロセッサーが当該メモリ内のコードを実行し、当該コードが実行される場合、当該プロセッサーが上記の第３形態のネットワークデバイスにより実行される各プロセスを実現する。
【００５８】
第２０形態は、システムチップを提供し、当該システムチップが入力インターフェース、出力インターフェース、プロセッサー及びメモリを含み、当該プロセッサーが当該メモリ内のコードを実行し、当該コードが実行される場合、当該プロセッサーが上記の第４形態のネットワークデバイスにより実行される各プロセスを実現する。
【図面の簡単な説明】
【００５９】
【図１】本発明の実施例の応用可能なシーンの模式図である。
【図２】本発明の実施例における端末デバイスのスケジューリング方法のフローチャートである。
【図３】本発明の実施例における端末デバイスのスケジューリング方法のフローチャートである。
【図４】本発明の実施例における端末デバイスのスケジューリング方法のフローチャートである。
【図５】本発明の実施例における端末デバイスのスケジューリング方法のフローチャートである。
【図６】本発明の実施例におけるネットワークデバイスのブロック図である。
【図７】本発明の実施例における端末デバイスのブロック図である。
【図８】本発明の実施例におけるネットワークデバイスのブロック図である。
【図９】本発明の実施例における端末デバイスのブロック図である。
【図１０】本発明の実施例におけるネットワークデバイスのブロック図である。
【図１１】本発明の実施例における端末デバイスのブロック図である。
【図１２】本発明の実施例におけるネットワークデバイスのブロック図である。
【図１３】本発明の実施例における端末デバイスのブロック図である。
【図１４】本発明の実施例におけるシステムチップのブロック図である。
【図１５】本発明の実施例におけるシステムチップのブロック図である。
【図１６】本発明の実施例におけるシステムチップのブロック図である。
【図１７】本発明の実施例におけるシステムチップのブロック図である。
【発明を実施するための形態】
【００６０】
以下、本発明の実施例の図面を参照し、本発明の実施例の技術案を説明する。
【００６１】
なお、本発明の実施例における端末デバイスのスケジューリング方法は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）等の従来の通信システム、時に、将来の５Ｇ通信システムなどに応用されることができる。
【００６２】
特に、本発明の実施例の技術案は、非直交多重アクセス技術に基づく各通信システム、例えば散在符号多重接続（ＳＣＭＡ：Ｓｐａｒｓｅ  Ｃｏｄｅ  Ｍｕｌｔｉｐｌｅ  Ａｃｃｅｓｓ）システム、低密度シグネチャ（ＬＤＳ：Ｌｏｗ  Ｄｅｎｓｉｔｙ  Ｓｉｇｎａｔｕｒｅ）システム等などに応用されることができ、当然、ＳＣＭＡシステムやＬＤＳシステムが通信分野において他の名前と言われてもよく、さらに、本発明の実施例の技術案は、非直交多重アクセス技術を採用するマルチキャリア伝送システム、例えば非直交多重アクセス技術を採用する直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルターバンクマルチキャリア （ＦＢＭＣ：Ｆｉｌｔｅｒ  Ｂａｎｋ  Ｍｕｌｔｉ−Ｃａｒｒｉｅｒ）、通用周波数分割多重化（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ−ＯＦＤＭ（Ｆ−ＯＦＤＭ：Ｆｉｌｔｅｒｅｄ−ＯＦＤＭ）システムなどに応用されることができる。
【００６３】
本発明の実施例におけるネットワークデバイスは端末デバイスと通信するためのデバイスであっても良く、例えばＧＳＭシステム又はＣＤＭＡにおける基地局（ＢＴＳ：Ｂａｓｅ  Ｔｒａｎｓｃｅｉｖｅｒ  Ｓｔａｔｉｏｎ）、ＷＣＤＭＡシステムにおける基地局（ＮＢ：ＮｏｄｅＢ）、ＬＴＥシステムにおける進化型基地局（ｅＮＢ又はｅＮｏｄｅＢ：Ｅｖｏｌｕｔｉｏｎａｌ  ＮｏｄｅＢ）、クラウド無線アクセスネットワーク（ＣＲＡＮ：Ｃｌｏｕｄ  Ｒａｄｉｏ  Ａｃｃｅｓｓ  Ｎｅｔｗｏｒｋ）の無線コントローラであってよく、又は該基地局は中継局、アクセスポイント、車載デバイス、ウェアラブルデバイス及び将来の５Ｇネットワークにおけるネットワーク側デバイス、又は将来進化型公衆移動通信網ＰＬＭＮおけるネットワークデバイスなどであっても良く、本発明の実施例がこれに限定されない。
【００６４】
本発明の実施例における端末デバイスは、ユーザデバイス（ＵＥ：Ｕｓｅｒ  Ｅｑｕｉｐｍｅｎｔ）、アクセス端末、ユーザユニット、ユーザステーション、移動ステーション、移動局、遠隔局、遠隔端末、移動デバイス、ユーザ端末、端末、無線通信デバイス、ユーザエージェント又はユーザ装置と指しても良い。アクセス端末はセルラー電話、無線電話、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレス・ローカル・ループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を有する携帯デバイス、計算デバイス又は無線変調復調器に接続するその他のデバイス、車載デバイス、ウェアラブルデバイス、および将来の５Ｇネットワークにおける端末デバイス、又は将来進化型公衆移動通信網（ＰＬＭＮ：Ｐｕｂｌｉｃ  Ｌａｎｄ  Ｍｏｂｉｌｅ  Ｎｅｔｗｏｒｋ）おける端末デバイスなどであっても良く、本発明の実施例がこれに限定されない。
【００６５】
本発明の実施例における端末デバイスのスケジューリング方法、ネットワークデバイス及び端末デバイスをよく理解するために、以下、図１を参照し本発明の実施例の応用可能なシーンを説明する。
【００６６】
図１は本発明の実施例の応用可能なシーンの模式図である。図１に示す通信システムがネットワークデバイス及び端末デバイスを含み、ネットワークデバイスがスケジューリング命令を使用し、端末デバイスが事前スケジューリングサービスを実行するようにスケジューリングすることができる。具体的に、ネットワークデバイスは、スケジューリング命令を使用し、端末デバイスが特定の時刻に対応する周波数領域リソースを使用して基地局にアップリンクデータを送信し、又は、端末デバイスが特定の時刻に対応する周波数領域リソースを使用して基地局からのダウンリンクデータを受信するようにスケジューリングする。
【００６７】
図２は本発明の実施例における端末デバイスのスケジューリング方法のフローチャートである。図２の方法は、２１０及び２２０を含み、
２１０において、ネットワークデバイスが第１構成情報を確定し、前記第１構成情報は、前記端末デバイスが事前スケジューリングサービスを実行する時に使用する時間領域リソース及び周波数領域リソースを示すために用いられる。
【００６８】
端末デバイスが事前スケジューリングサービスを実行する時に使用する時間領域リソース及び周波数領域リソースを上記の第１構成情報により示す方式は、複数の方式であってもよく、具体的に、端末デバイスが事前スケジューリングサービスを実行する時に使用する時間周波数リソースを上記の第１構成情報により示すことは、以下の３つの場合を含む。
【００６９】
第１の場合として、事前スケジューリングサービスが周期的なサービスであり、上記の第１構成情報は、事前スケジューリングサービスの伝送周期及び前記端末デバイスが複数の時刻の各時刻に事前スケジューリングサービスを実行する時に使用する周波数領域リソースを示すために用いられ、ここで、端末デバイスが複数の時刻の少なくとも２つの時刻に事前スケジューリングサービスを実行する時に使用する周波数領域リソースが異なる。
【００７０】
上記の周期的なサービスが、端末デバイスとネットワークデバイスとの間でデータを周期的に伝送するためのサービスであってもよく、例えば、スマートメーターが固定の周期でネットワークデバイスにユーザーの電力消費データを送信する。
【００７１】
事前スケジューリングサービスの伝送周期及び端末デバイスが複数の時刻の各時刻に事前スケジューリングサービスを実行する時に使用する周波数領域リソースを上記の第１構成情報により示す方式は、複数の方式であってもよい。例えば、第１構成情報が{Ｔ、Ｆ１、Ｆ２、Ｆ３…}であり、ここで、Ｔが事前スケジューリングサービスの伝送周期を示し、端末デバイスが事前スケジューリングサービスをＴの時間ごとに実行し、Ｆ１、Ｆ２、Ｆ３…は、端末デバイスが事前スケジューリングサービスを１回目、２回目、３回目…に実行する時に使用する周波数領域リソースをそれぞれ示す。
【００７２】
また、上記の第１構成情報が１つの周期情報及び１つのリスト情報からなり、当該周期情報が、事前スケジューリングサービスの伝送周期をＴとして示し、当該リスト情報が表１に示し、ここで、Ｆ１、Ｆ２、Ｆ３…は、端末デバイスが事前スケジューリングサービスを第１時刻、第２時刻、第３時刻…に実行する時に使用する周波数領域リソースをそれぞれ示し、ここで、第１時刻と第２時刻との時間間隔がＴ、第２時刻と第３時刻との時間間隔がＴである。第１時刻は、端末デバイスが当該第１構成情報を受信してから予め設定された時間間隔を経過した時刻であってもよく、予め設定された時間間隔の大きさが通信プロトコルにより確定されたものであってもよいし、端末デバイスとネットワークデバイスとが予め約定されたものであってもよい。また、端末デバイスが第１構成情報を受信してから事前スケジューリングサービスをすぐ実行せず、ネットワークデバイスにより送信されたトリガー情報を受信してから当該事前スケジューリングサービスをすぐに実行してもよい。
【表１】
2019537900.tif 000027
【００７３】
上記のリスト情報が表２に示したものであってもよく、表２に示すように、１、２、３は、端末デバイスが事前スケジューリングサービスを実行する第１時刻、第２時刻、第３時刻をそれぞれ示す。Ｆ１、Ｆ２、Ｆ３…は、端末デバイスが事前スケジューリングサービスを第１時刻、第２時刻、第３時刻…に実行する時に使用する周波数領域リソースをそれぞれ示す。
【表２】
2019537900.tif 000028
【００７４】
また、端末デバイスが事前スケジューリングサービスを異なる時刻に実行する周波数領域リソースは、周期的なものであってもよく、表３及び表４に示すように、第１時刻乃至第３時刻に対応する周波数領域リソースがＦ１、Ｆ２及びＦ３であり、第４時刻乃至第６時刻に対応する周波数領域リソースもＦ１、Ｆ２及びＦ３である。つまり、３つの周波数領域リソースを有し、端末デバイスが事前スケジューリングサービスを実行する時に使用する周波数領域リソースが３つの時刻ごとに繰り返す。周波数領域リソースを周期的に構成することで、周波数領域リソースを有効に利用し、周波数領域リソースの利用率を向上させることができる。
【表３】
2019537900.tif 000029
【表４】
2019537900.tif 000030
【００７５】
第１場合において、事前スケジューリングサービスが周期的なサービスである場合、端末デバイスの事前スケジューリングサービスの実行周期のみを第１構成情報により示し、端末デバイスの事前スケジューリングサービスの実行の各時刻を示す必要がなく、このように、スケジューリング端末デバイスが事前スケジューリングサービスを実行する際に、一定のシグナリングオーバーヘッドを節約することができる。
【００７６】
第２場合として、事前スケジューリングサービスが非周期的なサービスであり、上記の第１構成情報は、端末デバイスが事前スケジューリングサービスを実行する各時刻及び端末デバイスが事前スケジューリングサービスを実行する各時刻に使用する周波数領域リソースを示すために用いられ、ここで、端末デバイスが事前スケジューリングサービスを実行する各時刻に使用する周波数領域リソースが同じである。
【００７７】
上記の第１構成情報が２つの情報を含み、１つの情報は、端末デバイスが事前スケジューリングサービスを実行する特に使用する周波数領域リソースを示すために用いられ、もう１つの情報は、端末デバイスが事前スケジューリングサービスを実行する各時刻を示す。例えば、上記の第１構成情報が第１情報及び第２情報を含み、第１情報は、端末デバイスが周波数領域リソースＦ１を使用して事前スケジューリングサービスを実行するように示し、第２情報がリスト情報であり、表５に示すように、第２情報は、端末デバイスがＴ１、Ｔ２及びＴ３時刻に事前スケジューリングサービスをそれぞれ実行し、且つ、端末デバイスがＴ１、Ｔ２及びＴ３時刻に事前スケジューリングサービスを実行する時に使用する周波数領域リソースがともにＦ１であることを示す。
【表５】
2019537900.tif 000031
【００７８】
第３場合として、第１構成情報は、端末デバイスが事前スケジューリングサービスを実行する各時刻及び端末デバイスが事前スケジューリングサービスを各時刻に実行する時にそれぞれ使用する周波数領域リソースを示すために用いられる。
【００７９】
第３場合において、事前スケジューリングサービスは、周期的なサービスであってもよいし、非周期的なサービスであってもよく、つまり、周期的なサービスに関わらず、第１構成情報は、端末デバイスが事前スケジューリングサービスを実行する各時刻及び端末デバイスが事前スケジューリングサービスを各時刻に実行する時にそれぞれ使用する周波数領域リソースを示す。この時、第１構成情報は、具体的に、表６に示すように、表６に、端末デバイスが事前スケジューリングサービスをＴ１、Ｔ２、Ｔ３…時刻に実行する時に使用する周波数領域リソースがそれぞれＦ１、Ｆ２、Ｆ３…である。
【表６】
2019537900.tif 000032
【００８０】
第１構成情報が表７に示すものであってもよく、表７に示すように、端末デバイスが事前スケジューリングサービスをＴ１−Ｔ３時刻に実行する時に使用する周波数領域リソースは、それぞれＦ１、Ｆ２及びＦ３であり、端末デバイスが事前スケジューリングサービスをＴ４−Ｔ６時刻に実行する時に使用する周波数領域リソースもそれぞれＦ１、Ｆ２及びＦ３である。つまり、端末デバイスが事前スケジューリングサービスを実行する時に使用する周波数領域リソースが周期的なものであり、端末デバイスが事前スケジューリングサービスを実行する時に使用する周波数領域リソースが、３つの時刻ごとに繰り返す。
【表７】
2019537900.tif 000033
【００８１】
なお、上記の表１−表７において、Ｆ１、Ｆ２、Ｆ３が相違する３つの周波数領域リソースであってもよく、Ｆ１、Ｆ２、Ｆ３が２つの同じ周波数領域リソースを含んでもよく、例えば、Ｆ１とＦ２とが同じ周波数領域リソースであり、又は、Ｆ２とＦ３とが同じ周波数領域リソースであり、又は、Ｆ１とＦ３とが同じ周波数領域リソースである。
【００８２】
なお、上記の複数の時刻が、端末デバイスが事前スケジューリングサービスを実行する時に使用する複数の時間領域リソースであり、つまり、時刻が時間領域リソースであり、さらに、端末デバイスが複数の時刻に対応する周波数領域リソースにおいて事前スケジューリングサービスを実行することは、端末デバイスが複数の時間領域リソースに対応する周波数領域リソースにおいて事前スケジューリングサービスを実行することと同じである。
【００８３】
２２０において、前記ネットワークデバイスが前記端末デバイスに前記第１構成情報を送信する。
【００８４】
上記の事前スケジューリングサービスは、具体的に、端末デバイスがネットワークデバイスにデータを送信するためのアップリンクサービスであってもよいし、端末デバイスがネットワークデバイスからデータを受信するためのダウンリンクサービスであってもよい。上記の事前スケジューリングサービスがアップリンクサービスである場合、端末デバイスがネットワークデバイスからのスケジューリング情報を受信した後、第１構成情報に示す時間領域リソース及び周波数領域リソースにおいてネットワークデバイスにサービスデータを送信し、上記の事前スケジューリングサービスがダウンリンクサービスである場合、端末デバイスがネットワークデバイスからのスケジューリング情報を受信した後、第１構成情報に示す時間領域リソース及び周波数領域リソースにおいてネットワークデバイスからのサービスデータを受信する。
【００８５】
本発明の実施例において、端末デバイスが事前スケジューリングサービスを実行する時に使用する時間領域リソース及び周波数領域リソースを第１構成情報により示すことは、従来の技術において端末デバイスが実行する事前スケジューリングサービスの伝送周期及び周波数領域リソースのみを示すことと比べ、端末デバイスが事前スケジューリングサービスを実行するように柔軟的にスケジューリングすることができる。
【００８６】
ある実施例において、ネットワークデバイスが端末デバイスに第１構成情報を送信した後、ネットワークデバイスが端末デバイスに第２構成情報をさらに送信し、当該第２構成情報は、端末デバイスが少なくとも１つの第１時刻に第１周波数領域リソースを使用して事前スケジューリングサービスを実行することから、端末デバイスが少なくとも１つの第２時刻に第２周波数領域リソースを使用して事前スケジューリングサービスを実行することに再構成するために用いられる。
【００８７】
第２構成情報を使用することで、端末デバイスがもともと１つ以上の時刻に周波数領域リソースを使用して実行する事前スケジューリングサービスを変更することができる。柔軟的に構成することで、スケジューリングの柔軟性を向上させ、他のサービスとの競合を回避することができる。
【００８８】
例えば、第１構成情報は、端末デバイスがＴ１時刻に周波数領域リソースＦ１を使用して事前スケジューリングサービスを実行するように指示し、第２構成情報で端末デバイスを再構成することで、端末デバイスがＴ１時刻に周波数領域リソースＦ１を利用して事前スケジューリングサービスを実行することを、Ｔ１’時刻に周波数領域リソースＦ１’を使用して事前スケジューリングサービスを実行することに変更する。ここのＴ１がＴ１’と異なり、Ｆ１がＦ１’と同じ、又は、Ｔ１がＴ１’と同じ、Ｆ１がＦ１’と異なり、又は、Ｔ１がＴ１’と異なり、Ｆ１がＦ１’と異なる。つまり、第２構成情報を利用し、端末デバイスが事前スケジューリングサービスを実行する実行時刻を変更し、又は、端末デバイスが事前スケジューリングサービスを実行する時に使用する周波数領域リソースを変更し、又は、端末デバイスが事前スケジューリングサービスを実行する実行時刻及び使用する周波数領域リソース両方を変更することができる。
【００８９】
上記の例に、少なくとも１つの第１時刻及び少なくとも１つの第２時刻がともに１つの時刻であることを示し、少なくとも１つの第１時刻及び少なくとも１つの第２時刻がともに複数の時刻を含む場合、例えば、少なくとも１つの第１時刻が{Ｔ１、Ｔ２、Ｔ３}時刻を含み、且つ{Ｔ１、Ｔ２、Ｔ３}時刻に対応する周波数領域リソースが{Ｆ１、Ｆ２、Ｆ３}であり、少なくとも１つの第２時刻が{Ｔ１’、Ｔ２’、Ｔ３’}時刻を含み、且つ{Ｔ１’、Ｔ２’、Ｔ３’}時刻に対応する周波数領域リソースが{Ｆ１’、Ｆ２’及びＦ３’}である。この場合、{Ｔ１、Ｔ２、Ｔ３}と{Ｔ１’、Ｔ２’、Ｔ３’}とは、１つ以上の時刻が同じであってもいし、全く相異してもよい。同様、{Ｆ１、Ｆ２、Ｆ３}と{Ｆ１’、Ｆ２’及びＦ３’}とは、１つ以上が同じであってもいし、全く相異してもよい。
【００９０】
従来の技術において、ネットワークデバイスは、半永続スケジューリングで端末デバイスが事前スケジューリングサービスを実行するようにスケジューリングする場合、端末デバイスに送信した構成情報は、端末デバイスが事前スケジューリングサービスを実行する周期及び事前スケジューリングサービスを実行する時に使用する周波数領域リソースを示す。例えば、ネットワークデバイスが端末デバイスに第１スケジューリング情報を送信し、第１スケジューリング情報は、端末デバイスがアップリンクデータを伝送するための周期が１００ｍｓ、当該アップリンクデータを伝送する時に使用する周波数領域リソースが第１周波数領域リソースであることを示し、この場合、端末デバイスが第１スケジューリング情報を受信してから、ある時刻（当該時刻が第１スケジューリング情報の受信時刻であってもよいし、第１スケジューリング情報の受信後の一定の時間間隔後の時刻であってもよい）において、１００ｍｓの伝送周期でネットワークデバイスにアップリンクデータを送信する。
【００９１】
端末デバイスが事前スケジューリングサービスを実行する時刻及び使用する周波数領域リソースを変更する必要がある場合、ネットワークデバイスが端末デバイスに新しい構成情報を送信し、新しい構成情報を受信した後、構成変更された時点から全ての構成が変更されるが、実際に、全ての時刻を変更する必要がなく、その中のある指定時刻を変更すればよい可能性があり、そして、従来の半永続スケジューリングの柔軟性が良くない。
【００９２】
この指示方式は、端末デバイスがどの周波数領域リソースを使用してネットワークデバイスにアップリンクデータを各時刻に伝送することを直接に指示しない。本発明の実施例における第１構成情報は、端末デバイスがどの周波数領域リソースを使用してネットワークデバイスにアップリンクデータを各時刻に伝送することを直接に指示するため、本発明の実施例の指示方式の柔軟性が良くなる。
【００９３】
本発明の実施例において、第２構成情報を利用し、端末デバイスが事前スケジューリングサービスを指定の時刻に実行する時に使用する周波数領域リソース及び時間領域リソースを変更し、他の周波数領域リソースを使用してアップリンクデータを他の時刻に伝送することを影響せず、従来の技術と比べ、変更内容が小さくなり、柔軟性が良い。
【００９４】
ある実施例において、端末デバイス事前スケジューリングサービスを実行する時に使用する周波数領域リソースが周期性的なものである場合、第１構成情報は、具体的に、{Ｐ１，Ｆ１，０Ｆ１；Ｐ２，Ｆ２，０Ｆ２；Ｐ３，Ｆ３，０Ｆ３…}であってもよく，ここで、周波数領域リソースＦ１の周期がＰ１であり、開始時刻との時間領域オフセットが０Ｆ１であり、つまり、端末デバイスは、開始時刻から時間間隔０Ｆ１を経過した時間帯において、周波数領域リソースＦ１を使用して事前スケジューリングサービスを実行し、次に、時間Ｐ１を経過するごとに周波数領域リソースＰ１を使用して当該事前スケジューリングサービスを実行する。他の周波数領域リソースが周波数領域リソースＦ１と同様である。なお、０Ｆ１がゼロである場合、端末デバイスは、開始時刻から周波数領域リソースＦ１を使用して事前スケジューリングサービスを実行する。
【００９５】
選択的に、上記の第１構成情報と上記の第２構成情報とは、ネットワークデバイスが上位層シグナリング又は物理層シグナリングにより送信したものである。
【００９６】
ここで、上位層シグナリングが無線リソース管理（ＲＲＣ：Ｒａｄｉｏ  Ｒｅｓｏｕｒｃｅ  Ｃｏｎｔｒｏｌ）シグナリングであってもよく、物理層シグナリングがダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）に送信されたシグナリングであってもよい。
【００９７】
ある実施例において、上記の第１構成情報は、時間領域リソース指示情報及び周波数領域リソース指示情報を含み、ここで、時間領域リソース指示情報は、ネットワークデバイスが上位層シグナリングにより送信したものであり、周波数領域リソース構成情報は、ネットワークデバイスが物理層シグナリングにより送信したものである。
【００９８】
同様、上記の第２構成情報は時間領域リソース指示情報及び周波数領域リソース指示情報を含み、ここで、時間領域リソース指示情報は、ネットワークデバイスが上位層シグナリングにより送信したものであり、周波数領域リソース構成情報は、ネットワークデバイスが物理層シグナリングにより送信したものである。
【００９９】
基地局がＲＲＣシグナリングによりＴ１、Ｔ２、Ｔ３…の時刻リストを構成してもよく、当該時刻リストは、リストの時刻において端末に対しスケジューリングされるサービスが存在することを示し、基地局は、スケジューリング時刻又はスケジューリング時刻の前の所定時刻に、物理層シグナリングを使用し、事前スケジューリングサービスをスケジューリング時刻に実行する時に使用する周波数領域リソースを端末デバイスに指示し、また、基地局は、ある時刻に、事前スケジューリングサービスを複数の時刻に実行する時に使用する周波数領域リソースを端末デバイスにそれぞれ指示する。
【０１００】
具体的に、基地局は、Ｔ１時刻に、事前スケジューリングサービスをＴ１時刻に実行する時に使用する周波数領域リソースをＰＤＣＣＨで端末に指示し、又は、基地局は、Ｔ１時刻の前の所定の時刻Ｔ１’に、事前スケジューリングサービスをＴ１時刻に実行する時に使用する周波数領域リソースをＰＤＣＣＨで端末デバイスに指示する。なお、基地局は、Ｔ１時刻に、事前スケジューリングサービスをＴ１、Ｔ２及びＴ３時刻に実行する周波数領域リソースをＰＤＣＣＨで端末デバイスにそれぞれ指示し、又は、基地局は、Ｔ１時刻の前の所定時刻Ｔ１’に、事前スケジューリングサービスをＴ１、Ｔ２及びＴ３時刻に実行する時に使用する周波数領域リソースをＰＤＣＣＨで端末デバイスにそれぞれ指示する。
【０１０１】
ある実施例において、上記の端末デバイスのスケジューリング方法は、さらに、ネットワークデバイスが端末デバイスのサービス要求メッセージを受信することを含み、当該サービス要求メッセージは、端末デバイスが実行する事前スケジューリングサービスの実行時刻及び前記事前スケジューリングサービスに伝送するデータの大きさを示すために用いられ、ネットワークデバイスが第１構成情報を確定することは、ネットワークデバイスが当該サービス要求メッセージに基づいて上記の第１構成情報を確定することを含む。
【０１０２】
具体的に、上記のサービス要求情報が、具体的に、表８に示すのもであってもよく、表８に示すように、端末デバイスのＴ１時刻に伝送するデータの大きさがＳ１のサービス、Ｔ２時刻に伝送するデータの大きさがＳ２のサービスである。ネットワークデバイスは、当該サービス要求メッセージを受信した後、当該サービス要求メッセージに基づいて第１構成情報を確定し、例えば、上記の第１構成情報は、端末デバイスのＴ１時刻に周波数領域リソースＦ１を使用して伝送するデータの大きさがＳ１のサービス、Ｔ２時刻に周波数領域リソースＦ２を使用して伝送するデータの大きさがＳ２のサービスであることを示す。
【０１０３】
本発明の実施例において、ネットワークデバイスが端末デバイスにより送信されたサービス要求メッセージに基づいて、端末デバイスが事前スケジューリングサービスを実行する時に使用する時間領域リソース及び周波数領域リソースを合理的に確定することができ、これによって、端末デバイスが事前スケジューリングサービスを良く実行することができる。
【０１０４】
マシンタイプ通信のための端末デバイス又はモノのインターネット用端末デバイスについて、サービス要求がある程度固定であるため、端末デバイスがサービス要求メッセージを使用して伝送するデータの時刻及び伝送するデータの大きさをネットワークデバイスに予め報告し、この場合、ネットワークデバイスが事前スケジューリングで端末にリソースを１回割り当て、シグナリングオーバーヘッドを節約することができる。
【０１０５】
ある実施例において、上記の第１構成情報が複数の指示情報を含み、当該複数の指示情報のいずれも、端末デバイスが事前スケジューリングサービスを実行する時に使用する時間領域リソース及び周波数領域リソースを示すが、当該複数の指示情報の任意の２つの指示情報の時間領域リソース及び周波数領域リソースを示す方式が異なり、上記のスケジューリングリソース方法は、さらに、ネットワークデバイスが端末デバイスにスケジューリング情報を送信することを含み、当該スケジューリング情報は、前記端末デバイスが当該複数の指示情報の１つの指示情報に基づいて、前記事前スケジューリングサービスを実行する時に使用する時間領域リソース及び周波数領域リソースを確定するように指示するために用いられる。つまり、第１構成情報が、異なる指示方式を有する指示情報を含み、さらに、ネットワークデバイスから端末デバイスに送信したスケジューリング情報は、どの指示方式を選択して事前スケジューリングサービスを実行する時に使用する時間領域リソース及び周波数領域リソースを確定するように指示する。
【０１０６】
以上、図２を参照し、ネットワークデバイス側から本発明の実施例における端末デバイスのスケジューリング方法を説明しており、以下、図３を参照し、端末デバイス側から本発明の実施例における端末デバイスのスケジューリング方法を説明する。
【０１０７】
なお、端末デバイス側から説明する本発明の実施例における端末のスケジューリング方法は、ネットワークデバイス側から説明した本発明の実施例における端末のスケジューリング方法に対応し、簡潔のために、重複の説明を省略する。
【０１０８】
図３は本発明の実施例における端末デバイスのスケジューリング方法のフローチャートである。図３の方法は、３１０及び３２０を含み、
３１０において、端末デバイスがネットワークデバイスにより送信された第１構成情報を受信し、当該第１構成情報は、前記端末デバイスが事前スケジューリングサービスを実行する時に使用する時間領域リソース及び周波数領域リソースを示すために用いられ、
３２０において、端末デバイスが第１構成情報に示す時間領域リソース及び周波数領域リソースにおいて当該事前スケジューリングサービスを実行する。
【０１０９】
本発明の実施例において、端末デバイスが事前スケジューリングサービスを実行する時に使用する時間領域リソース及び周波数領域リソースを第１構成情報により示すことは、従来の技術において端末デバイスが実行する事前スケジューリングサービスの伝送周期及び周波数領域リソースのみを示すことと比べ、端末デバイスが事前スケジューリングサービスを実行するように柔軟的にスケジューリングすることができる。
【０１１０】
選択的に、端末デバイスが事前スケジューリングサービスを実行する時に使用する時間領域リソース及び周波数領域リソースを上記の第１構成情報により示すことは、具体的に、以下の３つの場合を含み、
（１）、事前スケジューリングサービスが周期的なサービスであり、上記の第１構成情報は、事前スケジューリングサービスの伝送周期及び前記端末デバイスが複数の時刻の各時刻に事前スケジューリングサービスを実行する時に使用する周波数領域リソースを示すために用いられ、ここで、端末デバイスが複数の時刻の少なくとも２つの時刻に事前スケジューリングサービスを実行する時に使用する周波数領域リソースが異なる。
【０１１１】
（２）、事前スケジューリングサービスが非周期的なサービスであり、上記の第１構成情報は、端末デバイスが事前スケジューリングサービスを実行する各時刻及び端末デバイスが事前スケジューリングサービスを各時刻に実行する時に使用する周波数領域リソースを示すために用いられ、ここで、端末デバイスが事前スケジューリングサービスを各時刻に実行する時に使用する周波数領域リソースが同じである。
【０１１２】
（３）、第１構成情報は、端末デバイスが事前スケジューリングサービスを実行する各時刻及び端末デバイスが事前スケジューリングサービスを各時刻に実行する時にそれぞれ使用する周波数領域リソースを示すために用いられる。
【０１１３】
選択的に、１つの実施例として、前記端末デバイスがネットワークデバイスにより送信された第１構成情報を受信した後、前記方法は、さらに、前記端末デバイスが前記ネットワークデバイスにより送信された第２構成情報を受信することを含み、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【０１１４】
選択的に、１つの実施例として、前記第１構成情報は、前記端末デバイスが上位層シグナリング又は物理層シグナリングにより受信したものである。
【０１１５】
選択的に、１つの実施例として、前記第１構成情報は、時間領域リソース指示情報及び周波数領域リソース指示情報を含み、ここで、前記時間領域リソース指示情報は、前記端末デバイスが上位層シグナリングにより受信したものであり、前記周波数領域リソース構成情報は、前記端末デバイスが物理層シグナリングにより受信したものである。
【０１１６】
選択的に、１つの実施例として、前記方法は、さらに、前記端末デバイスが前記ネットワークデバイスにサービス要求メッセージを送信することを含み、前記サービス要求メッセージは、前記端末デバイスが実行する前記事前スケジューリングサービスの実行時刻及び前記事前スケジューリングサービスに伝送するデータの大きさを示すために用いられる。
【０１１７】
選択的に、１つの実施例として、前記第１構成情報は、前記サービス要求メッセージに基づいて確定されたものである。
【０１１８】
選択的に、１つの実施例として、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記方法は、さらに、前記端末デバイスが前記ネットワークデバイスにより送信されたスケジューリング情報を受信することと、前記端末デバイスが前記スケジューリング情報内の第１指示情報に基づいて、前記事前スケジューリングサービスを実行する時に使用する時間領域リソース及び周波数領域リソースを確定することとを含み、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられる。
【０１１９】
図４は本発明の実施例における端末デバイスのスケジューリング方法のフローチャートである。図４の方法は、４０１〜４０３を含み、
４１０において、ネットワークデバイスが端末デバイスのサービス要求メッセージを受信し、前記サービス要求メッセージは、前記端末デバイスが実行する事前スケジューリングサービスの実行時刻及び前記事前スケジューリングサービスに伝送するデータの大きさを示すために用いられ、
４２０において、前記ネットワークデバイスが前記サービス要求メッセージに基づいて第１構成情報を確定し、前記第１構成情報は、前記端末デバイスが前記事前スケジューリングサービスを実行する時に使用する時間領域リソース及び周波数領域リソースを示すために用いられ、
４３０において、前記ネットワークデバイスが前記端末デバイスに前記第１構成情報を送信する。
【０１２０】
本発明の実施例において、ネットワークデバイスが端末デバイスにより送信されたサービス要求メッセージに基づいて、端末デバイスが事前スケジューリングサービスを実行する時に使用する時間領域リソース及び周波数領域リソースを合理的に確定することができ、これによって、端末デバイスが事前スケジューリングサービスを良く実行することができる。
【０１２１】
具体的に、ネットワークデバイスは、スケジューリングにおいて、端末デバイスの要求に応じて、１回のスケジューリングで端末にリソースを一括に割り当て、端末デバイスを複数スケジューリングすることよりシグナリングオーバーヘッドを増えることを回避する。
【０１２２】
なお、ネットワークデバイスにより確定された第１構成情報の形式及びその後の第２構成情報は、上記の図２に示すスケジューリング方法の記載と同じであり、簡潔のために、重複の説明を省略する。
【０１２３】
ある実施例において、端末デバイスが事前スケジューリングサービスを実行する時に使用する時間領域リソース及び周波数領域リソースを上記の第１構成情報により示すことは、具体的に、以下の３つの場合を含み、
（４）、事前スケジューリングサービスが周期的なサービスであり、上記の第１構成情報は、事前スケジューリングサービスの伝送周期及び前記端末デバイスが複数の時刻の各時刻に事前スケジューリングサービスを実行する時に使用する周波数領域リソースを示すために用いられ、ここで、端末デバイスが複数の時刻の少なくとも２つの時刻に事前スケジューリングサービスを実行する時に使用する周波数領域リソースが異なる。
【０１２４】
（５）、事前スケジューリングサービスが非周期的なサービスであり、上記の第１構成情報は、端末デバイスが事前スケジューリングサービスを実行する各時刻及び端末デバイスが事前スケジューリングサービスを各時刻に実行する時に使用する周波数領域リソースを示すために用いられ、ここで、端末デバイスが事前スケジューリングサービスを各時刻に実行する時に使用する周波数領域リソースが同じである。
【０１２５】
（６）、第１構成情報は、端末デバイスが事前スケジューリングサービスを実行する各時刻及び端末デバイスが事前スケジューリングサービスを各時刻に実行する時にそれぞれ使用する周波数領域リソースを示すために用いられる。
【０１２６】
ある実施例において、端末デバイスがネットワークデバイスにより送信された第１構成情報を受信した後、前記方法は、さらに、前記端末デバイスが前記ネットワークデバイスにより送信された第２構成情報を受信することを含み、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【０１２７】
ある実施例において、上記の第１構成情報は、前記端末デバイスが上位層シグナリング又は物理層シグナリングにより受信したものである。
【０１２８】
ある実施例において、上記の第１構成情報は、時間領域リソース指示情報及び周波数領域リソース指示情報を含み、ここで、時間領域リソース指示情報は、前記端末デバイスが上位層シグナリングにより受信したものであり、前記周波数領域リソース構成情報は、前記端末デバイスが物理層シグナリングにより受信したものである。
【０１２９】
ある実施例において、前記方法は、さらに、前記端末デバイスが前記ネットワークデバイスにサービス要求メッセージを送信することを含み、前記サービス要求メッセージは、前記端末デバイスが実行する前記事前スケジューリングサービスの実行時刻及び前記事前スケジューリングサービスに伝送するデータの大きさを示すために用いられる。
【０１３０】
ある実施例において、前記第１構成情報は、前記サービス要求メッセージに基づいて確定されたものである。
【０１３１】
ある実施例において、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記方法は、さらに、前記端末デバイスが前記ネットワークデバイスにより送信されたスケジューリング情報を受信することと、前記端末デバイスが前記スケジューリング情報内の第１指示情報に基づいて、前記事前スケジューリングサービスを実行する時に使用する時間領域リソース及び周波数領域リソースを確定することとを含み、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられる。
【０１３２】
以上、図４を参照し、ネットワークデバイス側から本発明の実施例における端末デバイスのスケジューリング方法を説明しており、以下、図５を参照し、端末デバイス側から本発明の実施例における端末デバイスのスケジューリング方法を説明する。
【０１３３】
なお、端末デバイス側から説明する本発明の実施例における端末のスケジューリング方法は、ネットワークデバイス側から説明した本発明の実施例における端末のスケジューリング方法に対応し、簡潔のために、重複の説明を省略する。
【０１３４】
図５は本発明の実施例における端末デバイスのスケジューリング方法のフローチャートである。図５の方法は、５１０〜５３０を含み、
５１０において、端末デバイスがネットワークデバイスにサービス要求メッセージを送信し、前記サービス要求メッセージは、前記端末デバイスが実行する事前スケジューリングサービスの実行時刻及び前記事前スケジューリングサービスに伝送するデータの大きさを示すために用いられ、
５２０において、前記端末デバイスが前記ネットワークデバイスにより送信された第１構成情報を受信し、前記第１構成情報は、前記端末デバイスが前記事前スケジューリングサービスを実行する時に使用する時間領域リソース及び周波数領域リソースを示すために用いられ、
５３０において、前記端末デバイスが前記第１構成情報に示す時間領域リソース及び周波数領域リソースにおいて前記事前スケジューリングサービスを実行する。
【０１３５】
本発明の実施例において、ネットワークデバイスが端末デバイスにより送信されたサービス要求メッセージに基づいて、端末デバイスが事前スケジューリングサービスを実行する時に使用する時間領域リソース及び周波数領域リソースを合理的に確定することができ、これによって、端末デバイスが事前スケジューリングサービスを良く実行することができる。
【０１３６】
具体的に、ネットワークデバイスは、スケジューリングにおいて、端末デバイスの要求に応じて、１回のスケジューリングで端末にリソースを一括に割り当て、端末デバイスを複数スケジューリングすることによりシグナリングオーバーヘッドを増えることを回避する。
【０１３７】
ある実施例において、端末デバイスが事前スケジューリングサービスを実行する時に使用する時間領域リソース及び周波数領域リソースを上記の第１構成情報により示すことは、具体的に、以下の３つの場合を含み、
（７）、事前スケジューリングサービスが周期的なサービスであり、上記の第１構成情報は、事前スケジューリングサービスの伝送周期及び前記端末デバイスが複数の時刻の各時刻に事前スケジューリングサービスを実行する時に使用する周波数領域リソースを示すために用いられ、ここで、端末デバイスが複数の時刻の少なくとも２つの時刻に事前スケジューリングサービスを実行する時に使用する周波数領域リソースが異なる。
【０１３８】
（８）、事前スケジューリングサービスが非周期的なサービスであり、上記の第１構成情報は、端末デバイスが事前スケジューリングサービスを実行する各時刻及び端末デバイスが事前スケジューリングサービスを各時刻に実行する時に使用する周波数領域リソースを示すために用いられ、ここで、端末デバイスが事前スケジューリングサービスを各時刻に実行する時に使用する周波数領域リソースが同じである。
【０１３９】
（９）、第１構成情報は、端末デバイスが事前スケジューリングサービスを実行する各時刻及び端末デバイスが事前スケジューリングサービスを各時刻に実行する時にそれぞれ使用する周波数領域リソースを示すために用いられる。
【０１４０】
選択的に、１つの実施例として、前記端末デバイスが前記ネットワークデバイスにより送信された前記第１構成情報を受信した後、前記方法は、さらに、前記端末デバイスが前記端末デバイスにより送信された第２構成情報を受信することを含み、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【０１４１】
選択的に、１つの実施例として、前記第１構成情報は、前記端末デバイスが上位層シグナリング又は物理層シグナリングにより受信したものである。
【０１４２】
選択的に、１つの実施例として、前記第１構成情報は、時間領域リソース指示情報及び周波数領域リソース指示情報を含み、ここで、前記時間領域リソース指示情報は、前記端末デバイスが上位層シグナリングにより受信したものであり、前記周波数領域リソース構成情報は、前記端末デバイスが物理層シグナリングにより受信したものである。
【０１４３】
選択的に、１つの実施例として、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記方法は、さらに、前記端末デバイスが前記ネットワークデバイスにより送信されたスケジューリング情報を受信することを含み、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられる。
【０１４４】
以上、図２〜図５を参照し、本発明の実施例における端末デバイスのスケジューリング方法を説明しており、以下、図６〜図１３を参照し、本発明の実施例におけるネットワークデバイス及び端末デバイスを説明する。
【０１４５】
なお、図６〜図１３のネットワークデバイス及び端末デバイスは、図２〜図５のスケジューリング端末デバイス方法の各ステップを実行することができ、簡潔のために、重複の説明を省略する。
【０１４６】
図６は本発明の実施例におけるネットワークデバイスのブロック図である。図６のネットワークデバイス６００は、確定モジュール６１０及び送信モジュール６２０を含み、
確定モジュール６１０は、第１構成情報を確定するように構成され、前記第１構成情報は、前記端末デバイスが事前スケジューリングサービスを実行する時に使用する時間領域リソース及び周波数領域リソースを示すために用いられ、
送信モジュール６２０は、前記端末デバイスに前記第１構成情報を送信するように構成される。
【０１４７】
本発明の実施例において、端末デバイスが事前スケジューリングサービスを実行する時に使用する時間領域リソース及び周波数領域リソースを第１構成情報により示すことは、従来の技術において端末デバイスが実行する事前スケジューリングサービスの伝送周期及び周波数領域リソースのみを示すことと比べ、端末デバイスが事前スケジューリングサービスを実行するように柔軟的にスケジューリングすることができる。
【０１４８】
選択的に、１つの実施例として、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、ここで、前記端末デバイスが前記複数の時刻の少なくとも２つの時刻に前記事前スケジューリングサービスを実行する時に使用する周波数領域リソースが異なる。
【０１４９】
選択的に、１つの実施例として、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、ここで、前記端末デバイスが各時刻に前記事前スケジューリングサービスを実行する時に使用する周波数領域リソースが同じである。
【０１５０】
選択的に、１つの実施例として、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【０１５１】
選択的に、１つの実施例として、前記送信モジュール６２０は、さらに、前記第１構成情報を送信した後、前記端末デバイスに第２構成情報を送信するように構成され、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【０１５２】
選択的に、１つの実施例として、前記第１構成情報は、前記送信モジュール６２０が上位層シグナリング又は物理層シグナリングにより送信したものである。
【０１５３】
選択的に、１つの実施例として、前記第１構成情報は、時間領域リソース指示情報及び周波数領域リソース指示情報を含み、ここで、前記時間領域リソース指示情報は、前記送信モジュール６２０が上位層シグナリングにより送信したものであり、前記周波数領域リソース構成情報は、前記送信モジュールが物理層シグナリングにより送信したものである。
【０１５４】
選択的に、１つの実施例として、前記ネットワークデバイスは、さらに、受信モジュール６３０を含み、
受信モジュール６３０は、前記端末デバイスのサービス要求メッセージを受信するように構成され、前記サービス要求メッセージは、前記端末デバイスが実行する前記事前スケジューリングサービスの実行時刻及び前記事前スケジューリングサービスに伝送するデータの大きさを示すために用いられ、
前記確定モジュール６１０は、具体的に、前記サービス要求メッセージに基づいて前記第１構成情報を確定するように構成される。
【０１５５】
選択的に、１つの実施例として、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記送信モジュール６２０は、さらに、前記端末デバイスにスケジューリング情報を送信するように構成され、前記スケジューリング情報は、前記端末デバイスが前記複数の指示情報の１つの指示情報に基づいて、前記事前スケジューリングサービスを実行する時に使用する時間領域リソース及び周波数領域リソースを確定するように指示するために用いられる。
【０１５６】
図７は本発明の実施例における端末デバイスのブロック図である。図７の端末デバイス７００は、受信モジュール７１０及び実行モジュール７２０を含み、
受信モジュール７１０は、ネットワークデバイスにより送信された第１構成情報を受信するように構成され、前記第１構成情報は、前記端末デバイスが事前スケジューリングサービスを実行する時に使用する時間領域リソース及び周波数領域リソースを示すために用いられ、
実行モジュール７２０は、前記第１構成情報に示す時間領域リソース及び周波数領域リソースにおいて前記事前スケジューリングサービスを実行するように構成される。
【０１５７】
本発明の実施例において、端末デバイスが事前スケジューリングサービスを実行する時に使用する時間領域リソース及び周波数領域リソースを第１構成情報により示すことは、従来の技術において端末デバイスが実行する事前スケジューリングサービスの伝送周期及び周波数領域リソースのみを示すことと比べ、端末デバイスが事前スケジューリングサービスを実行するように柔軟的にスケジューリングすることができる。
【０１５８】
選択的に、１つの実施例として、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、ここで、前記端末デバイスが前記複数の時刻の少なくとも２つの時刻に前記事前スケジューリングサービスを実行する時に使用する周波数領域リソースが異なる。
【０１５９】
選択的に、１つの実施例として、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、ここで、前記端末デバイスが各時刻に前記事前スケジューリングサービスを実行する時に使用する周波数領域リソースが同じである。
【０１６０】
選択的に、１つの実施例として、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【０１６１】
選択的に、１つの実施例として、前記受信モジュール７１０は、さらに、前記ネットワークデバイスにより送信された第１構成情報を受信した後、前記ネットワークデバイスにより送信された第２構成情報を受信するように構成され、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【０１６２】
選択的に、１つの実施例として、前記第１構成情報は、前記受信モジュール７１０が上位層シグナリング又は物理層シグナリングにより受信したものである。
【０１６３】
選択的に、１つの実施例として、前記第１構成情報は、時間領域リソース指示情報及び周波数領域リソース指示情報を含み、ここで、前記時間領域リソース指示情報は、前記受信モジュール７１０が上位層シグナリングにより受信したものであり、前記周波数領域リソース構成情報は、前記受信モジュール７１０が物理層シグナリングにより受信したものである。
【０１６４】
選択的に、１つの実施例として、前記端末デバイスは、さらに、送信モジュール７３０を含み、送信モジュール７３０は、前記ネットワークデバイスにサービス要求メッセージを送信するように構成され、前記サービス要求メッセージは、前記端末デバイスが実行する前記事前スケジューリングサービスの実行時刻及び前記事前スケジューリングサービスに伝送するデータの大きさを示すために用いられる。
【０１６５】
選択的に、１つの実施例として、前記第１構成情報は、前記サービス要求メッセージに基づいて確定されたものである。
【０１６６】
選択的に、１つの実施例として、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記受信モジュール７１０は、さらに、前記ネットワークデバイスにより送信されたスケジューリング情報を受信するように構成され、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられ、
前記実行モジュール７２０は、具体的に、前記スケジューリング情報内の第１指示情報に基づいて、前記事前スケジューリングサービスを実行する時に使用する時間領域リソース及び周波数領域リソースを確定するように構成される。
【０１６７】
図８は本発明の実施例におけるネットワークデバイスのブロック図である。図８のネットワークデバイス８００は、受信モジュール８１０、確定モジュール８２０及び送信モジュール８３０を含み、
受信モジュール８１０は、端末デバイスのサービス要求メッセージを受信するように構成され、前記サービス要求メッセージは、前記端末デバイスが実行する事前スケジューリングサービスの実行時刻及び前記事前スケジューリングサービスに伝送するデータの大きさを示すために用いられ、
確定モジュール８２０は、前記サービス要求メッセージに基づいて第１構成情報を確定するように構成され、前記第１構成情報は、前記端末デバイスが前記事前スケジューリングサービスを実行する時に使用する時間領域リソース及び周波数領域リソースを示すために用いられ、
送信モジュール８３０は、前記端末デバイスに前記第１構成情報を送信するように構成される。
【０１６８】
本発明の実施例において、ネットワークデバイスが端末デバイスにより送信されたサービス要求メッセージに基づいて、端末デバイスが事前スケジューリングサービスを実行する時に使用する時間領域リソース及び周波数領域リソースを合理的に確定することができ、これによって、端末デバイスが事前スケジューリングサービスを良く実行することができる。
【０１６９】
選択的に、１つの実施例として、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、ここで、前記端末デバイスが前記複数の時刻の少なくとも２つの時刻に前記事前スケジューリングサービスを実行する時に使用する周波数領域リソースが異なる。
【０１７０】
選択的に、１つの実施例として、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、ここで、前記端末デバイスが各時刻に前記事前スケジューリングサービスを実行する時に使用する周波数領域リソースが同じである。
【０１７１】
選択的に、１つの実施例として、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【０１７２】
選択的に、１つの実施例として、前記送信モジュール８３０は、さらに、前記端末デバイスに第２構成情報を送信するように構成され、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【０１７３】
選択的に、１つの実施例として、前記第１構成情報は、前記送信モジュール８３０が上位層シグナリング又は物理層シグナリングにより送信したものである。
【０１７４】
選択的に、１つの実施例として、前記第１構成情報は、時間領域リソース指示情報及び周波数領域リソース指示情報を含み、ここで、前記時間領域リソース指示情報は、前記送信モジュール８３０が上位層シグナリングにより送信したものであり、前記周波数領域リソース構成情報は、前記送信モジュール８３０が物理層シグナリングにより送信したものである。
【０１７５】
選択的に、１つの実施例として、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記送信モジュール８３０は、さらに、前記端末デバイスにスケジューリング情報を送信するように構成され、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられる。
【０１７６】
図９は本発明の実施例における端末デバイスのブロック図である。図９の端末デバイス９００は、送信モジュール９１０、受信モジュール９２０及び実行モジュール９３０を含み
送信モジュール９１０は、ネットワークデバイスにサービス要求メッセージを送信するように構成され、前記サービス要求メッセージは、前記端末デバイスが実行する事前スケジューリングサービスの実行時刻及び前記事前スケジューリングサービスに伝送するデータの大きさを示すために用いられ、
受信モジュール９２０は、前記ネットワークデバイスにより送信された第１構成情報を受信するように構成され、前記第１構成情報は、前記端末デバイスが前記事前スケジューリングサービスを実行する時に使用する時間領域リソース及び周波数領域リソースを示すために用いられ、
実行モジュール９３０は、前記第１構成情報に示す時間領域リソース及び周波数領域リソースにおいて前記事前スケジューリングサービスを実行するように構成される。
【０１７７】
本発明の実施例において、ネットワークデバイスが端末デバイスにより送信されたサービス要求メッセージに基づいて、端末デバイスが事前スケジューリングサービスを実行する時に使用する時間領域リソース及び周波数領域リソースを合理的に確定することができ、これによって、端末デバイスが事前スケジューリングサービスを良く実行することができる。
【０１７８】
選択的に、１つの実施例として、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、ここで、前記端末デバイスが前記複数の時刻の少なくとも２つの時刻に前記事前スケジューリングサービスを実行する時に使用する周波数領域リソースが異なる。
【０１７９】
選択的に、１つの実施例として、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、ここで、前記端末デバイスが各時刻に前記事前スケジューリングサービスを実行する時に使用する周波数領域リソースが同じである。
【０１８０】
選択的に、１つの実施例として、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【０１８１】
選択的に、１つの実施例として、前記受信モジュール９２０は、さらに、前記ネットワークデバイスにより送信された前記第１構成情報を受信した後、前記端末デバイスにより送信された第２構成情報を受信するように構成され、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【０１８２】
選択的に、１つの実施例として、前記第１構成情報は、前記受信モジュール９２０が上位層シグナリング又は物理層シグナリングにより受信したものである。
【０１８３】
選択的に、１つの実施例として、前記第１構成情報は、時間領域リソース指示情報及び周波数領域リソース指示情報を含み、ここで、前記時間領域リソース指示情報は、前記受信モジュール９２０が上位層シグナリングにより受信したものであり、前記周波数領域リソース構成情報は、前記受信モジュール９２０が物理層シグナリングにより受信したものである。
【０１８４】
選択的に、１つの実施例として、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記受信モジュール９２０は、さらに、前記ネットワークデバイスにより送信されたスケジューリング情報を受信するように構成され、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられ、前記実行モジュール９３０は、具体的に、前記スケジューリング情報内の第１指示情報に基づいて、前記事前スケジューリングサービスを実行する時に使用する時間領域リソース及び周波数領域リソースを確定するように構成される。
【０１８５】
図１０は本発明の実施例におけるネットワークデバイスのブロック図である。図１０のネットワークデバイス１０００は、メモリ１０１０、プロセッサー１０２０及び送受信機１０３０を含み、
メモリ１０１０にプログラムが記憶され、
プロセッサー１０２０がプログラムを実行し、前記プログラムが実行される場合、前記プロセッサー１０２０は、第１構成情報を確定するように構成され、前記第１構成情報は、前記端末デバイスが事前スケジューリングサービスを実行する時に使用する時間領域リソース及び周波数領域リソースを示すために用いられ、
送受信機１０３０は、前記端末デバイスに前記第１構成情報を送信するように構成される。
【０１８６】
本発明の実施例において、端末デバイスが事前スケジューリングサービスを実行する時に使用する時間領域リソース及び周波数領域リソースを第１構成情報により示すことは、従来の技術において端末デバイスが実行する事前スケジューリングサービスの伝送周期及び周波数領域リソースのみを示すことと比べ、端末デバイスが事前スケジューリングサービスを実行するように柔軟的にスケジューリングすることができる。
【０１８７】
選択的に、１つの実施例として、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、ここで、前記端末デバイスが前記複数の時刻の少なくとも２つの時刻に前記事前スケジューリングサービスを実行する時に使用する周波数領域リソースが異なる。
【０１８８】
選択的に、１つの実施例として、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、ここで、前記端末デバイスが各時刻に前記事前スケジューリングサービスを実行する時に使用する周波数領域リソースが同じである。
【０１８９】
選択的に、１つの実施例として、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【０１９０】
選択的に、１つの実施例として、前記送受信機１０３０は、さらに、前記第１構成情報を送信した後、前記端末デバイスに第２構成情報を送信するように構成され、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【０１９１】
選択的に、１つの実施例として、前記第１構成情報は、前記送受信機１０３０が上位層シグナリング又は物理層シグナリングにより送信したものである。
【０１９２】
選択的に、１つの実施例として、前記第１構成情報は、時間領域リソース指示情報及び周波数領域リソース指示情報を含み、ここで、前記時間領域リソース指示情報は、前記送受信機１０３０が上位層シグナリングにより送信したものであり、前記周波数領域リソース構成情報は、前記送信モジュールが物理層シグナリングにより送信したものである。
【０１９３】
選択的に、１つの実施例として、前記送受信機１０３０は、さらに、前記端末デバイスのサービス要求メッセージを受信するように構成され、前記サービス要求メッセージは、前記端末デバイスが実行する前記事前スケジューリングサービスの実行時刻及び前記事前スケジューリングサービスに伝送するデータの大きさを示すために用いられ、
前記プロセッサー１０２０は、具体的に、前記サービス要求メッセージに基づいて前記第１構成情報を確定するように構成される。
【０１９４】
選択的に、１つの実施例として、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記送受信機１０３０は、さらに、前記端末デバイスにスケジューリング情報を送信するように構成され、前記スケジューリング情報は、前記端末デバイスが前記複数の指示情報の１つの指示情報に基づいて、前記事前スケジューリングサービスを実行する時に使用する時間領域リソース及び周波数領域リソースを確定するように指示するために用いられる。
【０１９５】
図１１は本発明の実施例における端末デバイスのブロック図である。図１１の端末デバイス１１００は、メモリ１１１０、送受信機１１２０及びプロセッサー１１３０を含み、
メモリ１１１０にプログラムが記憶され、
送受信機１１２０は、ネットワークデバイスにより送信された第１構成情報を受信するように構成され、前記第１構成情報は、前記端末デバイスが事前スケジューリングサービスを実行する時に使用する時間領域リソース及び周波数領域リソースを示すために用いられ、
プロセッサー１１３０がプログラムを実行し、前記プログラムが実行される場合、前記プロセッサー１１３０は、前記第１構成情報に示す時間領域リソース及び周波数領域リソースにおいて前記事前スケジューリングサービスを実行するように構成される。
【０１９６】
本発明の実施例において、端末デバイスが事前スケジューリングサービスを実行する時に使用する時間領域リソース及び周波数領域リソースを第１構成情報により示すことは、従来の技術において端末デバイスが実行する事前スケジューリングサービスの伝送周期及び周波数領域リソースのみを示すことと比べ、端末デバイスが事前スケジューリングサービスを実行するように柔軟的にスケジューリングすることができる。
【０１９７】
選択的に、１つの実施例として、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、ここで、前記端末デバイスが前記複数の時刻の少なくとも２つの時刻に前記事前スケジューリングサービスを実行する時に使用する周波数領域リソースが異なる。
【０１９８】
選択的に、１つの実施例として、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、ここで、前記端末デバイスが各時刻に前記事前スケジューリングサービスを実行する時に使用する周波数領域リソースが同じである。
【０１９９】
選択的に、１つの実施例として、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【０２００】
選択的に、１つの実施例として、前記送受信機１１２０は、さらに、前記ネットワークデバイスにより送信された第１構成情報を受信した後、前記ネットワークデバイスにより送信された第２構成情報を受信するように構成され、前記実行モジュールは、具体的に、前記第２構成情報に基づいて、前記端末デバイスが前記事前スケジューリングサービスを指定の時刻に実行する時に使用する時間領域リソース及び周波数領域リソースを確定するように構成される。
【０２０１】
選択的に、１つの実施例として、前記第１構成情報は、前記送受信機１１２０が上位層シグナリング又は物理層シグナリングにより受信したものである。
【０２０２】
選択的に、１つの実施例として、前記第１構成情報は、時間領域リソース指示情報及び周波数領域リソース指示情報を含み、ここで、前記時間領域リソース指示情報は、前記送受信機１１２０が上位層シグナリングにより受信したものであり、前記周波数領域リソース構成情報は、前記送受信機１１２０が物理層シグナリングにより受信したものである。
【０２０３】
選択的に、１つの実施例として、前記送受信機１１２０は、具体的に、前記ネットワークデバイスにサービス要求メッセージを送信するように構成され、前記サービス要求メッセージは、前記端末デバイスが実行する前記事前スケジューリングサービスの実行時刻及び前記事前スケジューリングサービスに伝送するデータの大きさを示すために用いられる。
【０２０４】
選択的に、１つの実施例として、前記第１構成情報は、前記サービス要求メッセージに基づいて確定されたものである。
【０２０５】
選択的に、１つの実施例として、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記送受信機１１２０は、さらに、前記ネットワークデバイスにより送信されたスケジューリング情報を受信するように構成され、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられ、
前記プロセッサー１１３０は、具体的に、前記スケジューリング情報内の第１指示情報に基づいて、前記事前スケジューリングサービスを実行する時に使用する時間領域リソース及び周波数領域リソースを確定するように構成される。
【０２０６】
図１２は本発明の実施例におけるネットワークデバイスのブロック図である。図１２のネットワークデバイス１２００は、メモリ１２１０、送受信機１２２０及びプロセッサー１２３０を含み、
メモリ１２１０にプログラムが記憶され、
送受信機１２２０は、端末デバイスのサービス要求メッセージを受信するように構成され、前記サービス要求メッセージは、前記端末デバイスが実行する事前スケジューリングサービスの実行時刻及び前記事前スケジューリングサービスに伝送するデータの大きさを示すために用いられ、
プロセッサー１２３０がプログラムを実行し、前記プログラムが実行される場合、前記プロセッサー１２３０は、前記サービス要求メッセージに基づいて第１構成情報を確定するように構成され、前記第１構成情報は、前記端末デバイスが前記事前スケジューリングサービスを実行する時に使用する時間領域リソース及び周波数領域リソースを示すために用いられ、
前記送受信機１２３０は、さらに、前記端末デバイスに前記第１構成情報を送信するように構成される。
【０２０７】
本発明の実施例において、ネットワークデバイスが端末デバイスにより送信されたサービス要求メッセージに基づいて、端末デバイスが事前スケジューリングサービスを実行する時に使用する時間領域リソース及び周波数領域リソースを合理的に確定することができ、これによって、端末デバイスが事前スケジューリングサービスを良く実行することができる。
【０２０８】
選択的に、１つの実施例として、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、ここで、前記端末デバイスが前記複数の時刻の少なくとも２つの時刻に前記事前スケジューリングサービスを実行する時に使用する周波数領域リソースが異なる。
【０２０９】
選択的に、１つの実施例として、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、ここで、前記端末デバイスが各時刻に前記事前スケジューリングサービスを実行する時に使用する周波数領域リソースが同じである。
【０２１０】
選択的に、１つの実施例として、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【０２１１】
選択的に、１つの実施例として、前記送受信機１２３０は、さらに、前記端末デバイスに第２構成情報を送信するように構成され、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【０２１２】
選択的に、１つの実施例として、前記第１構成情報は、前記送受信機１２３０が上位層シグナリング又は物理層シグナリングにより送信したものである。
【０２１３】
選択的に、１つの実施例として、前記第１構成情報は、時間領域リソース指示情報及び周波数領域リソース指示情報を含み、ここで、前記時間領域リソース指示情報は、前記送受信機１２３０が上位層シグナリングにより送信したものであり、前記周波数領域リソース構成情報は、前記送受信機１２３０が物理層シグナリングにより送信したものである。
【０２１４】
選択的に、１つの実施例として、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記送受信機１２３０は、さらに、前記端末デバイスにスケジューリング情報を送信するように構成され、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられる。
【０２１５】
図１３本発明の実施例におけるネットワークデバイスのブロック図である。図１３のネットワークデバイス１３００は、メモリ１３１０、送受信機１３２０及びプロセッサー１３３０を含み、
メモリ１３１０にプログラムが記憶され、
送受信機１３２０は、ネットワークデバイスにサービス要求メッセージを送信するように構成され、前記サービス要求メッセージは、前記端末デバイスが実行する事前スケジューリングサービスの実行時刻及び前記事前スケジューリングサービスに伝送するデータの大きさを示すために用いられ、
前記送受信機１３２０は、さらに、前記ネットワークデバイスにより送信された第１構成情報を受信するように構成され、前記第１構成情報は、前記端末デバイスが前記事前スケジューリングサービスを実行する時に使用する時間領域リソース及び周波数領域リソースを示すために用いられ、
プロセッサー１３３０がプログラムを実行し、前記プログラムが実行される場合、前記プロセッサー１３３０は、前記第１構成情報に示す時間領域リソース及び周波数領域リソースにおいて前記事前スケジューリングサービスを実行するように構成される。
【０２１６】
本発明の実施例において、ネットワークデバイスが端末デバイスにより送信されたサービス要求メッセージに基づいて、端末デバイスが事前スケジューリングサービスを実行する時に使用する時間領域リソース及び周波数領域リソースを合理的に確定することができ、これによって、端末デバイスが事前スケジューリングサービスを良く実行することができる。
【０２１７】
選択的に、１つの実施例として、前記事前スケジューリングサービスが周期的なサービスであり、前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、ここで、前記端末デバイスが前記複数の時刻の少なくとも２つの時刻に前記事前スケジューリングサービスを実行する時に使用する周波数領域リソースが異なる。
【０２１８】
選択的に、１つの実施例として、前記事前スケジューリングサービスが非周期的なサービスであり、前記第１構成情報は、前記端末デバイスが前記事前スケジューリングサービスを実行する各時刻及び前記端末デバイスが各時刻に前記事前スケジューリングサービスを実行する時に使用する周波数領域リソースを示すために用いられ、ここで、前記端末デバイスが各時刻に前記事前スケジューリングサービスを実行する時に使用する周波数領域リソースが同じである。
【０２１９】
選択的に、１つの実施例として、前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる。
【０２２０】
選択的に、１つの実施例として、前記送受信機１３２０は、具体的に、前記ネットワークデバイスにより送信された前記第１構成情報を受信した後、前記端末デバイスにより送信された第２構成情報を受信するように構成され、前記第２構成情報は、前記端末デバイスが少なくとも１つの第１時刻に第１周波数領域リソースを使用して前記事前スケジューリングサービスを実行することから、前記端末デバイスが少なくとも１つの第２時刻に第２周波数領域リソースを使用して前記事前スケジューリングサービスを実行することに再構成するために用いられる。
【０２２１】
選択的に、１つの実施例として、前記第１構成情報は、前記送受信機１３２０が上位層シグナリング又は物理層シグナリングにより受信したものである。
【０２２２】
選択的に、１つの実施例として、前記第１構成情報は、時間領域リソース指示情報及び周波数領域リソース指示情報を含み、ここで、前記時間領域リソース指示情報は、前記送受信機１３２０が上位層シグナリングにより受信したものであり、前記周波数領域リソース構成情報は、前記送受信機１３２０が物理層シグナリングにより受信したものである。
【０２２３】
選択的に、１つの実施例として、前記第１構成情報が複数の指示情報を含み、前記複数の指示情報の任意の２つの指示情報は、前記端末デバイスが前記事前スケジューリングサービスを実行する時に使用する時間領域リソース及び周波数領域リソースを示すための方式が異なり、前記送受信機１３２０は、さらに、前記ネットワークデバイスにより送信されたスケジューリング情報を受信するように構成され、前記スケジューリング情報は、前記端末デバイスが前記複数の指示情報内の第１指示情報に基づいて、前記事前スケジューリングサービスを実行する時に使用する時間領域リソース及び周波数領域リソースを確定するように指示するために用いられ、前記送受信機１３２０は、具体的に、前記スケジューリング情報内の第１指示情報に基づいて、前記事前スケジューリングサービスを実行する時に使用する時間領域リソース及び周波数領域リソースを確定するように構成される。
【０２２４】
図１４は本発明の実施例におけるシステムチップの構成図である。図１４的システムチップ１４００がシステムチップを含み、前記入力インターフェース１４０１、出力インターフェース１４０２、前記プロセッサー１４０３及びメモリ１４０４がバス１４０５により接続され、前記プロセッサー１４０３が前記メモリ１４０４内のコードを実行し、前記コードが実行される場合、前記プロセッサー１４０３が図２のネットワークデバイスにより実行する方法を実現する。
【０２２５】
図１５は本発明の実施例におけるシステムチップの構成図である。図１５のシステムチップ１５００がシステムチップを含み、前記入力インターフェース１５０１、出力インターフェース１５０２、前記プロセッサー１５０３及びメモリ１５０４がバス１５０５により接続され、前記プロセッサー１５０３が前記メモリ１５０４内のコードを実行し、前記コードが実行される場合、前記プロセッサー１５０３が図３の端末デバイスにより実行する方法を実現する。
【０２２６】
図１６は本発明の実施例におけるシステムチップの構成図である。図１６のシステムチップ１６００がシステムチップを含み、前記入力インターフェース１６０１、出力インターフェース１６０２、前記プロセッサー１６０３及びメモリ１６０４がバス１６０５により接続され、前記プロセッサー１６０３が前記メモリ１６０４内のコードを実行し、前記コードが実行される場合、前記プロセッサー１６０３が図４のネットワークデバイスにより実行する方法を実現する。
【０２２７】
図１７は本発明の実施例におけるシステムチップの構成図である。図１７のシステムチップ１７００がシステムチップを含み、前記入力インターフェース１７０１、出力インターフェース１７０２、前記プロセッサー１７０３及びメモリ１７０４がバス１７０５により接続され、前記プロセッサー１７０３が前記メモリ１７０４内のコードを実行し、前記コードが実行される場合、前記プロセッサー１７０３が図５の端末デバイスにより実行する方法を実現する。
【０２２８】
本願に開示されている実施例に説明されている各例示的なユニット及びアルゴリズムのステップを結合し、電子ハードウェア、又はコンピュータソフトウェアと電子ハードウェアの結合を用いて実現することができることを、当業者であれば理解できる。これらの機能がハードウェアの形式かあるいはソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０２２９】
当業者は、簡潔にするために、上記のシステム、装置及びユニットの動作過程が上記の方法の実施例の過程を参照することができることを理解すべきであり、ここで説明を省略する。
【０２３０】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを他のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０２３１】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０２３２】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０２３３】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０２３４】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【手続補正２】
【補正対象書類名】特許請求の範囲
【補正対象項目名】全文
【補正方法】変更
【補正の内容】
【特許請求の範囲】
【請求項１】
ネットワークデバイスが第１構成情報を確定することと、
前記ネットワークデバイスが端末デバイスに前記第１構成情報を送信することとを含み、
前記第１構成情報は、前記端末デバイスが事前スケジューリングサービスを実行する時に使用する時間領域リソース及び周波数領域リソースを示すために用いられる
ことを特徴とする端末デバイスのスケジューリング方法。
【請求項２】
前記事前スケジューリングサービスが周期的なサービスであり、
前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、
前記端末デバイスが前記複数の時刻の少なくとも２つの時刻に前記事前スケジューリングサービスを実行する時に使用する周波数領域リソースが異なる
ことを特徴とする請求項１に記載の端末デバイスのスケジューリング方法。
【請求項３】
前記端末デバイスが前記事前スケジューリングサービスを実行する時に使用する周波数領域リソースは、周期的に繰り返すものである
ことを特徴とする請求項２に記載の端末デバイスのスケジューリング方法。
【請求項４】
前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる
ことを特徴とする請求項１に記載の端末デバイスのスケジューリング方法。
【請求項５】
前記第１構成情報は、前記ネットワークデバイスが上位層シグナリング又は物理層シグナリングにより送信したものである
ことを特徴とする請求項１〜４のいずれか１項に記載の端末デバイスのスケジューリング方法。
【請求項６】
前記第１構成情報は、時間領域周期指示情報及び周波数領域リソース指示情報を含み、
前記時間領域周期指示情報は、前記ネットワークデバイスが上位層シグナリングにより送信したものであり、前記周波数領域リソース構成情報は、前記ネットワークデバイスが物理層シグナリングにより送信したものである
ことを特徴とする請求項１〜４のいずれか１項に記載の端末デバイスのスケジューリング方法。
【請求項７】
端末デバイスがネットワークデバイスにより送信された第１構成情報を受信することと、
前記端末デバイスが前記第１構成情報に示す時間領域リソース及び周波数領域リソースにおいて事前スケジューリングサービスを実行することとを含み、
前記第１構成情報は、前記端末デバイスが事前スケジューリングサービスを実行する時に使用する時間領域リソース及び周波数領域リソースを示すために用いられる
ことを特徴とする端末デバイスのスケジューリング方法。
【請求項８】
前記事前スケジューリングサービスが周期的なサービスであり、
前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、
前記端末デバイスが前記複数の時刻の少なくとも２つの時刻に前記事前スケジューリングサービスを実行する時に使用する周波数領域リソースが異なる
ことを特徴とする請求項７に記載の端末デバイスのスケジューリング方法。
【請求項９】
前記端末デバイスが前記事前スケジューリングサービスを実行する時に使用する周波数領域リソースは、周期的に繰り返すものである
ことを特徴とする請求項８に記載の端末デバイスのスケジューリング方法。
【請求項１０】
前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる
ことを特徴とする請求項７に記載の端末デバイスのスケジューリング方法。
【請求項１１】
前記第１構成情報は、前記端末デバイスが上位層シグナリング又は物理層シグナリングにより受信したものである
ことを特徴とする請求項７〜１０のいずれか１項に記載の端末デバイスのスケジューリング方法。
【請求項１２】
前記第１構成情報は、時間領域周期指示情報及び周波数領域リソース指示情報を含み、
前記時間領域周期指示情報は、前記端末デバイスが上位層シグナリングにより受信したものであり、前記周波数領域リソース構成情報は、前記端末デバイスが物理層シグナリングにより受信したものである
ことを特徴とする請求項７〜１０のいずれか１項に記載の端末デバイスのスケジューリング方法。
【請求項１３】
ネットワークデバイスが端末デバイスのサービス要求メッセージを受信することと、
前記ネットワークデバイスが前記サービス要求メッセージに基づいて第１構成情報を確定することと、
前記ネットワークデバイスが前記端末デバイスに前記第１構成情報を送信することとを含み、
前記サービス要求メッセージは、前記端末デバイスが実行する事前スケジューリングサービスの実行時刻及び前記事前スケジューリングサービスに伝送するデータの大きさを示すために用いられ、
前記第１構成情報は、前記端末デバイスが前記事前スケジューリングサービスを実行する時に使用する時間領域リソース及び周波数領域リソースを示すために用いられる
ことを特徴とする端末デバイスのスケジューリング方法。
【請求項１４】
前記事前スケジューリングサービスが周期的なサービスであり、
前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、
前記端末デバイスが前記複数の時刻の少なくとも２つの時刻に前記事前スケジューリングサービスを実行する時に使用する周波数領域リソースが異なる
ことを特徴とする請求項１３に記載の端末デバイスのスケジューリング方法。
【請求項１５】
前記端末デバイスが前記事前スケジューリングサービスを実行する時に使用する周波数領域リソースは、周期的に繰り返すものである
ことを特徴とする請求項１４に記載の端末デバイスのスケジューリング方法。
【請求項１６】
前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる
ことを特徴とする請求項１３に記載の端末デバイスのスケジューリング方法。
【請求項１７】
前記第１構成情報は、前記ネットワークデバイスが上位層シグナリング又は物理層シグナリングにより送信したものである
ことを特徴とする請求項１３〜１６のいずれか１項に記載の端末デバイスのスケジューリング方法。
【請求項１８】
前記第１構成情報は、時間領域周期指示情報及び周波数領域リソース指示情報を含み、
前記時間領域周期指示情報は、前記ネットワークデバイスが上位層シグナリングにより送信したものであり、前記周波数領域リソース構成情報は、前記ネットワークデバイスが物理層シグナリングにより送信したものである
ことを特徴とする請求項１３〜１６のいずれか１項に記載の端末デバイスのスケジューリング方法。
【請求項１９】
端末デバイスがネットワークデバイスにサービス要求メッセージを送信することと、
前記端末デバイスが前記ネットワークデバイスにより送信された第１構成情報を受信することと、
前記端末デバイスが前記第１構成情報に示す時間領域リソース及び周波数領域リソースにおいて事前スケジューリングサービスを実行することとを含み、
前記サービス要求メッセージは、前記端末デバイスが実行する事前スケジューリングサービスの実行時刻及び前記事前スケジューリングサービスに伝送するデータの大きさを示すために用いられ、
前記第１構成情報は、前記端末デバイスが前記事前スケジューリングサービスを実行する時に使用する時間領域リソース及び周波数領域リソースを示すために用いられる
ことを特徴とする端末デバイスのスケジューリング方法。
【請求項２０】
前記事前スケジューリングサービスが周期的なサービスであり、
前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、
前記端末デバイスが前記複数の時刻の少なくとも２つの時刻に前記事前スケジューリングサービスを実行する時に使用する周波数領域リソースが異なる
ことを特徴とする請求項１９に記載の端末デバイスのスケジューリング方法。
【請求項２１】
前記端末デバイスが前記事前スケジューリングサービスを実行する時に使用する周波数領域リソースは、周期的に繰り返すものである
ことを特徴とする請求項２０に記載の端末デバイスのスケジューリング方法。
【請求項２２】
前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる
ことを特徴とする請求項１９に記載の端末デバイスのスケジューリング方法。
【請求項２３】
前記第１構成情報は、前記端末デバイスが上位層シグナリング又は物理層シグナリングにより受信したものである
ことを特徴とする請求項１９〜２２のいずれか１項に記載の端末デバイスのスケジューリング方法。
【請求項２４】
前記第１構成情報は、時間領域周期指示情報及び周波数領域リソース指示情報を含み、
前記時間領域周期指示情報は、前記端末デバイスが上位層シグナリングにより受信したものであり、前記周波数領域リソース構成情報は、前記端末デバイスが物理層シグナリングにより受信したものである
ことを特徴とする請求項１９〜２２のいずれか１項に記載の端末デバイスのスケジューリング方法。
【請求項２５】
第１構成情報を確定するように構成される確定モジュールと、
端末デバイスに前記第１構成情報を送信するように構成される送信モジュールとを含み、
前記第１構成情報は、前記端末デバイスが事前スケジューリングサービスを実行する時に使用する時間領域リソース及び周波数領域リソースを示すために用いられる
ことを特徴とするネットワークデバイス。
【請求項２６】
前記事前スケジューリングサービスが周期的なサービスであり、
前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、
前記端末デバイスが前記複数の時刻の少なくとも２つの時刻に前記事前スケジューリングサービスを実行する時に使用する周波数領域リソースが異なる
ことを特徴とする請求項２５に記載のネットワークデバイス。
【請求項２７】
前記端末デバイスが前記事前スケジューリングサービスを実行する時に使用する周波数領域リソースは、周期的に繰り返すものである
ことを特徴とする請求項２６に記載のネットワークデバイス。
【請求項２８】
前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる
ことを特徴とする請求項２５に記載のネットワークデバイス。
【請求項２９】
前記第１構成情報は、前記送信モジュールが上位層シグナリング又は物理層シグナリングにより送信したものである
ことを特徴とする請求項２５〜２８のいずれか１項に記載のネットワークデバイス。
【請求項３０】
前記第１構成情報は、時間領域周期指示情報及び周波数領域リソース指示情報を含み、
前記時間領域周期指示情報は、前記送信モジュールが上位層シグナリングにより送信したものであり、前記周波数領域リソース構成情報は、前記送信モジュールが物理層シグナリングにより送信したものである
ことを特徴とする請求項２５〜２８のいずれか１項に記載のネットワークデバイス。
【請求項３１】
ネットワークデバイスにより送信された第１構成情報を受信するように構成される受信モジュールと、
前記第１構成情報に示す時間領域リソース及び周波数領域リソースにおいて事前スケジューリングサービスを実行するように構成される実行モジュールとを含み、
前記第１構成情報は、前記端末デバイスが前記事前スケジューリングサービスを実行する時に使用する時間領域リソース及び周波数領域リソースを示すために用いられる
ことを特徴とする端末デバイス。
【請求項３２】
前記事前スケジューリングサービスが周期的なサービスであり、
前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、
前記端末デバイスが前記複数の時刻の少なくとも２つの時刻に前記事前スケジューリングサービスを実行する時に使用する周波数領域リソースが異なる
ことを特徴とする請求項３１に記載の端末デバイス。
【請求項３３】
前記端末デバイスが前記事前スケジューリングサービスを実行する時に使用する周波数領域リソースは、周期的に繰り返すものである
ことを特徴とする請求項３２に記載の端末デバイス。
【請求項３４】
前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる
ことを特徴とする請求項３１に記載の端末デバイス。
【請求項３５】
前記第１構成情報は、前記受信モジュールが上位層シグナリング又は物理層シグナリングにより受信したものである
ことを特徴とする請求項３１〜３４のいずれか１項に記載の端末デバイス。
【請求項３６】
前記第１構成情報は、時間領域リソース指示情報及び周波数領域リソース指示情報を含み、
前記時間領域リソース指示情報は、前記受信モジュールが上位層シグナリングにより受信したものであり、前記周波数領域リソース構成情報は、前記受信モジュールが物理層シグナリングにより受信したものである
ことを特徴とする請求項３１〜３４のいずれか１項に記載の端末デバイス。
【請求項３７】
端末デバイスのサービス要求メッセージを受信するように構成される受信モジュールと、
前記サービス要求メッセージに基づいて第１構成情報を確定するように構成される確定モジュールと、
前記端末デバイスに前記第１構成情報を送信するように構成される送信モジュールとを含み、
前記サービス要求メッセージは、前記端末デバイスが実行する事前スケジューリングサービスの実行時刻及び前記事前スケジューリングサービスに伝送するデータの大きさを示すために用いられ、
前記第１構成情報は、前記端末デバイスが前記事前スケジューリングサービスを実行する時に使用する時間領域リソース及び周波数領域リソースを示すために用いられる
ことを特徴とするネットワークデバイス。
【請求項３８】
前記事前スケジューリングサービスが周期的なサービスであり、
前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、
前記端末デバイスが前記複数の時刻の少なくとも２つの時刻に前記事前スケジューリングサービスを実行する時に使用する周波数領域リソースが異なる
ことを特徴とする請求項３７に記載のネットワークデバイス。
【請求項３９】
前記端末デバイスが前記事前スケジューリングサービスを実行する時に使用する周波数領域リソースは、周期的に繰り返すものである
ことを特徴とする請求項３８に記載のネットワークデバイス。
【請求項４０】
前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる
ことを特徴とする請求項３７に記載のネットワークデバイス。
【請求項４１】
前記第１構成情報は、前記送信モジュールが上位層シグナリング又は物理層シグナリングにより送信したものである
ことを特徴とする請求項３７〜４０のいずれか１項に記載のネットワークデバイス。
【請求項４２】
前記第１構成情報は、時間領域周期指示情報及び周波数領域リソース指示情報を含み、
前記時間領域周期指示情報は、前記送信モジュールが上位層シグナリングにより送信したものであり、前記周波数領域リソース構成情報は、前記送信モジュールが物理層シグナリングにより送信したものである
ことを特徴とする請求項３７〜４０のいずれか１項に記載のネットワークデバイス。
【請求項４３】
ネットワークデバイスにサービス要求メッセージを送信するように構成される送信モジュールと、
前記ネットワークデバイスにより送信された第１構成情報を受信するように構成される受信モジュールと、
前記第１構成情報に示す時間領域リソース及び周波数領域リソースにおいて事前スケジューリングサービスを実行するように構成される実行モジュールとを含み、
前記サービス要求メッセージは、前記端末デバイスが実行する事前スケジューリングサービスの実行時刻及び前記事前スケジューリングサービスに伝送するデータの大きさを示すために用いられ、
前記第１構成情報は、前記端末デバイスが前記事前スケジューリングサービスを実行する時に使用する時間領域リソース及び周波数領域リソースを示すために用いられる
ことを特徴とする端末デバイス。
【請求項４４】
前記事前スケジューリングサービスが周期的なサービスであり、
前記第１構成情報は、前記事前スケジューリングサービスの伝送周期及び前記端末デバイスが複数の時刻の各時刻に前記事前スケジューリングサービスを実行する時に使用する周波数領域リソースを示すために用いられ、
前記端末デバイスが前記複数の時刻の少なくとも２つの時刻に前記事前スケジューリングサービスを実行する時に使用する周波数領域リソースが異なる
ことを特徴とする請求項４３に記載の端末デバイス。
【請求項４５】
前記端末デバイスが前記事前スケジューリングサービスを実行する時に使用する周波数領域リソースは、周期的に繰り返すものである
ことを特徴とする請求項４４に記載の端末デバイス。
【請求項４６】
前記第１構成情報は、前記端末デバイスが前記事前スケジューリングサービスを実行する各時刻及び前記端末デバイスが各時刻に前記事前スケジューリングサービスを実行する時にそれぞれ使用する周波数領域リソースを示すために用いられる
ことを特徴とする請求項４３に記載の端末デバイス。
【請求項４７】
前記第１構成情報は、前記受信モジュールが上位層シグナリング又は物理層シグナリングにより受信したものである
ことを特徴とする請求項４２〜４６のいずれか１項に記載の端末デバイス。
【請求項４８】
前記第１構成情報は、時間領域周期指示情報及び周波数領域リソース指示情報を含み、
前記時間領域周期指示情報は、前記受信モジュールが上位層シグナリングにより受信したものであり、前記周波数領域リソース構成情報は、前記受信モジュールが物理層シグナリングにより受信したものである
ことを特徴とする請求項４２〜４６のいずれか１項に記載の端末デバイス。
【国際調査報告】
2019537900.tif 000034
2019537900.tif 000035
2019537900.tif 000036
2019537900.tif 000037